(57)【要約】      （修正有）【課題】ゴルフクラブヘッドの主本体に支持されていない比較的広い面区域を有する打球板を提供する。【解決手段】ゴルフクラブヘッド２０００は、ヒール部分、ソール部分１０８、トウ部分、トップライン部分、及びフェース部分、を含むクラブ本体を含んでいる。幾つかの実施形態では、フェース部分は、理想打球場所と、フェースに画定されている少なくとも１つのチャネルと、を有している。幾つかの実施形態では、ゴルフクラブヘッド２０００は、打球面と、打球面に画定されている少なくとも１つのチャネル２１５０と、を有している。幾つかの実施形態では、ゴルフクラブヘッドは、理想打球場所１０１と、少なくとも１つの非理想打球場所と、を有している。【選択図】図２１
2015128580.tif 000002
【特許請求の範囲】
【請求項１】
ヒール部分と、ソール部分と、トウ部分と、トップライン部分と、フェース部分と、を含んでいて前記ソール部分が前記フェース部分の下端に近接して後方へ延びている本体、を備えている、アイアン型式ゴルフクラブ用のクラブヘッドにおいて、
前記フェース部分は、座標系の起点を画定している理想打球場所を含んでおり、当該座標系では、前記本体が通常のアドレス位置にあるとき、ｘ軸は前記理想打球場所における前記フェース部分に対する接線方向であって地平面に平行であり、ｙ軸は前記ｘ軸に垂直に延び更に前記地平面に平行であり、ｚ軸は前記地平面に垂直に延びており、正のｘ軸は前記起点から前記ヒール部分の方へ延び、正のｙ軸は前記起点から後方へ延び、正のｚ軸は前記起点から上方へ延びており、
前記本体は、−２５ｍｍ＜ｘ＜２５ｍｍの中央領域を含んでおり、
少なくとも１つのチャネルが前記フェースの前記中央領域以外の場所に画定されていて、各少なくとも１つのチャネルは前記フェース部分の全厚を貫いて画定されている、クラブヘッド。
【請求項２】
前記フェース部分は可変厚さである、請求項１に記載のゴルフクラブヘッド。
【請求項３】
前記可変厚さは、少なくとも１つのチャネルに近接している前記フェース部分の厚さが、前記少なくとも１つのチャネルに対し遠位の前記フェース部分の厚さと、少なくとも同じになるように非対称である、請求項２に記載のゴルフクラブヘッド。
【請求項４】
前記フェース部分に画定されている前記少なくとも１つのチャネルは内縁を画定しており、前記内縁は、前記ｙ軸及び前記ｚ軸によって形成されるｙ−ｚ平面にほぼ平行であり、前記内縁は前記ｙ−ｚ平面から約３０−３５ｍｍにある、請求項１に記載のゴルフクラブヘッド。
【請求項５】
前記少なくとも１つのチャネルは第１部分と第２部分の少なくとも２つの部分を含んでおり、前記第１部分は前記ｙ軸と前記ｚ軸によって形成されるｙ−ｚ平面にほぼ平行である前記チャネルの第３部分に対して第１角度に配列され、前記第２部分は前記第３部分に対して第２角度に配列されており、前記第１角度及び前記第２角度は大きさが等しく且つ前記少なくとも２つの部分の各々が前記第３部分から及び前記ｙ−ｚ平面から発散するように回転が互いに反対であり、ここに前記角度は約２５°−７５°である、請求項１に記載のゴルフクラブヘッド。
【請求項６】
少なくとも１つの応力逃しが前記少なくとも１つのチャネルと一体に含まれている、請求項１に記載のゴルフクラブヘッド。
【請求項７】
各応力逃しは開口であり、各開口は前記チャネルの幅より広い直径を有している、請求項６に記載のゴルフクラブヘッド。
【請求項８】
各応力逃しは端部分である、請求項６に記載のゴルフクラブヘッド。
【請求項９】
各応力逃しは厚肉部分である、請求項６に記載のゴルフクラブヘッド。
【請求項１０】
前記本体は少なくとも１つの背部分を更に含んでおり、前記背部分はアンダーカット陥凹を画定している、請求項１に記載のゴルフクラブヘッド。
【請求項１１】
前記アンダーカット陥凹は、前記背部分の全周を廻って延びている、請求項１０に記載のゴルフクラブヘッド。
【請求項１２】
前記本体はリップを画定しており、前記リップは更に、前記ゴルフクラブヘッドの全周に沿って延びるアンダーカット陥凹を画定している、請求項１に記載のゴルフクラブヘッド。
【請求項１３】
前記少なくとも１つのチャネルは前記本体によって画定されている、請求項１に記載のゴルフクラブヘッド。
【請求項１４】
前記少なくとも１つのチャネルは前記ソール部分に画定されている、請求項１３に記載のゴルフクラブヘッド。
【請求項１５】
孔を画定しているホーゼルを含んでいて、トップライン部分と、トウ部分と、ヒール部分と、ソール部分と、を含んでいるゴルフクラブ本体と、
前記ゴルフクラブ本体へ接続されている打球面であって、複数の溝を画定している打球表面を含んでいる打球面と、
前記打球面に画定されている少なくとも１つの第１チャネルであって、各チャネルの少なくとも一部分が前記ゴルフクラブ本体のトウ部分とヒール部分の一方に近接して画定されている、少なくとも１つの第１チャネルと、
前記ゴルフクラブ本体に画定されている少なくとも１つの第２チャネルと、を備えているゴルフクラブヘッド。
【請求項１６】
前記少なくとも１つの第１チャネルは前記打球面の全厚を貫いて画定されている、請求項１５に記載のゴルフクラブヘッド。
【請求項１７】
前記少なくとも１つの第２チャネルは前記ゴルフクラブヘッドのソール部分に画定されている、請求項１６に記載のゴルフクラブヘッド。
【請求項１８】
前記ゴルフクラブヘッドは、前記ゴルフクラブ本体の前記打球面の下端から後方に延びるソール部分を含んでおり、少なくとも２つの第１チャネルが前記打球面に画定されており、少なくとも１つの第２チャネルが前記ゴルフクラブ本体の前記ソール部分に画定されている、請求項１５に記載のゴルフクラブヘッド。
【請求項１９】
前記打球面に画定されている少なくとも１つの第１チャネルは、前記ソール部分に画定されている少なくとも１つの第２チャネルと連接している、請求項１８に記載のゴルフクラブヘッド。
【請求項２０】
ヒール部分と、ソール部分と、トウ部分と、トップライン部分と、フェース部分と、を含んでいて、理想打球場所と少なくとも１つの非理想打球場所を有しているクラブ本体であって、各非理想打球場所は地平面に平行に前記理想打球場所を通って画定されるｘ軸上に当該理想打球場所から約１０ｍｍにある、クラブ本体、を備えているクラブヘッドにおいて、
前記理想打球場所の反発係数が、各非理想打球場所の反発係数を０．０３５より大きくは上回っていない、ゴルフクラブヘッド。
【請求項２１】
前記理想打球場所の前記反発係数は、各非理想打球場所の前記反発係数を０．０１０より大きくは上回っていない、請求項２０に記載のゴルフクラブヘッド。
【請求項２２】
前記理想打球場所の前記反発係数は少なくとも０．８１０である、請求項２０に記載のゴルフクラブヘッド。
【請求項２３】
前記フェース部分は、前記ｘ軸に沿って前記トウ部分に近接して前記理想打球場所から１５ｍｍにある非理想打球場所を含んでおり、前記理想打球場所の前記反発係数は、当該理想打球場所から１５ｍｍの前記非理想打球場所の反発係数を０．０８０より大きくは上回っていない、請求項２０に記載のゴルフクラブヘッド。
【請求項２４】
前記理想打球場所の前記反発係数は、当該理想打球場所から１５ｍｍの前記非理想打球場所の前記反発係数を０．０６０より大きくは上回っていない、請求項２３に記載のゴルフクラブヘッド。
【請求項２５】
前記ゴルフクラブヘッドは少なくとも１つの可撓性境界構造を含んでいる、請求項２０に記載のゴルフクラブヘッド。
【請求項２６】
少なくとも１つのフェース配置型可撓性境界構造が前記フェース部分の機構として画定されており、少なくとも１つのソール配置型可撓性境界機構が前記ソール部分の機構として画定されている、請求項２５に記載のゴルフクラブヘッド。
【請求項２７】
前記ゴルフクラブヘッドは、前記理想打球場所の２０ｍｍ以内にある一次モードを含んでいる、請求項２０に記載のゴルフクラブヘッド。
【発明の詳細な説明】
【技術分野】
【０００１】
（関連出願の相互参照）
本願は、「ゴルフクラブ（GOLF CLUB）」という名称で２０１３年１１月１２日に出願されている米国仮特許出願第６１／９０３，１８５号の恩典を主張し、同出願をここに参考文献としてそっくりそのまま援用する。本願は、更に、「アイアン型式ゴルフクラブヘッド（IRON TYPE GOLF CLUB HEAD）」という名称で２０１３年３月１４日に出願されていて、「アイアン型式ゴルフクラブヘッド（IRON TYPE GOLF CLUB HEAD）」という名称で２０１２年６月８日に出願されている米国仮特許出願第６１／６５７，６７５号に対する優先権を主張している、米国特許出願第１３／８３０，２９３号を参照しており、両出願をこれにより参考文献としてここにそっくりそのまま援用する。本願は、更に、「ゴルフクラブヘッド（GOLF CLUB HEAD）」という名称で２００７年１２月２８日に出願されている米国特許第８，３５３，７８６号を参照しており、同特許を参考文献としてここにそっくりそのまま、特にゴルフクラブヘッドの可変フェース厚さの論説に関して援用する。
【０００２】
本開示は、ゴルフクラブヘッド、ゴルフクラブ、及びゴルフクラブのセットに関する。より厳密には、本開示は、アイアン型式ゴルフクラブ用のゴルフクラブヘッドと、その様なゴルフクラブヘッドを含むゴルフクラブ並びにゴルフクラブのセットに関する。
【背景技術】
【０００３】
ゴルフセットは、ゴルフのゲーム中にボールを打つ際の異なった条件又は状況で使用されるように様々な型式のクラブを含んでいる。クラブのセットは、典型的に、ボールをコース上で最も長い距離に打つための「ドライバー」を含んでいる。フェアウェイ「ウッド」は、ボールをドライバーよりも短い距離に打つのに使用することができる。アイアンのセットは、ボールを、典型的にはドライバー又はウッドよりも短い距離の範囲内に打つのに使用される。クラブはどれもみな、ゴルファーが特定のクラブを使用して最適且つ最も予測可能なショットを実現する公算を最大化するためのフェース上の最適打球ゾーンを表す理想打球場所即ち「スイートスポット」を有している。
【０００４】
アイアンは、ボールをアイアンで打とうとするときはいつでも、普通にボールに接触する平坦な面を有している。アイアンは、約１８度から約６４度を範囲とするロフトを実現するよう角度の付けられた面を有している。アイアンのスイートスポットの寸法は、概して、アイアンの打球面の寸法（即ち、表面積）に関係しており、アイアンセットは、多くのゴルファーにとって望ましいとされる広いスイートスポットを提供するように特大のクラブヘッドを備えたものが入手可能である。殆どのゴルファーは、所望のボール速度、距離、及び軌道を実現するべく、スイートスポット内でボールと接触を果たせるように奮闘している。
【０００５】
従来の「ブレード」型アイアンは、（特に初心者ゴルファーについては）「キャビティバック」や「中空」アイアン設計を含む所謂「周辺加重型」アイアンに広く取って代わられている。キャビティバックアイアンは、打球板の真後ろにキャビティを有し、クラブヘッド質量を打球板の周辺周りに分散させるようにしており、その様なクラブは、中心外れの打ち方に対する寛容性がより大きい傾向がある。中空アイアンは、キャビティバックアイアンと同様の特徴を有しているが、キャビティが後方壁によって包封されて打球板の背後に中空空間を形成している。周辺加重型、キャビティバック、及び中空アイアンの設計は、クラブ設計者が、例えばクラブヘッド質量中心の位置又は慣性モーメントと関連付けられる意図したプレイ特性を実現するために、クラブヘッドの質量を配分し直すことを可能にしている。これらの設計は、更に、クラブ設計者が、ゴルフクラブヘッドの主本体に支持されていない比較的広い面区域を有する打球板を提供することを可能にしている。
【先行技術文献】
【特許文献】
【０００６】
【特許文献１】米国仮特許出願第６１／９０３，１８５号
【特許文献２】米国仮特許出願第６１／６５７，６７５号
【特許文献３】米国特許出願第１３／８３０，２９３号
【特許文献４】米国特許第８，３５３，７８６号
【発明の概要】
【０００７】
ゴルフクラブヘッドは、ヒール部分、ソール部分、トウ部分、トップライン部分、及びフェース部分、を含むクラブ本体を含んでいる。幾つかの実施形態では、フェース部分は、理想打球場所と、フェースに画定されている少なくとも１つのチャネルと、を有している。幾つかの実施形態では、ゴルフクラブヘッドは、打球面と、打球面に画定されている少なくとも１つのチャネルと、を有している。幾つかの実施形態では、ゴルフクラブヘッドは、理想打球場所と、少なくとも１つの非理想打球場所と、を有している。
【０００８】
次に続く諸図の機構と構成要素は、本開示の一般的原理を際立たせるように描かれている。それら図全体を通じて対応する機構及び構成要素は、整合性及び明解性を期して参照符号を一致させて示されている。
【図面の簡単な説明】
【０００９】
【図１Ａ】ゴルフクラブヘッドの或る実施形態の前面図である。
【図１Ｂ】ゴルフクラブヘッドの、トウを立面視している斜視図である。
【図１Ｃ】中空クラブヘッドの或る実施形態を示している、図１Ａの１Ｂ−１Ｂ切断線に沿った断面図である。
【図１Ｄ】キャビティバッククラブヘッドの或る実施形態を示している、図１Ａの１Ｂ−１Ｂ切断線に沿った面図である。
【図１Ｅ】中空クラブヘッドの別の実施形態を示している、図１Ａの１Ｂ−１Ｂ切断線に沿った断面図である。
【図１Ｆ】図１Ｅに示されている中空クラブヘッドの実施形態の一部分を示している断面図である。
【図２Ａ】ゴルフクラブヘッドの或る実施形態の底面斜視図である。
【図２Ｂ】図２Ａに示されているゴルフクラブヘッドのソールの底面図である。
【図２Ｃ】図２Ａに示されているゴルフクラブヘッドの断面図である。
【図２Ｄ】クラブヘッドの、チャネルの領域を包囲及び包含している部分の外側面の外形の略図である。
【図２Ｅ】クラブヘッドの、チャネルの領域を包囲及び包含している部分の外側面の外形の略図である。
【図２Ｆ】ゴルフクラブヘッドの或る実施形態のチャネル領域の断面図である。
【図２Ｇ】ゴルフクラブヘッドの或る実施形態のチャネル領域の断面図である。
【図２Ｈ】ゴルフクラブヘッドの或る実施形態のチャネル領域の断面図である。
【図３Ａ】例示としてのゴルフクラブヘッドの断面図である。
【図３Ｂ】例示としてのゴルフクラブヘッドの断面図である。
【図４Ａ】例示としてのゴルフクラブヘッドの断面図である。
【図４Ｂ】例示としてのゴルフクラブヘッドの断面図である。
【図５Ａ】例示としてのゴルフクラブヘッドの断面図である。
【図５Ｂ】例示としてのゴルフクラブヘッドの断面図である。
【図６Ａ】例示としてのゴルフクラブヘッドのソールの底面図である。
【図６Ｂ】例示としてのゴルフクラブヘッドのソールの底面図である。
【図７Ａ】例示としてのゴルフクラブヘッドの断面図である。
【図７Ｂ】例示としてのゴルフクラブヘッドの断面図である。
【図８Ａ】例示としてのゴルフクラブヘッドの断面図である。
【図８Ｂ】例示としてのゴルフクラブヘッドの断面図である。
【図９】例示としてのゴルフクラブヘッドの断面図である。
【図１０Ａ】例示としてのゴルフクラブヘッドのソールの底面図である。
【図１０Ｂ】図１０Ａに示されているゴルフクラブヘッドの断面図である。
【図１１Ａ】例示としてのゴルフクラブヘッドのソールの底面図である。
【図１１Ｂ】例示としてのゴルフクラブヘッドのソールの底面図である。
【図１１Ｃ】例示としてのゴルフクラブヘッドのソールの底面図である。
【図１１Ｄ】例示としてのゴルフクラブヘッドのソールの底面図である。
【図１１Ｅ】例示としてのゴルフクラブヘッドのソールの底面図である。
【図１１Ｆ】例示としてのゴルフクラブヘッドのソールの底面図である。
【図１１Ｇ】例示としてのゴルフクラブヘッドのソールの底面図である。
【図１１Ｈ】例示としてのゴルフクラブヘッドのソールの底面図である。
【図１１Ｉ】例示としてのゴルフクラブヘッドのソールの底面図である。
【図１１Ｊ】例示としてのゴルフクラブヘッドのソールの底面図である。
【図１２Ａ】例示としてのゴルフクラブヘッドの、トウを立面視している斜視図である。
【図１２Ｂ】例示としてのゴルフクラブヘッドの、トウを立面視している斜視図である。
【図１２Ｃ】例示としてのゴルフクラブヘッドの、トウを立面視している斜視図である。
【図１３】例示としてのゴルフクラブヘッドの前面図であり、打球面へ投影された一対のチャネルの略図を含んでいる。
【図１４Ａ】追加の例示としてのゴルフクラブヘッドの前面図であり、打球面へ投影されたチャネルの略図を含んでいる。
【図１４Ｂ】追加の例示としてのゴルフクラブヘッドの前面図であり、打球面へ投影されたチャネルの略図を含んでいる。
【図１４Ｃ】追加の例示としてのゴルフクラブヘッドの前面図であり、打球面へ投影されたチャネルの略図を含んでいる。
【図１５Ａ】例示としてのゴルフクラブヘッドの断面図である。
【図１５Ｂ】例示としてのゴルフクラブヘッドの断面図である。
【図１５Ｃ】例示としてのゴルフクラブヘッドの断面図である。
【図１６】ゴルフクラブセットの或る実施形態の描画である。
【図１７Ａ】ゴルフクラブヘッドの別の実施形態の断面図である。
【図１７Ｂ】図１７Ａに示されているゴルフクラブヘッドの一部分の近景断面図である。
【図１８Ａ】ゴルフクラブヘッドの１つの実施形態の、図１７Ｂの１８−１８切断線に沿った断面図である。
【図１８Ｂ】ゴルフクラブヘッドのもう１つの実施形態の、図１７Ｂの１８−１８切断線に沿った断面図である。
【図１８Ｃ】図１８Ａに示されているゴルフクラブヘッドの切り抜き又は窓の近景図である。
【図１９Ａ】ゴルフクラブヘッドの別の実施形態の断面図である。
【図１９Ｂ】図１９Ａに示されているゴルフクラブヘッドの一部分の近景断面図である。
【図１９Ｃ】充填材料を含んでいるスロットを有するゴルフクラブヘッドの近景断面図である。
【図２０Ａ】ゴルフクラブヘッドの別の実施形態の断面図である。
【図２０Ｂ】図２０Ａに示されているゴルフクラブヘッドの一部分の近景断面図である。
【図２１】現開示の１つの実施形態によるゴルフクラブヘッドの前面図である。
【図２２Ａ】図２１のゴルフクラブヘッドの１つの例示としての実施形態の前面図である。
【図２２Ｂ】図２１のゴルフクラブヘッドの１つの例示としての実施形態の前面図である。
【図２２Ｃ】図２１のゴルフクラブヘッドの１つの例示としての実施形態の前面図である。
【図２２Ｄ】図２１のゴルフクラブヘッドの１つの例示としての実施形態の前面図である。
【図２２Ｅ】図２１のゴルフクラブヘッドの１つの例示としての実施形態の前面図である。
【図２３】現開示の１つの実施形態によるゴルフクラブヘッドの前面図である。
【図２４Ａ】図２３のゴルフクラブヘッドの１つの例示としての実施形態の前面図である。
【図２４Ｂ】図２３のゴルフクラブヘッドの１つの例示としての実施形態の前面図である。
【図２４Ｃ】図２３のゴルフクラブヘッドの１つの例示としての実施形態の前面図である。
【図２４Ｄ】図２３のゴルフクラブヘッドの１つの例示としての実施形態の前面図である。
【図２４Ｅ】図２３のゴルフクラブヘッドの１つの例示としての実施形態の前面図である。
【図２５Ａ】現開示の１つの実施形態によるゴルフクラブヘッドを上から見た断面図である。
【図２５Ｂ】現開示の１つの実施形態によるゴルフクラブヘッドを上から見た断面図である。
【図２６Ａ】現開示の１つの実施形態によるゴルフクラブヘッドの前面図である。
【図２６Ｂ】図２６Ａのゴルフクラブヘッドの後面図である。
【図２７Ａ】現開示の１つの実施形態によるゴルフクラブヘッドの前面図である。
【図２７Ｂ】現開示の１つの実施形態によるゴルフクラブヘッドの前面図である。
【図２８Ａ】現開示の１つの実施形態によるゴルフクラブヘッドの後面図である。
【図２８Ｂ】図２８Ａのゴルフクラブヘッドの２８Ｂ−２８Ｂ線によって指示される平面に取った断面図である。
【図２９Ａ】現開示の１つの実施形態によるゴルフクラブヘッドの前面図である。
【図２９Ｂ】図２９Ａのゴルフクラブヘッドの後面図である。
【図２９Ｃ】図２９Ａのゴルフクラブヘッドの代わりの後面図である。
【図３０Ａ】現開示の１つの実施形態によるゴルフクラブヘッドの前面図である。
【図３０Ｂ】図３０Ａのゴルフクラブヘッドの３０Ｂ−３０Ｂ線によって指示される平面に取った断面図である。
【図３０Ｃ】図３０Ａのゴルフクラブヘッドの斜視図である。
【図３１Ａ】現開示の１つの実施形態によるゴルフクラブヘッドの前面図である。
【図３１Ｂ】図３１Ａのゴルフクラブヘッドの３１Ｂ−３１Ｂ線によって指示される平面に取った断面図である。
【図３１Ｃ】図３１Ａのゴルフクラブヘッドの斜視図である。
【図３２Ａ】現開示の１つの実施形態によるゴルフクラブヘッドの前面図である。
【図３２Ｂ】図３２Ａのゴルフクラブヘッドの３２Ｂ−３２Ｂ線によって指示される平面に取った断面図である。
【図３２Ｃ】図３２Ａのゴルフクラブヘッドの斜視図である。
【図３３Ａ】現開示の１つの実施形態によるゴルフクラブヘッドの前面図である。
【図３３Ｂ】図３３Ａのゴルフクラブヘッドの斜視図である。
【図３４Ａ】現開示の１つの実施形態によるゴルフクラブヘッドの前面図である。
【図３４Ｂ】図３４Ａのゴルフクラブヘッドの斜視図である。
【図３４Ｃ】図３４Ａのゴルフクラブヘッドの３４Ｃ−３４Ｃ線によって指示される平面に取った断面図である。
【図３５Ａ】現開示１つの実施形態によるゴルフクラブヘッドの斜視図である。
【図３５Ｂ】図３５Ａのゴルフクラブヘッドの上面図である。
【図３５Ｃ】図３５Ａのゴルフクラブヘッドの、図３５Ｂ中の３５Ｃ−３５Ｃ線によって指示される平面に取った断面図である。
【図３５Ｄ】図３５Ａのゴルフクラブヘッドの斜視図である。
【図３６Ａ】現開示の１つの実施形態によるゴルフクラブヘッドの斜視図である。
【図３６Ｂ】現開示の１つの実施形態によるゴルフクラブヘッドの斜視図である。
【図３７Ａ】現開示の１つの実施形態によるゴルフクラブヘッドの斜視図である。
【図３７Ｂ】現開示の１つの実施形態によるゴルフクラブヘッドの斜視図である。
【図３８】現開示のゴルフクラブヘッドの様々な実施形態の、様々な打球場所を指示している前面図である。
【図３９Ａ】現開示の１つの実施形態による実験的なゴルフクラブヘッドの斜視図である。
【図３９Ｂ】図３９Ａのゴルフクラブヘッドの様々な場所での打球のＣＯＲを指示しているグラフである。
【図４０Ａ】現開示の１つの実施形態による実験的なゴルフクラブヘッドの斜視図である。
【図４０Ｂ】図４０Ｂのゴルフクラブヘッドの様々な場所での打球のＣＯＲを指示しているグラフである。
【図４１Ａ】現開示の１つの実施形態による実験的なゴルフクラブヘッドの斜視図である。
【図４１Ｂ】図４１Ａのゴルフクラブヘッドの様々な場所での打球のＣＯＲを指示しているグラフである。
【図４２】現開示の実施形態によるゴルフクラブヘッドの様々な実施形態のモード比較である。
【図４３Ａ】現開示の１つの実施形態によるゴルフクラブヘッドの前面図である。
【図４３Ｂ】図４３Ａのゴルフクラブヘッドの４３Ｂ−４３Ｂ線によって指示される平面に沿って取った断面図である。
【図４３Ｃ】図４３Ａのゴルフクラブヘッドの、図４３Ｂ中の４３Ｃ−４３Ｃ線によって指示される平面に沿って取った断面図である。
【図４３Ｄ】図４３Ａのゴルフクラブヘッドの底面図である。
【図４３Ｅ】図４３Ａのゴルフクラブヘッドの、図４３Ｄ中の４３Ｅ−４３Ｅ線によって指示される平面に沿って取った断面図である。
【図４３Ｆ】図４３Ａのゴルフクラブヘッドの斜視図である。
【図４３Ｇ】図４３Ａのゴルフクラブヘッドの後面図である。
【発明を実施するための形態】
【００１０】
本開示は、典型的にヘッド本体と打球板とを含むアイアン型式ゴルフクラブヘッドを記載している。ヘッド本体は、ヒール部分と、トウ部分と、トップライン部分と、ソール部分と、クラブヘッドをシャフトへ取り付けるように構成されているホーゼルと、を含んでいる。様々な実施形態では、ヘッド本体は、前開口部を画定しており、前開口部は、その周囲周りに形成されている前リムに打球板を受け入れるように構成されている。様々な実施形態では、打球板は、ヘッド本体と（例えば鋳造などにより）一体に形成されている。
【００１１】
様々な実施形態及び態様を、以下に論じられている詳細事項に関連付けて説明してゆくものであり、添付図面は当該の様々な実施形態を描いている。次に続く説明及び添付図面は、説明が目的であり、開示の範囲を限定するものと解釈されてはならない。本開示の様々な実施形態の十分な理解がもたらされるように、数多くの具体的な詳細事項を記述している。しかしながら、ここに記載されている様々な実施形態の簡明な考察を提供するために、場合に依っては、周知の又は従来の詳細事項は記述されていない。
【００１２】
ここでの使用に際し、「反発係数」、「ＣＯＲ」、「相対反発係数」、「相対ＣＯＲ」、「特性時間（Characteristic Time）」、及び「ＣＴ」という用語は、下記に従って定義されている。アイアンクラブヘッドの反発係数（ＣＯＲ）は、２００５年１１月３０日付け１．２改訂版「基線板に対するアイアンクラブヘッドの反発係数を測定するための暫定手順（Interim Procedure for Measuring the Coefficient of Restitution of an Iron Club head Relative to a Baseline Plate）」に規定されているＵＳＧＡゴルフ規則によって記されている手順（これ以後は「ＵＳＧＡ  ＣＯＲ手順」）に従って測定されている。具体的には、基線較正板のＣＯＲ値を最初に求め、次いでアイアンクラブヘッドのＣＯＲ値を、基線板較正で使用したのと同じ（単数又は複数の）ダースからのゴルフボールを使用して求める。次に、測定された較正板ＣＯＲを測定されたアイアンクラブヘッドＣＯＲから差し引いてアイアンクラブヘッドの「相対ＣＯＲ」を得る。
【００１３】
例を挙げて説明すると、ＵＳＧＡ  ＣＯＲ手順に従い、ゴルフボールの所与のセットで、基線較正板の測定ＣＯＲ値が０．８４５であったとする。ゴルフボールの同じセットを使用して、アイアンクラブヘッドは測定ＣＯＲ値が０．８２５であったとする。この例では、アイアンクラブヘッドの相対ＣＯＲは、０．８２５−０．８４５＝−０．０２０である。このアイアンクラブヘッドは、基線較正板のＣＯＲより０．０２０低いＣＯＲ即ち−０．０２０の相対ＣＯＲを有することになる。
【００１４】
特性時間（ＣＴ）は、ＵＳＧＡクラブ適合基準によって定められている条件下に、ゴルフクラブヘッドのフェース中心を低速度で打つペンジュラムに取り付けられている金属塊との間の接触時間である。
【００１５】
ここでの使用に際し、「体積」という用語がゴルフクラブヘッドに言及するのに使用されている場合、それは、全米ゴルフ協会（ＵＳＧＡ）及びＲ＆Ａルールズ・リミテッドによって２００３年１１月２１日に公告されている１．０．０改訂版「ウッドクラブのクラブヘッド寸法を測定するための手順（Procedure For Measuring the Club head Size of Wood Clubs）」の第５．０条に記載されている手順に従って測定されたクラブヘッド体積を指す。上記手順には、クラブヘッドを大容量の水の容器中に沈めることが含まれている。中空アイアン型式クラブヘッドの体積測定の場合、クラブヘッドの壁の何らかの穴又は開口部は、クラブヘッドを水中に降下させる前に覆われるか又はそれ以外のやり方でシールされるものとする。
【００１６】
アイアン型式ゴルフクラブヘッドの一部の実施形態は、クラブヘッドの１つ又はそれ以上の場所に設けられている可撓性境界構造（これ以後は「ＦＢＳ（flexible bounding structure）」）を含んでいる。可撓性境界構造は、様々な実施形態では、ゴルフクラブヘッドの隣接部分又は関連部分の屈曲する又は撓む能力を高めそれによりゴルフクラブヘッドの性能における所望の改善を提供するスロット、チャネル、ギャップ、薄肉又は脆弱領域、又は他の構造、を含んでいよう。当業者には理解される様に、ここに見つけられる用語の中でもとりわけ、「チャネル」、「ＦＢＳ」、「スロット」、及び「ＦＢＳ機構」という用語は、ここでの使用に際し、置き換え可能に用いられている。
【００１７】
第１の態様では、アイアン型式ゴルフクラブ用のクラブヘッドは、ヒール部分と、ソール部分と、トウ部分と、トップライン部分と、フェース部分と、を有する本体を含んでおり、ソール部分は、フェース部分の下端から後方へ延びている。フェース部分は、座標系の起点を画定している理想打球場所を含んでおり、当該座標系では、本体が通常のアドレス位置にあるとき、ｘ軸は理想打球場所におけるフェース部分に対する接線方向であって地平面に平行であり、ｙ軸はｘ軸に垂直に延び更に地平面に平行であり、ｚ軸は地平面に垂直に延びている。座標系では、正のｘ軸は起点からヒール部分の方へ延び、正のｙ軸は起点から後方へ延び、正のｚ軸は起点から上方へ延びている。様々な実施形態では、本体は、−２５ｍｍ＜ｘ＜２５ｍｍの中央領域を含んでいる。様々な実施形態では、中央領域内に包含されているソール部分は、フェース部分に隣接して配置されている前方ソール領域と前方ソール領域の後方に配置されているソールバーとを含み、前方ソール領域は最小前方ソール厚さＴＦＳを有する壁を画定し、ソールバーは最大ソールバー厚さＴＳＢを有する本体を画定しており、而して０．０５＜ＴＦＳ／ＴＳＢ＜０．４である。様々な実施形態では、ソールバーは、実質的にソール部分のヒール−トウ方向に延びていてソールバーの底面に配置された第１チャネル開口部を有している第１チャネルを画定している。
【００１８】
様々な実施形態では、第１チャネルは、第１チャネルのトウ部分に最も近い部分と第１チャネルのヒール領域に最も近い部分の間の距離を含む第１チャネル長さを有しており、第１チャネル長さは約１５ｍｍから約８５ｍｍである。一部の追加の実施形態では、第１チャネル長さは約３０ｍｍから約５７ｍｍである。
【００１９】
様々な実施形態では、第１チャネルは、地平面と第１チャネルの最上点の間の垂直方向距離を備える第１チャネル深さを有しており、中央領域内の第１チャネル深さの平均は約５ｍｍから約２５ｍｍである。一部の追加の実施形態では、第１チャネル深さは中央領域内で実質的に一定である。
【００２０】
様々な実施形態では、本体は、ｘ軸座標が−２５ｍｍより小さいトウ側領域と、ｘ軸座標が２５ｍｍより大きいヒール側領域と、を含んでおり、第１チャネルは、中央領域の平均深さが、トウ側領域の第１チャネルの平均深さより小さい。様々な実施形態では、第１チャネルは、中央領域の平均深さが、ヒール側領域の第１チャネルの平均深さより小さい。また更に、様々な実施形態では、第１チャネルは、中央領域の平均深さが、トウ側領域の第１チャネルの平均深さより小さく且つヒール側領域の第１チャネルの平均深さより小さい。様々な実施形態では、第１チャネルは、中央領域の平均深さが、トウ側領域の第１チャネルの平均深さより大きい。様々な実施形態では、第１チャネルは、中央領域の平均深さが、ヒール側領域の第１チャネルの平均深さより大きい。様々な実施形態では、第１チャネルは、中央領域の平均深さが、トウ側領域の第１チャネルの平均深さより大きく且つヒール側領域の第１チャネルの平均深さより大きい。
【００２１】
様々な実施形態では、ソールバーは、実質的にソールバーのヒール−トウ方向に延びていてソールバーの上面に配置された第２チャネル開口部を有している第２チャネルを画定しており、第２チャネルは、第２チャネル長さ、第２チャネル深さ、及び第２チャネル幅を有している。
【００２２】
様々な実施形態では、本体の中央領域は、−２０ｍｍ＜ｘ＜２０ｍｍと定義されている。様々な実施形態では、本体の中央領域は、−１５ｍｍ＜ｘ＜１５ｍｍと定義されている。
【００２３】
様々な実施形態では、０．８ｍｍ＜ＴＦＳ＜３．０ｍｍである。様々な実施形態では、１．０ｍｍ＜ＴＦＳ＜２．５ｍｍである。
【００２４】
様々な実施形態では、第１チャネルは第１チャネル長さＬ１を有し、本体はソール長さＬＢを有し、第１チャネル長さ対ソール長さの比は、次の不等式、即ち、０．３５＜Ｌ１／ＬＢ＜０．６７を満たしている。
【００２５】
様々な実施形態では、第１チャネルは、地平面から第１チャネルの最上点までの垂直方向距離を備える第１チャネル深さＨ１を画定し、本体は、地平面から本体の最上点までの垂直方向距離を備える本体高さＨＣＨを画定し、中央領域内の第１チャネル深さＨ１の平均値対本体高さＨＣＨの比は、次の不等式、即ち、０．０７＜Ｈ１ＡＶＧ／ＨＣＨ＜０．５０を満たしている。
【００２６】
様々な実施形態では、第１チャネルは、第１チャネル中心線を画定し、フェース部分はフェース平面を画定している。これらの実施形態では、第１チャネル中心線とフェース平面の地平面への投影点が、フェースからチャネルまでの距離Ｄ１を画定し、ソール部分はソール幅Ｄ３を画定し、中央領域内のフェースからチャネルまでの距離Ｄ１の平均値対中央領域内のソール幅Ｄ３の平均値の比は、次の不等式、即ち、０．１５＜Ｄ１／Ｄ３＜０．７１を満たしている。
【００２７】
様々な実施形態では、本体は、内部キャビティを画定し、本体は、次の不等式、即ち、１０ｃｃ＜Ｖ＜１２０ｃｃを満たす体積Ｖを有している。これらの実施形態の幾つかでは、本体は、次の不等式、即ち、４０ｃｃ＜Ｖ＜９０ｃｃを満たす体積Ｖを有している。これらの実施形態の幾つかでは、本体は、次の不等式、即ち、６０ｃｃ＜Ｖ＜８０ｃｃを満たす体積Ｖを有している。
【００２８】
様々な実施形態では、本体は、次の不等式、即ち、１５ｍｍ＜ＤＣＨ＜１００ｍｍを満たすクラブヘッド奥行ＤＣＨを画定している。これらの実施形態の幾つかでは、本体は、次の不等式、即ち、３０ｍｍ＜ＤＣＨ＜８０ｍｍを満たすクラブヘッド奥行を有している。これらの実施形態の幾つかでは、本体は、次の不等式、即ち、４０ｍｍ＜ＤＣＨ＜７０ｍｍを満たすクラブヘッド奥行を有している。
【００２９】
様々な実施形態では、充填材料が第１チャネルの中に配置されている。様々な実施形態では、充填材料が２つ以上のチャネルの中に配置されている。
【００３０】
第２の態様では、アイアン型式ゴルフクラブ用のクラブヘッドは、ヒール部分と、ソール部分と、トウ部分と、トップライン部分と、フェース部分と、を有する本体を含んでおり、ソール部分は、フェース部分の下端から後方へ延びている。フェース部分は、座標系の起点を画定している理想打球場所を含んでおり、当該座標系では、本体が通常のアドレス位置にあるとき、ｘ軸は理想打球場所におけるフェース部分に対する接線方向であって地平面に平行であり、ｙ軸はｘ軸に垂直に延び更に地平面に平行であり、ｚ軸は地平面に垂直に延びている。座標系では、正のｘ軸は起点からヒール部分の方へ延び、正のｙ軸は起点から後方へ延び、正のｚ軸は起点から上方へ延びている。様々な実施形態では、本体は、−２５ｍｍ＜ｘ＜２５ｍｍの中央領域を含んでいる。中央領域内に包含されているソール部分は、フェース部分に隣接して配置されている前方ソール領域と前方ソール領域の後方に配置されているソールバーとを含み、ソールバーは、実質的にソール部分のヒール−トウ方向に延びていてソールバーの底面に配置された第１チャネル開口部を有している第１チャネルを画定している。第１チャネルは、第１チャネル中心線を画定し、フェース部分はフェース平面を画定しており、その結果、第１チャネル中心線とフェース平面の地平面への投影点が、フェースからチャネルまでの距離Ｄ１を画定している。ソール部分はソール幅Ｄ３を画定している。中央領域内のフェースからチャネルまでの距離Ｄ１の平均値対中央領域内のソール幅Ｄ３の平均値の比は、次の不等式、即ち、０．１５＜Ｄ１／Ｄ３＜０．７１を満たしている。
【００３１】
様々な実施形態では、前方ソール領域は、最小前方ソール厚さＴＦＳを有する壁を画定し、ソールバーは、最大ソールバー厚さＴＳＢを有する本体を画定しており、而して０．０５＜ＴＦＳ／ＴＳＢ＜０．４である。
【００３２】
様々な実施形態では、０．８ｍｍ＜ＴＦＳ＜３．０ｍｍである。様々な実施形態では、１．０ｍｍ＜ＴＦＳ＜２．５ｍｍである。
【００３３】
様々な実施形態では、第１チャネルは第１チャネル長さＬ１を有し、本体はソール長さＬＢを有し、第１チャネル長さ対ソール長さの比は、次の不等式、即ち、０．３５＜Ｌ１／ＬＢ＜０．６７を満たしている。
【００３４】
様々な実施形態では、第１チャネルは、地平面から第１チャネルの最上点までの垂直方向距離を備える第１チャネル深さＨ１を画定し、本体は、地平面から本体の最上点までの垂直方向距離を備える本体高さＨＣＨを画定し、中央領域内の第１チャネル深さＨ１の平均値対本体高さＨＣＨの比は、次の不等式、即ち、０．０７＜Ｈ１ＡＶＧ／ＨＣＨ＜０．５０を満たしている。
【００３５】
様々な実施形態では、本体は、内部キャビティを画定し、本体は、次の不等式、即ち、１０ｃｃ＜Ｖ＜１２０ｃｃを満たす体積Ｖを有している。これらの実施形態の幾つかでは、本体は、次の不等式、即ち、４０ｃｃ＜Ｖ＜９０ｃｃを満たす体積Ｖを有している。これらの実施形態の幾つかでは、本体は、次の不等式、即ち、６０ｃｃ＜Ｖ＜８０ｃｃを満たす体積Ｖを有している。
【００３６】
様々な実施形態では、本体は、次の不等式、即ち、１５ｍｍ＜ＤＣＨ＜１００ｍｍを満たすクラブヘッド奥行ＤＣＨを画定している。これらの実施形態の幾つかでは、本体は、次の不等式、即ち、３０ｍｍ＜ＤＣＨ＜８０ｍｍを満たすクラブヘッド奥行を有している。これらの実施形態の幾つかでは、本体は、次の不等式、即ち、４０ｍｍ＜ＤＣＨ＜７０ｍｍを満たすクラブヘッド奥行を有している。
【００３７】
様々な実施形態では、充填材料が第１チャネルの中に配置されている。様々な実施形態では、充填材料が２つ以上のチャネルの中に配置されている。
【００３８】
様々な実施形態では、アイアン型式ゴルフクラブ用のクラブヘッドは、ヒール部分と、ソール部分と、トウ部分と、トップライン部分と、フェース部分と、を有する本体を含んでおり、ソール部分は、フェース部分の下端から後方へ延びている。フェース部分は、座標系の起点を画定している理想打球場所を含んでおり、当該座標系では、本体が通常のアドレス位置にあるとき、ｘ軸は理想打球場所におけるフェース部分に対する接線方向であって地平面に平行であり、ｙ軸はｘ軸に垂直に延び更に地平面に平行であり、ｚ軸は地平面に垂直に延びている。座標系では、正のｘ軸は起点からヒール部分の方へ延び、正のｙ軸は起点から後方へ延び、正のｚ軸は起点から上方へ延びている。ソール部分は、フェース部分に隣接して配置されている前方ソール領域と前方ソール領域の後方に配置されているソールバーとを含み、ソールバーは、実質的にソール部分のヒール−トウ方向に延びていてソールバーの底面に配置された第１チャネル開口部を有している第１チャネルを画定している。第１チャネルは第１チャネル長さＬ１を有し、本体はソール長さＬＢを有し、第１チャネル長さ対ソール長さの比は、次の不等式、即ち、０．３５＜Ｌ１／ＬＢ＜０．６７を満たしている。
【００３９】
様々な実施形態では、前方ソール領域は、最小前方ソール厚さＴＦＳを有する壁を画定し、ソールバーは、最大ソールバー厚さＴＳＢを有する本体を画定しており、而して０．０５＜ＴＦＳ／ＴＳＢ＜０．４である。
【００４０】
様々な実施形態では、０．８ｍｍ＜ＴＦＳ＜３．０ｍｍである。様々な実施形態では、１．０ｍｍ＜ＴＦＳ＜２．５ｍｍである。
【００４１】
様々な実施形態では、第１チャネルは、地平面から第１チャネルの最上点までの垂直方向距離を含む第１チャネル深さＨ１を画定し、本体は、地平面から本体の最上点までの垂直方向距離を含む本体高さＨＣＨを画定し、中央領域内の第１チャネル深さＨ１の平均値対本体高さＨＣＨの比は、次の不等式、即ち、０．０７＜Ｈ１ＡＶＧ／ＨＣＨ＜０．５０を満たしている。
【００４２】
様々な実施形態では、本体は、内部キャビティを画定し、本体は、次の不等式、即ち、１０ｃｃ＜Ｖ＜１２０ｃｃを満たす体積Ｖを有している。これらの実施形態の幾つかでは、本体は、次の不等式、即ち、４０ｃｃ＜Ｖ＜９０ｃｃを満たす体積Ｖを有している。これらの実施形態の幾つかでは、本体は、次の不等式、即ち、６０ｃｃ＜Ｖ＜８０ｃｃを満たす体積Ｖを有している。
【００４３】
様々な実施形態では、本体は、次の不等式、即ち、１５ｍｍ＜ＤＣＨ＜１００ｍｍを満たすクラブヘッド奥行ＤＣＨを画定している。これらの実施形態の幾つかでは、本体は、次の不等式、即ち、３０ｍｍ＜ＤＣＨ＜８０ｍｍを満たすクラブヘッド奥行を有している。これらの実施形態の幾つかでは、本体は、次の不等式、即ち、４０ｍｍ＜ＤＣＨ＜７０ｍｍを満たすクラブヘッド奥行を有している。
【００４４】
様々な実施形態では、充填材料が第１チャネルの中に配置されている。様々な実施形態では、充填材料が２つ以上のチャネルの中に配置されている。
【００４５】
様々な実施形態では、アイアン型式ゴルフクラブ用のクラブヘッドは、ヒール部分と、ソール部分と、トウ部分と、トップライン部分と、フェース部分と、を有する本体を含んでおり、ソール部分は、フェース部分の下端から後方へ延びている。フェース部分は、座標系の起点を画定している理想打球場所を含んでおり、当該座標系では、本体が通常のアドレス位置にあるとき、ｘ軸は理想打球場所におけるフェース部分に対する接線方向であって地平面に平行であり、ｙ軸はｘ軸に垂直に延び更に地平面に平行であり、ｚ軸は地平面に垂直に延びている。座標系では、正のｘ軸は起点からヒール部分の方へ延び、正のｙ軸は起点から後方へ延び、正のｚ軸は起点から上方へ延びている。本体は、−２５ｍｍ＜ｘ＜２５ｍｍの中央領域を含んでいる。中央領域内に包含されているソール部分は、フェース部分に隣接して配置されている前方ソール領域と前方ソール領域の後方に配置されているソールバーとを含み、ソールバーは、実質的にソール部分のヒール−トウ方向に延びていてソールバーの底面に配置された第１チャネル開口部を有している第１チャネルを画定している。第１チャネルは、地平面から第１チャネルの最上点までの垂直方向距離を備える第１チャネル深さＨ１を画定し、本体は、地平面から本体の最上点までの垂直方向距離を備える本体高さＨＣＨを画定し、中央領域内の第１チャネル深さＨ１の平均値対本体高さＨＣＨの比は、次の不等式、即ち、０．０７＜Ｈ１ＡＶＧ／ＨＣＨ＜０．５０を満たしている。
【００４６】
様々な実施形態では、前方ソール領域は、最小前方ソール厚さＴＦＳを有する壁を画定し、ソールバーは、最大ソールバー厚さＴＳＢを有する本体を画定しており、而して０．０５＜ＴＦＳ／ＴＳＢ＜０．４である。
【００４７】
様々な実施形態では、０．８ｍｍ＜ＴＦＳ＜３．０ｍｍである。様々な実施形態では、１．０ｍｍ＜ＴＦＳ＜２．５ｍｍである。
【００４８】
様々な実施形態では、第１チャネルは、第１チャネル長さＬ１を有し、本体は、ソール長さＬＢを有し、第１チャネル長さ対ソール長さの比は、次の不等式、即ち、０．３５＜Ｌ１／ＬＢ＜０．６７を満たしている。
【００４９】
様々な実施形態では、本体は、内部キャビティを画定し、本体は、次の不等式、即ち、１０ｃｃ＜Ｖ＜１２０ｃｃを満たす体積Ｖを有している。これらの実施形態の幾つかでは、本体は、次の不等式、即ち、４０ｃｃ＜Ｖ＜９０ｃｃを満たす体積Ｖを有している。これらの実施形態の幾つかでは、本体は、次の不等式、即ち、６０ｃｃ＜Ｖ＜８０ｃｃを満たす体積Ｖを有している。
【００５０】
様々な実施形態では、本体は、次の不等式、即ち、１５ｍｍ＜ＤＣＨ＜１００ｍｍを満たすクラブヘッド奥行ＤＣＨを画定している。これらの実施形態の幾つかでは、本体は、次の不等式、即ち、３０ｍｍ＜ＤＣＨ＜８０ｍｍを満たすクラブヘッド奥行を有している。これらの実施形態の幾つかでは、本体は、次の不等式、即ち、４０ｍｍ＜ＤＣＨ＜７０ｍｍを満たすクラブヘッド奥行を有している。
【００５１】
様々な実施形態では、充填材料が第１チャネルの中に配置されている。様々な実施形態では、充填材料が２つ以上のチャネルの中に配置されている。
【００５２】
様々な実施形態では、アイアン型式ゴルフクラブのセットは、少なくとも１本のアイアン型式ゴルフクラブの第１サブセットと、少なくとも１本のアイアン型式ゴルフクラブの第２サブセットを含んでいる。第１サブセットは、３０°以下のロフトと、フェース部分と、ヒール部分と、トウ部分と、ソール部分と、トップライン部分と、を有する少なくとも１つのクラブヘッドを含んでおり、ソール部分は、約１５ｍｍから約８５ｍｍの長さを有するスロット又はチャネルを備える可撓性境界構造を画定している。第２サブセットは、３０°より大きいロフトと、フェース部分と、ヒール部分と、トウ部分と、ソール部分と、トップライン部分と、を有する少なくとも１つのクラブヘッドを含んでおり、ソール部分は、約１５ｍｍから約８５ｍｍの長さを有するスロット又はチャネルを備える可撓性境界構造を有していない。
【００５３】
様々な実施形態では、第１サブセットは、少なくとも２本のゴルフクラブ、少なくとも３本のゴルフクラブ、少なくとも４本のゴルフクラブ、又は少なくとも５本のゴルフクラブ、を含んでいる。様々な実施形態では、第２サブセットは、少なくとも２本のゴルフクラブ、少なくとも３本のゴルフクラブ、少なくとも４本のゴルフクラブ、又は少なくとも５本のゴルフクラブ、を含んでいる。
【００５４】
様々な実施形態では、第１サブセットのゴルフクラブのそれぞれは、ヒール部分と、ソール部分と、トウ部分と、トップライン部分と、フェース部分と、を有する本体を含んでおり、ソール部分は、フェース部分の下端から後方へ延びている。フェース部分は、座標系の起点を画定している理想打球場所を含んでおり、当該座標系では、本体が通常のアドレス位置にあるとき、ｘ軸は理想打球場所におけるフェース部分に対する接線方向であって地平面に平行であり、ｙ軸はｘ軸に垂直に延び更に地平面に平行であり、ｚ軸は地平面に垂直に延びている。座標系では、正のｘ軸は起点からヒール部分の方へ延び、正のｙ軸は起点から後方へ延び、正のｚ軸は起点から上方へ延びている。本体は、−２５ｍｍ＜ｘ＜２５ｍｍの中央領域を含んでいる。中央領域内に包含されているソール部分は、フェース部分に隣接して配置されている前方ソール領域と前方ソール領域の後方に配置されているソールバーとを含み、前方ソール領域は、最小前方ソール厚さＴＦＳを有する壁を画定し、ソールバーは、最大ソールバー厚さＴＳＢを有する本体を画定しており、而して０．０５＜ＴＦＳ／ＴＳＢ＜０．４である。ソールバーは、実質的にソール部分のヒール−トウ方向に延びていてソールバーの底面に配置された第１チャネル開口部を有している第１チャネルを画定している。
【００５５】
様々な実施形態では、０．８ｍｍ＜ＴＦＳ＜３．０ｍｍである。様々な実施形態では、１．０ｍｍ＜ＴＦＳ＜２．５ｍｍである。
【００５６】
様々な実施形態では、第１チャネルは、第１チャネル長さＬ１を有し、本体は、ソール長さＬＢを有し、第１チャネル長さ対ソール長さの比は、次の不等式、即ち、０．３５＜Ｌ１／ＬＢ＜０．６７を満たしている。
【００５７】
様々な実施形態では、第１チャネルは、地平面から第１チャネルの最上点までの垂直方向距離を備える第１チャネル深さＨ１を画定し、本体は、地平面から本体の最上点までの垂直方向距離を備える本体高さＨＣＨを画定し、中央領域内の第１チャネル深さＨ１の平均値対本体高さＨＣＨの比は、次の不等式、即ち、０．０７＜Ｈ１ＡＶＧ／ＨＣＨ＜０．５０を満たしている。
【００５８】
様々な実施形態では、第１チャネルは、第１チャネル中心線を画定し、フェース部分はフェース平面を画定している。これらの実施形態では、第１チャネル中心線とフェース平面の地平面への投影点が、フェースからチャネルまでの距離Ｄ１を画定し、ソール部分はソール幅Ｄ３を画定し、中央領域内のフェースからチャネルまでの距離Ｄ１の平均値対中央領域内のソール幅Ｄ３の平均値の比は、次の不等式、即ち、０．１５＜Ｄ１／Ｄ３＜０．７１を満たしている。
【００５９】
様々な実施形態では、本体は、内部キャビティを画定し、本体は、次の不等式、即ち、１０ｃｃ＜Ｖ＜１２０ｃｃを満たす体積Ｖを有している。これらの実施形態の幾つかでは、本体は、次の不等式、即ち、４０ｃｃ＜Ｖ＜９０ｃｃを満たす体積Ｖを有している。これらの実施形態の幾つかでは、本体は、次の不等式、即ち、６０ｃｃ＜Ｖ＜８０ｃｃを満たす体積Ｖを有している。
【００６０】
様々な実施形態では、本体は、次の不等式、即ち、１５ｍｍ＜ＤＣＨ＜１００ｍｍを満たすクラブヘッド奥行ＤＣＨを画定している。これらの実施形態の幾つかでは、本体は、次の不等式、即ち、３０ｍｍ＜ＤＣＨ＜８０ｍｍを満たすクラブヘッド奥行を有している。これらの実施形態の幾つかでは、本体は、次の不等式、即ち、４０ｍｍ＜ＤＣＨ＜７０ｍｍを満たすクラブヘッド奥行を有している。
【００６１】
様々な実施形態では、アイアン型式ゴルフクラブ用のクラブヘッドは、ヒール部分と、ソール部分と、トウ部分と、トップライン部分と、フェース部分と、を有する本体を含んでおり、前記ソール部分は前記フェース部分の下端から後方へ延びており、本体は更に後部ボイドを画定している。フェース部分は、座標系の起点を画定している理想打球場所を含んでおり、当該座標系では、本体が通常のアドレス位置にあるとき、ｘ軸は理想打球場所におけるフェース部分に対する接線方向であって地平面に平行であり、ｙ軸はｘ軸に垂直に延び更に地平面に平行であり、ｚ軸は地平面に垂直に延びている。座標系では、正のｘ軸は起点からヒール部分の方へ延び、正のｙ軸は起点から後方へ延び、正のｚ軸は起点から上方へ延びている。本体は、−２５ｍｍ＜ｘ＜２５ｍｍの中央領域を含んでいる。中央領域内に包含されているソール部分は、フェース部分に隣接して配置されている前方ソール領域と前方ソール領域の後方に配置されているソールバーとを含み、前方ソール領域は、最小前方ソール厚さＴＦＳを有する壁を画定し、ソールバーは、最大ソールバー厚さＴＳＢを有する本体を画定しており、而して０．０５＜ＴＦＳ／ＴＳＢ＜０．４である。ソール部分は、実質的にソール部分のヒール−トウ方向に延びているスロットを含んでおり、スロットは、ソール部分を貫いて後部ボイドの中へと延びている経路の部分を画定している。
【００６２】
様々な実施形態では、スロットは、スロットのトウ部分に最も近い部分とスロットのヒール領域に最も近い部分の間の距離を備えるスロット長さを有しており、スロット長さは、約１５ｍｍから約８５ｍｍである。
【００６３】
様々な実施形態では、０．８ｍｍ＜ＴＦＳ＜３．０ｍｍである。
【００６４】
様々な実施形態では、スロットはスロット長さＬ１を有し、本体はソール長さＬＢを有し、スロット長さ対ソール長さの比は、次の不等式、即ち、０．３５＜Ｌ１／ＬＢ＜０．６７を満たしている。
【００６５】
様々な実施形態では、本体は、内部キャビティを画定しており、本体は、次の不等式、即ち、１０ｃｃ＜Ｖ＜１２０ｃｃを満たす体積Ｖを有している。
【００６６】
様々な実施形態では、充填材料がスロットの中に配置されている。様々な実施形態では、充填材料が２つ以上のチャネルの中に配置されている。
【００６７】
様々な実施形態では、フェース部分はフェース平面を画定しており、経路は、少なくとも１ｍｍの長さを有していて前記フェース平面との平行度３０°以内の下経路角度を画定している下経路部分と、少なくとも１ｍｍの長さを有していて前記フェース平面に対する直角度３０°以内の中間経路角度を画定している中間経路部分と、少なくとも１ｍｍの長さを有していて前記フェース平面との平行度３０°以内の上経路角度を画定している上経路部分と、を含んでいる。
【００６８】
様々な実施形態では、アイアン型式ゴルフクラブ用のクラブヘッドは、ヒール部分と、ソール部分と、トウ部分と、トップライン部分と、フェース部分と、を有する本体を含んでおり、前記ソール部分は前記フェース部分の下端から後方へ延びており、本体は更に後部ボイドを画定している。フェース部分は、座標系の起点を画定している理想打球場所を含んでおり、当該座標系では、本体が通常のアドレス位置にあるとき、ｘ軸は理想打球場所におけるフェース部分に対する接線方向であって地平面に平行であり、ｙ軸はｘ軸に垂直に延び更に地平面に平行であり、ｚ軸は地平面に垂直に延びている。座標系では、正のｘ軸は起点からヒール部分の方へ延び、正のｙ軸は起点から後方へ延び、正のｚ軸は起点から上方へ延びている。本体は、−２５ｍｍ＜ｘ＜２５ｍｍの中央領域を含んでいる。中央領域内に包含されているソール部分は、フェース部分に隣接して配置されている前方ソール領域と前方ソール領域の後方に配置されているソールバーとを含み、前方ソール領域は、最小前方ソール厚さＴＦＳを有する壁を画定し、ソールバーは、最大ソールバー厚さＴＳＢを有する本体を画定している。ソール部分は、実質的にソール部分のヒール−トウ方向に延びているスロットを含んでおり、スロットは、ソール部分を貫いて後部ボイドの中へと延びている経路の部分を画定しており、経路は、少なくとも１ｍｍの長さを有していて前記フェース平面との平行度３０°以内の下経路角度を画定している下経路部分と、少なくとも１ｍｍの長さを有していて前記フェース平面に対する直角度３０°以内の中間経路角度を画定している中間経路部分と、少なくとも１ｍｍの長さを有していて前記フェース平面との平行度３０°以内の上経路角度を画定している上経路部分と、を含んでいる。
【００６９】
様々な実施形態では、スロットは、スロットのトウ部分に最も近い部分とスロットのヒール領域に最も近い部分の間の距離を備えるスロット長さを有しており、スロット長さは、約１５ｍｍから約８５ｍｍである。
【００７０】
様々な実施形態では、０．８ｍｍ＜ＴＦＳ＜３．０ｍｍである。
【００７１】
様々な実施形態では、スロットはスロット長さＬ１を有し、本体はソール長さＬＢを有し、スロット長さ対ソール長さの比は、次の不等式、即ち、０．３５＜Ｌ１／ＬＢ＜０．６７を満たしている。
【００７２】
様々な実施形態では、本体は、内部キャビティを画定しており、本体は、次の不等式、即ち、１０ｃｃ＜Ｖ＜１２０ｃｃを満たす体積Ｖを有している。
【００７３】
様々な実施形態では、充填材料がスロットの中に配置されている。様々な実施形態では、充填材料が２つ以上のチャネルの中に配置されている。
【００７４】
様々な実施形態では、可撓性境界構造が、打球面内に画定されている場合、ソール部分内に画定されている場合、及びゴルフクラブヘッドの周辺内に画定されている場合を含め、ゴルフクラブヘッド上の様々な場所に見つけられる。様々なチャネルの場所、寸法、及び配列によって、各種性能特性を改変することができる。様々な可撓性境界構造の耐久性及び性能を提供するのに各種逃し機構を利用することができる。様々な実施形態では、可撓性境界構造は、ゴルフクラブヘッドの聴音プロファイルを改変し、それにより、ゴルフクラブヘッドの好ましい聴音プロファイルの分離を可能にさせる。
【００７５】
ここに記載されているゴルフクラブヘッドの上記及び他の特徴と利点は、添付図面に関連付けて進められる以下の詳細な説明から更に明白になるであろう。
【００７６】
１．アイアン型式ゴルフクラブヘッド
図１Ａは、ヒール１０２と、トウ１０４と、ソール部分１０８と、トップライン部分１０６と、ホーゼル１１４と、を有する本体１１３を含むアイアン型式ゴルフクラブヘッド１００を描いている。ゴルフクラブヘッド１００は、図１Ａには、通常のアドレス位置にあってソール部分１０８が完全に平坦であると想定される地平面１１１に載っている状態が示されている。ここでの使用に際し、「通常のアドレス位置」は、クラブフェースの中心に垂直なベクトルが実質的に第１垂直方向平面（即ち、垂直方向の平面とは地平面１１１に垂直である）に在り、ホーゼル１１４の中心軸１１５が実質的に第２垂直方向平面に在り、第１垂直方向平面と第２垂直方向平面が実質的に直角に交わっている、クラブヘッド位置を意味する。クラブフェースの中心は、２００５年３月２５日付け２．０改訂版ＵＳＧＡ「ゴルフクラブヘッドの可撓性を測定するための手順（Procedure for Measuring the Flexibility of a Golf Clubhead）」に記載されている手順を使って求められている。
【００７７】
地平面１１１に対し４５°の角度を成す線１９１の、クラブヘッド１００の外側面への下接点１９０は、ソール部分１０８とトウ１０４の間の分離境界を画定している。同様に、地平面１１１に対し４５°の角度を成す線１９３の、クラブヘッド１００の外側面への上接点１９２は、地平面１１１に対して４５度の角度を形成している線１９３の上接点１９２は、トップライン部分１０６とトウ１０４の間の分離境界を画定している。言い換えれば、クラブヘッドの下接点１９０より上の（図１Ａで見て）左側及び上接点１９２より下の（図１Ａで見て）左側の部分がトウ部分１０４である。
【００７８】
打球面１１０は、フェース平面１２５を画定しており、ゴルフボールとの衝突に備えて設計された溝１１２を含んでいる。一部の実施形態では、ゴルフクラブヘッド１００は、単一の単体鋳造品とすることができ、一方、他の実施形態では、打球板を別個に形成して、ゴルフクラブヘッド１００の本体１１３へ接着又は機械加工で取り付けてもよい。
【００７９】
図１Ａ及び図１Ｂは、更に、打球面１１０上の各々の直交するＣＧ軸上の理想打球場所１０１を示している。ここでの使用に際し、理想打球場所１０１は、フェース平面１２５内に位置していて、ゴルフクラブヘッドのＣＧｘ軸１０５（即ち、ＣＧ−ｘ）に沿った重心（ＣＧ）の場所と一致し、図１Ｂに示されている様に、フェース平面１２５内でリーディングエッジ１４２（ソール部分１０８とフェース平面１２５を接続する半径の中点と定義される）から１６．５ｍｍの距離ｄだけオフセットしている。ＣＧｘ軸１０５とＣＧｙ軸１０７とＣＧｚ軸１０３は理想打球場所１０１で交わり、直交するＣＧ軸の起点を画定している。ゴルフクラブヘッド１００が通常のアドレス位置にある状態で、ＣＧｘ軸１０５は、地平面１１１に平行であり、打球面１１０の理想打球場所１０１から延びる法線に垂直の向きにある。ＣＧｙ軸１０７も、地平面に平行であり、ＣＧｘ軸１０５に垂直である。ＣＧｚ軸１０３は、地平面に垂直の向きにある。加えて、ＣＧｚ上方軸１０９は、地平面１１１に垂直で、地平面１１１に起点を有する軸と定義されている。
【００８０】
一部の特定の実施形態では、望ましいＣＧ−ｙ場所は、ＣＧｙ軸１０７に沿ってクラブヘッドの後方部分に向かって約０．２５ｍｍから約２０ｍｍの間である。更に、望ましいＣＧ−ｚ場所は、先に説明されている様に、ＣＧｚ上方軸１０９に沿って約１２ｍｍから約２５ｍｍの間である。
【００８１】
ゴルフクラブヘッドは、中実（即ち「ブレード」及び「マッスルバック」）、中空、キャビティバック、又は他の構造であってもよい。図１Ｃは、中空構造を有するゴルフクラブヘッドの或る実施形態の、図１Ａに示されている１Ｃ−１Ｃ切断線に沿った切断側面図を示している。図１Ｄは、キャビティバック構造を有するゴルフクラブヘッドの或る実施形態の１Ｄ−１Ｄ切断線に沿った切断側面図を示している。１Ｃ，１Ｄ−１Ｃ，１Ｄ切断線は、打球面１１０の理想打球場所１０１を通っている。打球面１１０は、前面１１０ａと後面１１０ｂを含んでいる。中空アイアンゴルフクラブヘッドとキャビティバックアイアンゴルフクラブヘッドの実施形態はどちらも、更に、背部分１２８と前部分１３０を含んでいる。
【００８２】
図１Ａ−図１Ｄに示されている実施形態では、打球面１１０には、溝１１２が、ＣＧｘ軸に沿って理想打球場所１０１周りに中心を合わせるようにして、即ち、理想打球場所１０１が打球面平面１２５内の最も長いスコアライン溝１１２に垂直で且つその中点を通る仮想線上に位置するようにして、配置されている。他の実施形態（図面には示されていない）では、溝１１２はＣＧｘ軸に沿って理想打球場所１０１に対してトウ側又はヒール側へずらされていてもよいし、溝１１２は地平面１１１に平行でない軸に沿って整列していてもよいし、溝１１２はそれらの長さに沿って途切れを有していてもよいし、又は、溝は全く存在していなくてもよい。打球面１１０の表面の溝１１２の更に他の形状、整列、及び／又は向きも実施可能であろう。
【００８３】
図１Ａを参照すると、クラブヘッド１００は、ソール長さＬＢとクラブヘッド高さＨＣＨを有している。ソール長さＬＢは、地平面１１１へ投影された２点間の距離と定義されている。ソールのヒール側１１６は、ホーゼル軸１１５を地平面１１１へ投影した交点と定義されている。ソールのトウ側１１７は、下接点１９０（上述）を地平面１１１へ垂直方向に投影した交点と定義されている。ソールのヒール側１１６とトウ側１１７の間の距離が、クラブヘッドのソール長さＬＢである。クラブヘッド高さＨＣＨは、図１Ａに示されている様に、地平面１１１とｘ−ｚ平面内の投影されたクラブヘッドの最上点の間の距離と定義されている。
【００８４】
図１Ｂは、上述の、背部分１２８、前部分１３０、ソール部分１０８、トップライン部分１０６、及び打球面１１０、を含むゴルフクラブヘッド１００の、トウを立面視した図を描いている。リーディングエッジ１４２は、フェース平面１２５とソール部分１０８を接続する半径の中点によって画定されている。クラブヘッドは、クラブヘッドの前−後方向の奥行ＤＣＨを含んでおり、奥行は地平面１１１へ投影された２点間の距離である。クラブヘッドの前方端１１８は、リーディングエッジ１４２を地平面１１１へ投影した交点と定義されている。クラブヘッドの後方端１１９は、クラブヘッドの（ｙ−ｚ平面で見て）最も後方の点を地平面１１１へ投影した交点と定義されている。クラブヘッドの前方端１１８と後方端１１９の間の距離が、クラブヘッド奥行ＤＣＨである。
【００８５】
図１Ｃに示されている実施形態の様な、中空構造を有するアイアン型式ゴルフクラブヘッドの一部の特定の実施形態では、クラブヘッドの背部分１２８の後部突起１３８より上に陥凹部１３４が配置されている。背壁１３２が、クラブヘッドの背部分１２８全体を包封して内部キャビティ１２０を画定している。内部キャビティ１２０は、完全に又は部分的に中空であってもよいし、又は随意的に充填材料が詰められていてもよい。図１Ｃに示されている実施形態では、内部キャビティ１２０は、打球面の後面１１０ｂと背壁の内側面１３２ｂの間に保持されている振動減衰プラグ１２１を含んでいる。適した充填材料並びにプラグ１２１の性質及び構成材料に関連する詳細事項は、米国特許出願公開第２０１１／００２８２４０号に記載されており、同特許出願を参考文献としてここに援用する。
【００８６】
図１Ｃは、更に、外側背壁面１３２ａの一部に亘って延びていて上凹部と下凹部を形成している随意的な畝１３６を示している。内側背壁面１３２ｂは、キャビティ１２０の一部分を画定していて、外側背壁面１３２ａと内側背壁面１３２ｂの間の厚さを形成している。一部の実施形態では、背壁厚さは、約０．５ｍｍから約４ｍｍの厚さの間で変化している。クラブヘッド１００の下後方部分にはソールバー１３５が配置されている。ソールバー１３５は、打球板及びクラブヘッド１００の他の部分に対比して相対的に大きい厚さを有し、ひいてはクラブヘッド１００の質量の相当部分を占めており、その結果、クラブヘッド１００の重心（ＣＧ）は相対的に下後方に寄っている。ソールバー１３５にはチャネル１５０―後段で詳述―が形成されている。また、ソール部分１０８は、打球面１１０に隣接してその後方に配置されている前方部分１４４を有している。図１Ｃに示されている実施形態では、ソールの前方部分１４４は、チャネル１５０と打球面１１０の間の領域内に延びているソールの比較的薄肉の壁部分である。
【００８７】
図１Ｄは、更に、キャビティバックゴルフクラブヘッド１００のソールバー１３５を示している。ソールバー１３５は、打球板及びゴルフクラブヘッド１００の他の部分に対比して相対的に大きい厚さを有し、ひいてはクラブヘッド１００の質量の相当部分を占めており、その結果、クラブヘッド１００の重心（ＣＧ）は相対的に下後方に寄っている。図１Ｄに示されている実施形態は、更に、ソールの前方部分１４４であって、削減されたソール厚さを有していてソールバー１３５と打球面１１０の間に延びている前方部分１４４を含んでいる。ソールバー１３５の前方領域には、チャネル１５０―後段で詳述―が配置されている。
【００８８】
図１Ｅは、チャネル１５０を有する中空アイアンクラブヘッド１００の別の実施形態を示している。図１Ｃに示されている実施形態と同じ様に、クラブヘッド１００は、打球面１１０、トップライン１０６、ソール１０８、及び背壁１３２を含んでいる。ソールは、前方壁１５２と後方壁１５４によって画定されているチャネル１５０を有するソールバー１３５を含んでいる。ソールの前方部分１４４が、打球面１１０とスロットの前方壁１５２の間に配置されている。中空クラブヘッド１００は、図１Ｃに示されている様な振動減衰プラグ１２１を設置するのに適した開口１３３を含んでおり、それについては米国特許出願公開第２０１１／００２８２４０号に更に詳細に記載されており、同特許出願を参考文献として援用する。振動減衰プラグ１２１の設置により、開口１３３は有効にシールされる。
【００８９】
一部の実施形態では、中空アイアンクラブヘッド１００の体積は、約１０立方センチメートル（ＣＣ）から約１２０ｃｃの間であってもよい。例えば、一部の実施形態では、中空アイアンクラブヘッド１００は、約２０ｃｃから約１１０ｃｃの間の体積、例えば、約３０ｃｃから約１００ｃｃの間、約４０ｃｃから約９０ｃｃの間、約５０ｃｃから約８０ｃｃの間、約６０ｃｃから約８０ｃｃの間、などの体積を有していてもよい。加えて、一部の実施形態では、中空アイアンクラブヘッド１００は、約１５ｍｍから約１００ｍｍの間のクラブヘッド奥行ＤＣＨを有している。例えば、一部の実施形態では、中空アイアンクラブヘッド１００は、約２０ｍｍから約９０ｍｍの間のクラブヘッド奥行ＤＣＨ、例えば、約３０ｍｍから約８０ｍｍの間、約４０ｍｍから約７０ｍｍの間、などの奥行を有していてもよい。
【００９０】
ゴルフクラブヘッドの本体１１３へ取り付けられている別体の打球板を含んでいるゴルフクラブヘッド１００の一部の特定の実施形態では、打球板は、鍛造マルエージング鋼、マルエージングステンレス鋼、又は析出硬化（ＰＨ）ステンレス鋼、で形成することができる。概して、マルエージング鋼は、高い強度、硬度、及び展性を有している。マルエージング鋼は、炭素が少ないため、それらの強度を炭素以外の金属間物質の析出から引き出している。基本的な合金化元素は、ニッケルである（１５％乃至ほぼ３０％）。これらの鋼に金属間析出物を作り出す他の合金化元素には、コバルト、モリブデン、及びチタンが挙げられる。１つの実施形態では、マルエージング鋼はニッケルを１８％含有している。マルエージングステンレス鋼は、ニッケルがマルエージング鋼よりも少ないが、サビを防げる相当量のクロムを含んでいる。ニッケル含有量が削られているにもかかわらず、クロムが焼入性を増強し、確実に、鋼をそれが適切に熱処理されたときにマルテンサイトへ変態させる。別の実施形態では、打球板としてマルエージングステンレス鋼Ｃ４５５が利用されている。他の実施形態では、打球板は、１７−４、１７−５、又は１７−７の様な析出硬化ステンレス鋼である。
【００９１】
打球板は、上記材料の何れかを順送型の一連の金型で使用する熱圧鍛造によって鍛造することができる。鍛造後、打球板には熱処理が施される。例えば、１７−４ＰＨステンレス鋼鍛造品は、１０４０℃で９０分間熱処理され、次いで溶液焼き入れされる。別の例では、Ｃ４５５又はＣ４５０ステンレス鋼鍛造品は、８３０℃で９０分間溶液熱処理され、次いで焼き入れされる。
【００９２】
一部の実施形態では、ゴルフクラブヘッドの本体１１３は、１７−４鋼で作られている。しかしながら、炭素鋼（例えば、１０２０、１０３０、８６２０、又は１０４０炭素鋼）、クロム−モリブデン鋼（例えば、４１４０Ｃｒ−Ｍｏ鋼）、Ｎｉ−Ｃｒ−Ｍｏ鋼（例えば、８６２０Ｎｉ−Ｃｒ−Ｍｏ鋼）、オーステナイト系ステンレス鋼（例えば、３０４、Ｎ５０、又はＮ６０ステンレス鋼（例えば、４１０ステンレス鋼））の様な別の材料を使用することもできる。
【００９３】
以上に記されているものに加え、説明されている諸部分の構成要素を形成するのに使用することのできる金属及び合金の一部の例には、限定するわけではないが、チタン合金（例えば、３−２．５、６−４、ＳＰ７００、１５−３−３−３、１０−２−３、又は他のアルファ／ニアアルファ、アルファ−ベータ、及びベータ／ニアベータのチタン合金）、アルミニウム／アルミニウム合金（例えば、３０００番台合金、５０００番台合金、６０６１−Ｔ６の様な６０００番台合金、及び、７０７５の様な７０００番台合金）、マグネシウム合金、銅合金、及びニッケル合金が挙げられる。
【００９４】
更に他の実施形態では、ゴルフクラブヘッドの本体１１３及び／又は打球板は、繊維補強ポリマー複合材料から作られており、均質であることを要件としていない。複合材料及び複合材料を備えるゴルフクラブ構成要素の例は、米国特許出願公開第２０１１／０２７５４５１号に記載されており、同出願をここに参考文献としてそっくりそのまま援用する。
【００９５】
ゴルフクラブヘッドの本体１１３は、ＣＧ位置、振動制御又は減衰、又は音響制御又は減衰、のために使用されるものとしての加重要素、カートリッジ、及び／又は、インサート又は適用物体、の様な様々な特徴を含むことができる。例えば、米国特許第６，８１１，４９６号は、ここに参考文献としてそっくりそのまま援用されるものであり、質量改変ピン又はカートリッジ加重要素の付属品を開示している。
【００９６】
打球板及びゴルフクラブヘッドの本体１１３が形成された後、溶接に先立ち、打球板と本体部分１１３の接触面は確実に良好な接合部接触面がもたらされるように仕上げの機械加工が施されてもよい。一部の実施形態では、接触面は、仕上げの機械加工及び係合が容易になるように平面状をしている。
【００９７】
２．可撓性境界構造を有するアイアン型式ゴルフクラブヘッド
ここに説明されているアイアン型式ゴルフクラブヘッドの一部の実施形態では、可撓性境界構造（「ＦＢＳ」）が、クラブヘッドの１つ又はそれ以上の場所に設けられている。可撓性境界構造は、幾つかの実施形態では、ゴルフクラブヘッドの隣接部分又は関連部分の屈曲する又は撓む能力を高めそれによりゴルフクラブヘッドの性能における所望の改善を提供するスロット、チャネル、ギャップ、薄肉又は脆弱領域、又は他の構造、を備えていてもよい。例えば、幾つかの実施形態では、可撓性境界構造は、ゴルフスイング中のゴルフボールとの衝突時の打球面の撓みを増進させるためにゴルフクラブヘッドの打球面に近接して配置されている。打球面の撓みが増進すると、例えばゴルフクラブヘッドの反発係数（「ＣＯＲ」）の増加がもたらされる。他の実施形態では、打球面の周辺可撓性の増加は、チャネル、スロット、又は他の可撓性境界構造の不存在下にゴルフボールを打った際に起こる撓みに比較して、打球面の異なった場所を及び／又は打球面を異なった具合に撓ませることになる。
【００９８】
図２Ａ−図２Ｃを参照すると、可撓性境界構造を有するキャビティバックゴルフクラブヘッド２００の或る実施形態が示されている。実施形態では、可撓性境界構造は、クラブヘッドのソールに配置されているチャネル２５０である。以上に説明されている様に、可撓性境界構造は、スロット、チャネル、ギャップ、薄肉又は脆弱領域、又は他の構造、を備えていてもよいとされていることに留意されたい。また一方、明解さを期し、ここでの説明は、以下に説明されている幾つかの実施形態に含まれている、例えば図２Ａ−図２Ｃに描かれているチャネル２５０の様なチャネル又はスロットを包含している実施形態に限定しているが、ここに記載されている恩恵を実現するべく他の可撓性境界構造が使用されてもよいものと理解されたい。
【００９９】
チャネル２５０は、ソール２０８の或る領域に亘って打球面平面２２５に概ね平行に打球面平面２５５から後方へ離間されて延びている。チャネルは、ソールバー２３５の前方部分の中へ延びていて当該部分によって画定されており、前方壁２５２、後方壁２５４、及び上方壁２５６が画定されている。チャネル開口部２５８は、クラブヘッドのソール部分２０８に画定されている。前方壁２５２は、更に、その一部が、ソールの前方部分２４４から前方壁２５２への移行部に位置する第１ヒンジ領域２６０と、前方壁２５２の上方領域からソールバー２３５への移行部に位置する第２ヒンジ領域２６２と、を画定している。第１ヒンジ領域２６０と第２ヒンジ領域２６２は、ゴルフクラブヘッドの、チャネル２５０の存在に因るゴルフクラブヘッドの打球面２１０の撓み増加に寄与している部分である。具体的には、第１ヒンジ領域２６０と第２ヒンジ領域２６２の形状、寸法、及び向きは、ゴルフクラブヘッドのこれらの領域がゴルフボール衝突の荷重下に屈曲するように設計されている。第１ヒンジ領域２６０と第２ヒンジ領域２６２の屈曲性はひいては打球面２１０の追加の撓みを生み出す。
【０１００】
クラブヘッド２００及びチャネル２５０の寸法、形状、及び向きの幾つかの態様が、図２Ａ−図２Ｈに示されている実施形態に描かれている。例えば、ｙ−ｚ平面内に画定されているクラブヘッドのそれぞれの断面について、フェースからチャネルまでの距離Ｄ１は、地平面２１１上のフェース平面投影点２２６とチャネル中心線投影点２２７の間を測定した距離である。（図２Ｆ参照）。フェース平面投影点２２６は、打球面平面２２５を地平面２１１へ投影した交点と定義されている。チャネル中心線投影点２２７は、チャネル中心線２２９を地平面２１１へ投影した交点と定義されている。チャネル中心線２２９は、次の通り求められる。
【０１０１】
図２Ｄ−図２Ｅを参照すると、クラブヘッド２００の、チャネル２５０の領域を包囲及び包含している部分の外側面の略外形２４９が示されている。略外形は、内部側２４９ａと外部側２４９ｂを有している。前方ソール外面２０８ａがチャネル２５０の前方側を延び、後方ソール外面２０８ｂがチャネル２５０の後方側を延びている。チャネルは、前方壁外面２５２ａ、後方壁外面２５４ａ、及び上方壁外面２５６ａを有している。前方チャネル進入点２６４は、前方ソール外面２０８ａと前方壁外面２５２ａの間に位置する局所最小半径（ｒｍｉｎ、略外形２４９の内部側２４９ａから測定）を有する曲線部の中点と定義されている。後方チャネル進入点２６５は、後方ソール外面２０８ｂと後方壁外面２５４ａの間に位置する局所最小半径（ｒｍｉｎ、同じく略外形２４９の内部側２４９ａから測定）を有する曲線部の中点と定義されている。前方チャネル進入点２６４と後方チャネル進入点２６５をつなぐ仮想線２６６がチャネル開口部２５８を画定している。仮想線２６６の中点２６６ａは、チャネル中心線２２９を画定している２つの点の一方である。チャネル中心線２２９を画定している他方の点は、上方チャネル頂点２６７であって、前方壁外面２５２ａと後方壁外面２５４ａの間に位置する局所最小半径（ｒｍｉｎ、略外形２４９の外部側２４９ｂから測定）を有する曲線部の中点と定義されている。前方壁２５２と後方壁２５４の間のチャネル上端に配置されている１つ又はそれ以上の平坦区画又は平坦面を有する或る実施形態では、上方チャネル頂点２６７は平坦区画又は平坦面の中点と定義される。
【０１０２】
クラブヘッド２００及びチャネル２５０の寸法、形状、及び向きの別の態様は、ソール幅である。例えば、ｙ−ｚ平面内に画定されているクラブヘッドのそれぞれの断面について、ソール幅Ｄ３は、地平面２１１上のフェース平面投影点２２６とトレーリングエッジ投影点２４６の間を測定した距離である。（図２Ｆ参照）。フェース平面投影点２２６は以上に定義されている。トレーリングエッジ投影点２４６は、クラブヘッド２００のトレーリングエッジ２４５を通る仮想垂直方向線の地平面２１１との交点である。トレーリングエッジ２４５は、ソール部分２０８から背壁２３２又はクラブヘッドの背部分２２８の他の構造までの移行部を構成している半径の中点又は地点と定義されている。
【０１０３】
クラブヘッド２００とチャネル２５０の寸法、形状、及び向きの更に別の態様は、チャネルから後部までの距離Ｄ２である。例えば、ｙ−ｚ平面内に画定されているクラブヘッドのそれぞれの断面について、チャネルから後部までの距離Ｄ２は、地平面２１１上のチャネル中心線投影点２２７とトレーリングエッジ２４５を地平面へ垂直に投影した点の間を測定した距離である。（図２Ｆ参照）。結果として、それぞれのその様な断面について、Ｄ１＋Ｄ２＝Ｄ３である。
【０１０４】
図３Ａ−図３Ｂは、可撓性境界構造として働くチャネル３５０を有するゴルフクラブヘッド３００の２つの実施形態を示している。２つの実施形態は、理想打球場所３０１で切断された断面で測定したそれぞれの実施形態のフェースからチャネルまでの距離Ｄ１を別にすれば、同様に設計されている。図３Ａに示されているクラブヘッド実施形態は、図３Ｂに示されている実施形態のフェースからチャネルまでの距離Ｄ１より実質的に大きいフェースからチャネルまでの距離Ｄ１を含んでいるが、実施形態それぞれのソール幅Ｄ３（理想打球場所３０１で切断された同じ断面で測定）は同じである。
【０１０５】
ここに説明されている実施形態によるチャネル３５０を含んでいるクラブヘッドの数例についてフェースからチャネルまでの距離Ｄ１、チャネルから後部までの距離Ｄ２、ソール幅Ｄ３、及び、Ｄ１／Ｄ３、Ｄ２／Ｄ３、Ｄ１／Ｄ２の比、の幾つかの例示としての値を下表１に載せている。表１に報告されている測定値は、クラブヘッドの理想打球場所３０１の各側（即ち、トウ側及びヒール側）へ２５ｍｍ延在する部分に亘っての、フェースからチャネルまでの平均距離（Ｄ１）、チャネルから後部までの平均距離（Ｄ２）、及びソール平均幅（Ｄ３）の測定値である。ここでの使用に際し、「フェースからチャネルまでの平均距離（Ｄ１）」、「チャネルから後部までの平均距離（Ｄ２）」、及び「ソール平均幅（Ｄ３）」という用語は、複数のＤ１、Ｄ２、又はＤ３測定値の平均を指しており、前記複数のＤ１、Ｄ２、又はＤ３測定値は、理想打球場所３０１を通る第１の垂直方向平面であって理想打球場所３０１で打球面３１０に直角に引かれたベクトルを包含する第１の垂直方向平面及び第１の垂直方向平面に平行であって理想打球場所３０１の各側に１ｍｍの一定増分で離間させた複数の追加の垂直方向平面を含む複数の仮想平行垂直方向平面内で取られている。
【０１０６】
【表１】
2015128580.tif 000003
【０１０７】
図２Ａ−図２Ｃに戻って、クラブヘッド２００及びチャネル２５０の設計の更なる態様は、チャネル幅Ｗ１、チャネル長さＬ１、及びチャネル深さＨ１を含んでいる。チャネル幅Ｗ１は、水平方向平面（即ち、地平面２１１に平行な平面）における、チャネル２５０の所与の断面でのチャネルの前方壁２５２と後方壁２５４の間の距離の測定値である。チャネル長さＬ１は、概して、クラブヘッドのソール２０８上のチャネルの最もトウ寄りの点とチャネルの最もヒール寄りの点の間の距離の測定値であり、チャネル２５０の如何なる曲率も考慮に入れていない。チャネル深さＨ１は、概して、クラブヘッド２００が地平面２１１に載っているときの地平面２１１からチャネル上方壁２５６のチャネル内側面の（ｙ−ｚ平面で）最も高い点までの距離の測定値である。図２Ａ−図２Ｃに示されている様に、一部の実施形態では、チャネル２５０は、その全長に亘って一定幅Ｗ１及び一定深さＨ１を含んでいる。他の実施形態では、所望の設計及び／又は性能上の目的を実現するべく、これら３つのパラメータのうちの１つ又はそれ以上が変えられてもよい。
【０１０８】
図４Ａ−図４Ｂは、可撓性境界構造として働くチャネル４５０を有するゴルフクラブヘッド４００の２つの実施形態を描いている。２つの実施形態は、それぞれの実施形態のチャネル幅Ｗ１を別にすれば、同様に設計されている。図４Ａに示されているクラブヘッド実施形態は、一定チャネル幅Ｗ１であって図４Ｂに示されている実施形態の（同様に一定の）チャネル幅Ｗ１より実質的に小さいチャネル幅Ｗ１を含んでいる。他の実施形態では、チャネルは、一定でない幅Ｗ１を有していてもよい。それらの実施形態では、平均チャネル幅Ｗ１が求められよう。ここでの使用に際し、「平均チャネル幅Ｗ１」という用語は、複数のＷ１測定値の平均を指しており、複数のＷ１測定値は、地平面４１１より上のチャネル高さＨ１の２分の１に等しい距離に位置する点を通る第１の水平方向平面及び第１の水平方向平面に平行であって第１の水平方向平面より上及び下に０．５ｍｍの一定増分で離間させた複数の追加の水平方向平面を含む複数の仮想平行水平方向平面内で取られている。最も上の仮想平行水平方向平面は、地平面４１１より上のチャネル高さＨ１の８０％の高さに位置し、最も下の仮想平行水平方向平面は、地平面４１１より上のチャネル高さＨ１の少なくとも２０％の高さに位置している。仮想平行水平方向平面は全て、チャネルの前方壁４５２及びチャネルの後方壁４５４に位置する点を含んでいなくてはならない。ここに説明されているクラブヘッドの一部の実施形態では、平均チャネル幅Ｗ１は、約０．５０ｍｍから約１０．０ｍｍとされ、例えば、約１．０ｍｍから約４．０ｍｍ、約１．２５ｍｍから約２．５ｍｍ、などであってもよい。１つの実施形態では、平均チャネル幅Ｗ１は、約１．７５ｍｍである。
【０１０９】
一部の実施形態では、チャネル開口部２５８のチャネル幅Ｗ１は、例えばゴルフボールがクラブヘッド２００で打たれたときにチャネルの前方壁２５２と後方壁２５４を互いに接触させないだけの広さがありながらも、チャネル開口部２５８のチャネル幅Ｗ１は、より幅広のチャネル開口部２５８を有するチャネルに比べて土や芝生や他の物質のチャネル２５０進入量が少なくなるように十分に狭い。例えば、一部の実施形態では、チャネル開口部２５８のチャネル幅Ｗ１は、約０．５ｍｍから約５ｍｍとされ、例えば、約１．０ｍｍから約４ｍｍ、約１．２５ｍｍから約３ｍｍ、などであってもよい。
【０１１０】
図５Ａ−図５Ｂは、可撓性境界構造として働くチャネル５５０を有するゴルフクラブヘッド５００の２つの実施形態を描いている。２つの実施形態は、それぞれの実施形態のチャネル深さＨ１を別にすれば、同様に設計されている。図５Ａに示されているクラブヘッド実施形態は、図５Ｂに示されている実施形態の（同様に一定の）チャネル深さＨ１より実質的に小さい一定チャネル深さＨ１を含んでいる。他の実施形態では、チャネルは、一定でない深さＨ１を有していてもよい。それらの実施形態では、最大チャネル深さＨ１ＭＡＸ及び平均チャネル深さＨ１ＡＶＧが求められよう。ここでの使用に際し、「最大チャネル深さＨ１ＭＡＸ」という用語は、チャネルの全長に亘って発現しているチャネル深さＨ１の最大値を指す。ここでの使用に際し、「平均チャネル深さＨ１ＡＶＧ」は、Ｈ１測定値の平均を指しており、複数のＨ１測定値は、理想打球場所５０１を通る第１の垂直方向平面であって理想打球場所５０１で打球面５１０に直角に引かれたベクトルを包含する第１の垂直方向平面及び第１の垂直方向平面に平行であって理想打球場所５０１の各側に１ｍｍの一定増分で離間させた複数の追加の垂直方向平面を含む複数の仮想平行垂直方向平面内で取られている。
【０１１１】
ここに説明されている実施形態によるチャネルを含むクラブヘッドの数例について、平均チャネル深さＨ１ＡＶＧ、最大チャネル深さＨ１ＭＡＸ、クラブヘッド高さＨＣＨ、及び、Ｈ１ＡＶＧ／ＨＣＨ及びＨ１ＭＡＸ／ＨＣＨの比、の幾つかの例示としての値を下表２に載せている。
【０１１２】
【表２】
2015128580.tif 000004
【０１１３】
図６Ａ−図６Ｂは、可撓性境界構造として働くチャネル６５０を有するゴルフクラブヘッド６００の２つの実施形態を描いている。２つの実施形態は、それぞれの実施形態のチャネル長さＬ１を別にすれば、同様に設計されている。図６Ａに示されているクラブヘッド実施形態は、図６Ｂに示されている実施形態のチャネル長さＬ１より実質的に短いチャネル長さＬ１を含んでいる。ここに説明されているクラブヘッドの一部の実施形態では、チャネル長さＬ１は、約１５ｍｍから約６２ｍｍとされ、例えば、約４０ｍｍから約５７ｍｍ、約４５ｍｍから約５５ｍｍ、などであってもよい。１つの実施形態では、チャネル長さＬ１は約５０ｍｍである。
【０１１４】
ここに説明されている実施形態によるチャネルを含むクラブヘッドの数例について、チャネル長さＬ１、ソール長さＬＢ、及びＬ１／ＬＢの比、の幾つかの例示としての値を下表３に載せている。
【０１１５】
【表３】
2015128580.tif 000005
【０１１６】
ここに説明されている実施形態によるチャネルを含むクラブヘッドの数例について、チャネル長さＬ１、平均チャネル深さＨ１ＡＶＧ、最大チャネル深さＨ１ＭＡＸ、及び、Ｈ１ＡＶＧ／Ｌ１及びＨ１ＭＡＸ／Ｌ１の比、の幾つかの例示としての値を下表４に載せている。
【０１１７】
【表４】
2015128580.tif 000006
【０１１８】
図２Ａ−図２Ｈ、特に図２Ｇへ戻って、クラブヘッド２００とチャネル２５０の設計の更に他の態様は、少なくともクラブヘッドの以下の３つの部分の壁及び構成要素の厚さを含んでいる。第１壁厚さＴ１は、第１ヒンジ領域２６０の厚さの測定値である。第２壁厚さＴ２は、第２ヒンジ領域２６２の厚さの測定値である。前方ソール壁最小厚さＴＦＳは、ソールの前方部分２４４、即ち、ソール２０８の打球面２１０とチャネル２５０の間に位置する部分、の最小厚さ（垂直方向平面で測定）の測定値である。ソールバー最大厚さＴＳＢは、ソールバー２３５のチャネル２５０の後方に位置する部分の最大厚さ（垂直方向平面で測定）の測定値である。図２Ａ−図２Ｃに示されている様に、一部の実施形態では、クラブヘッド２００は、第１ヒンジ領域２６０、第２ヒンジ領域２６２、及びソールの前方部分２４４を含んでおり、それらは、それぞれ、自身の全長に亘って一定厚さを有している。他の実施形態では、所望の設計及び／又は性能上の目的を実現するべく、これら３つのパラメータのうちの１つ又はそれ以上が変えられてもよい。
【０１１９】
図７Ａ−図７Ｂは、可撓性境界構造として働くチャネル７５０を有するゴルフクラブヘッド７００の２つの実施形態を描いている。２つの実施形態は、それぞれの実施形態のチャネル７５０の向き及びその結果としての第１ヒンジ領域の厚さＴ１の変化を別にすれば、同様に設計されている。図７Ａに示されているクラブヘッド実施形態は、図７Ｂに示されている実施形態の第１ヒンジ領域厚さＴ１より実質的に小さい／薄い第１ヒンジ領域厚さＴ１を含んでいる。ここに説明されているクラブヘッドの一部の実施形態では、第１ヒンジ領域厚さＴ１は、約０．５ｍｍから約５．０ｍｍとされ、例えば、約１．０ｍｍから約３．０ｍｍ、約１．２ｍｍから約２．０ｍｍ、などであってもよい。１つの実施形態では、第１ヒンジ領域厚さＴ１は約１．５ｍｍである。
【０１２０】
図８Ａ−図８Ｂは、可撓性境界構造として働くチャネル８５０を有するゴルフクラブヘッド８００の２つの実施形態を描いている。２つの実施形態は、それぞれの実施形態のチャネル８５０の向き及びその結果としての第２ヒンジ領域厚さＴ２の変化を別にすれば、同様に設計されている。図８Ａに示されているクラブヘッド実施形態は、図８Ｂに示されている実施形態の第２ヒンジ領域厚さＴ２より実質的に小さい／薄い第２ヒンジ領域厚さＴ２を含んでいる。ここに説明されているクラブヘッドの一部の実施形態では、第２ヒンジ領域厚さＴ２は、約０．５ｍｍから約５．０ｍｍとされ、例えば、約１．０ｍｍから約２．５ｍｍ、約１．２ｍｍから約２．０ｍｍ、などであってもよい。１つの実施形態では、第２ヒンジ領域厚さＴ２は約１．５ｍｍである。
【０１２１】
ここに説明されている実施形態によるチャネルを含むクラブヘッドの数例について、前方ソール最小厚さＴＦＳ、ソールバー最大厚さＴＳＢ、及びＴＦＳ／ＴＳＢの比、の幾つかの例示としての値を下表５に載せている。
【０１２２】
【表５】
2015128580.tif 000007
【０１２３】
再び図２Ａ−図２Ｃに戻って、図示の実施形態に示されているチャネル２５０は、打球面２１０に概ね平行で且つ後方チャネル壁２５４にも概ね平行な前方チャネル壁２５２を含んでいる。結果として、チャネル幅Ｗ１は、チャネルの深さに亘って実質的に一定である。図９に示されている代わりの実施形態では、クラブヘッド９００は、前方チャネル壁９５２、後方チャネル壁９５４、及び上方チャネル壁９５６を有するチャネル９５０を含んでいる。前方チャネル壁９５２と後方チャネル壁９５４は、互いに平行でなく、内抱角βを画定しており、内抱角は０°より僅かに大きい角度から約２５°又はそれ以上であってもよい。
【０１２４】
３．チャネル／スロット外形の形状と向き
以上に説明されている実施形態のそれぞれでは、チャネルは、前方壁、後方壁、及び上方壁によって画定されており、クラブヘッドのソール部分に形成されているチャネル開口部を有している。従って、以上に説明されているチャネルのそれぞれは、チャネル開口部を別にすれば、その前方端、後方端、及び上方端が閉鎖されている。代わりの実施形態では、閉鎖されたチャネルの代わりに、チャネル壁の１つ又はそれ以上を貫いて延びている１つ又はそれ以上の開口部を有するチャネル、及び／又は上方壁を持たないスロットであってそれが配置されているクラブヘッドのソール部分（又は他の部分）を完全に貫いて延びていているスロットが提供されていてもよい。
【０１２５】
例えば、図１７Ａ−図１７Ｂ及び図１８Ａ−図１８Ｃに示されている実施形態では、キャビティバックアイアンゴルフクラブヘッド１７００は、前方壁１７５２、後方壁１７５４、及び上方壁１７５６によって、一部が画定されているチャネル１７５０を含んでいる。クラブヘッドは、更に、以上に記載の実施形態に関連して説明されている様に、トップライン１７０６、打球面１７１０、ソールの前方部分１７４４、及びソールバー１７３５を含んでいる。更に、代わりの実施形態（図１７Ａ−図１７Ｂ及び図１８Ａ−図１８Ｃに示されていない）では、クラブヘッド１７００は、中空アイアン（例えば、図１Ｃ及び図１Ｅ参照）を備えていてもよい。
【０１２６】
チャネルの前方壁１７５２に、１つ又はそれ以上の切り抜き又は窓１７９４が設けられている。例えば、図１８Ａ−図１８Ｂ参照。それぞれの窓１７９４は、前方チャネル壁１７５２の可撓性を高め、それにより、チャネル１７５０によって提供されている可撓性境界構造（ＦＢＳ）の、屈曲するか又は撓んでそれによりゴルフクラブヘッドの性能における所望の改善を提供する能力を高める。示されている実施形態では、前方壁１７５２は、前方壁１７５２のヒール−トウ方向の長さに沿って概ね等間隔に離間されている３つの切り抜き又は窓１７９４を含んでいる。代わりの実施形態では、より少ない（例えば１つ又は２つ）又はより多い（例えば、４つ又はそれ以上）の切り抜き又は窓１７９４が設けられていてもよい。
【０１２７】
例の窓１７９４は長円形を有しているが、他の形状（例えば、円形、卵形、楕円形、三角形、方形、矩形、台形、他）も実施可能である。図１８Ｃを参照して、示されている例では、代表的な切り抜き又は窓１７９４は、窓１７９４の最もトウ寄りの端と最もヒール寄りの端の間の距離に相当する長さＬＷと、窓１７９４の最もクラウン寄りの端と最もソール寄りの端の間の距離に相当する高さＨＷを有している。長さＬＷは、約１ｍｍからチャネル１７５０の長さＬ１と同程度、例えば約８５ｍｍまで、であってもよい（例えば、窓１７９４を１つしか含んでいない実施形態）。前方壁が３つの窓１７９４を含んでいる図１８Ａ−図１８Ｂに示されている実施形態では、窓は、それぞれ、約３ｍｍから約１８ｍｍの長さＬＷ、例えば、約６ｍｍから約１５ｍｍ、約８ｍｍから約１２ｍｍ、などの長さＬＷ、を有している。高さＨＷは、約０．５ｍｍからチャネル１７５０の高さＨ１と同程度、例えば約２５ｍｍまで、であってもよい。図１８Ａ−図１８Ｂに示されている実施形態では、窓は、それぞれ、約０．５ｍｍから約１５ｍｍの高さＨＷ、例えば、約１ｍｍから約１２ｍｍ、約１．５ｍｍから約８ｍｍ、などの高さＨＷ、を有している。
【０１２８】
図面には示されていないが、代わりの実施形態では、１つ又はそれ以上の窓又は切り抜きは、チャネル後方壁１７５４を貫いて形成され、ソールバー１７３５を貫いて延びていて、クラブヘッドの後方に面する面に出口ポートが設けられていてもよい。
【０１２９】
図１０Ａ−図１０Ｂを参照して、別の例では、キャビティバックアイアンクラブヘッド１０００は、ソール１００８を完全に貫きクラブヘッドの背部分の陥凹部１０３４の中まで延びているスロット１０５０を含んでいる。或る代わりの実施形態（図１０Ａ−図１０Ｂには示していない）では、中空アイアン（例えば、図１Ｃ参照）は、ソールを完全に貫きクラブヘッドの内部キャビティの中まで延びているスロットを含んでいてもよい。
【０１３０】
図１０Ａに示されている実施形態は、更に、クラブヘッドのソールを見たときに非直線状の湾曲した形状を有する開口部１０５８を備えたスロット１０５０を示している。他の実施形態では、スロット１０５０は、直線状であってもよいし、図１０Ａに示されている実施形態とは異なる湾曲形状を有していてもよく、それらのうちの幾つかが以下に説明されている。示されている例では、スロット開口部１０５８は、連続していて、第１曲線領域１０７０と第２曲線領域１０７２を含んでいる。第１曲線領域１０７０と第２曲線領域１０７２のそれぞれは、概ね半円形状を画定している。第１曲線領域１０７０は、第１曲線領域１０７０がリーディングエッジ１０４２に最も近接している点を表していてクラブヘッド１０００のトウ寄り２分の１に位置する頂点１０７０ａを有している。第２曲線領域１０７２は、第２曲線領域１０７２がリーディングエッジ１０４２に最も近接している点を表していてクラブヘッド１０００のヒール寄り２分の１に位置する頂点１０７２ａを有している。中央接続領域１０７３は、第１曲線領域１０７０と第２曲線領域１０７２を接続しており、典型的には、ＣＧｘ軸１０５の０座標又はその付近に中心がある。
【０１３１】
スロット１０５０は、ソールの前方部分１０４４の後方で且つソールバー１０３５の前方に配置されている。スロット１０５０は、フェースからスロットまでの距離Ｄ１を有しており、距離Ｄ１は、第１曲線領域１０７０と第２曲線領域１０７２の曲率に因り、スロット１０５０の長さに亘って可変である。図１０Ａ−図１０Ｂに示されている実施形態では、フェースからスロットまでの距離は、以上に図２Ａ−図２Ｈ及び図３Ａ−図３Ｂに関連して説明されている実施形態のフェースからチャネルまでの距離Ｄ１の範囲に匹敵するものであってもよい。スロット１０５０は、更に、スロット長さＬ１を有しており、長さＬ１は、以上に図２Ａ−図２Ｈ及び図６Ａ−図６Ｂに関連して説明されている実施形態のチャネル長さＬ１の範囲に匹敵するものであってもよい。スロット１０５０は、更に、スロット幅Ｗ１を有しており、幅Ｗ１は、以上に図２Ａ−図２Ｈ及び図４Ａ−図４Ｂに関連して説明されている実施形態のチャネル幅Ｗ１の範囲に匹敵するものであってもよい。加えて、示されている実施形態では、ソールの前方部分１０４４は、前方ソール壁最小厚さＴＦＳを有しているものであり、厚さＴＦＳは、以上に図２Ａ−図２Ｈ及び図８Ａ−図８Ｂに関連して説明されている実施形態の前方ソール壁最小厚さＴＦＳの範囲に匹敵するものであってもよい。
【０１３２】
一部の代わりの実施形態（図面には示されていない）では、アイアンクラブヘッド１０００はソール１００８を完全に貫いて延びているスロット１０５０を含んでいるものであり、ソールの前方部分１０４４は、以上に図２Ａ−図２Ｈ及び図８Ａ−図８Ｂに関連して説明されている実施形態の前方ソール壁最小厚さＴＦＳの範囲より大きい前方ソール壁最小厚さＴＦＳを有していてもよい。例えば、これらの代わりの実施形態では、前方ソール壁最小厚さＴＦＳは、約５ｍｍから約１５ｍｍとされ、例えば、約５ｍｍから約１２ｍｍ、約５ｍｍから約８ｍｍ、などであってもよい。
【０１３３】
次に図１９Ａ−図１９Ｂ及び図２０Ａ−図２０Ｂを参照すると、ソールスロット１９５０を有するキャビティバックアイアンゴルフクラブヘッド１９００の例が示されている。クラブヘッドは、更に、以上に記載の実施形態に関連して説明されている様に、トップライン１９０６、打球面１９１０、ソールの前方部分１９４４、及びソールバー１９３５を含んでいる。スロット１９５０は、ソール１９０８を貫いてクラブヘッド１９００の背部分の陥凹部１９３４の中への通路を画定している。また、代わりの実施形態（図１９Ａ−図１９Ｂ及び図２０Ａ−図２０Ｂには示されていない）では、クラブヘッド１９００は、中空アイアン（例えば図１Ｃ及び図１Ｅ参照）を備えていてもよく、その場合、スロット１９５０はソール１９０８を貫いてクラブヘッドの内部キャビティ１２０の中への通路を提供する。ここでの使用に際し「後部ボイド」という用語は、キャビティバックアイアンゴルフクラブヘッドの陥凹部１９３４か又は中空ゴルフクラブヘッドの内部キャビティ１２０のどちらか又は両方を指すものとする。
【０１３４】
スロット１９５０は、ソール１９０８の、ソール前方部分１９４４の後方で且つソールバー１９３５の前方に配置されている。スロット１９５０は、フェースからスロットまでの距離Ｄ１を有しており、距離Ｄ１は、以上に図２Ａ−図２Ｈ及び図３Ａ−図３Ｂに関連して説明されている実施形態のフェースからチャネルまでの距離Ｄ１の範囲に匹敵するものであってもよい。スロット１９５０は、更に、スロット長さＬ１を有しており、長さＬ１は、以上に図２Ａ−図２Ｈ及び図６Ａ−図６Ｂに関連して説明されている実施形態のチャネル長さＬ１の範囲に匹敵するものであってもよい。スロット１９５０は、更に、スロット幅Ｗ１を有しており、幅Ｗ１は、以上に図２Ａ−図２Ｈ及び図４Ａ−図４Ｂに関連して説明されている実施形態のチャネル幅Ｗ１の範囲に匹敵するものであってもよい。加えて、示されている実施形態では、ソールの前方部分１９４４は、前方ソール壁最小厚さＴＦＳを有するものであって、厚さＴＦＳは、以上に図２Ａ−図２Ｈ及び図８Ａ−図８Ｂに関連して説明されている実施形態の前方ソール壁最小厚さＴＦＳの範囲に匹敵するものであってもよい。
【０１３５】
クラブヘッドの断面図は、クラブヘッドの中央領域のスロット１９５０の形状の外形を示している。図示されている様に、例えば、図１９Ａ−図１９Ｂ及び図２０Ａ−図２０Ｂでは、ソールバー１９３５は、スロット１９５０の口より上の空間の中へ延びている張り出し部材１９９６を含んでいる。図１９Ａ−図１９Ｂの実施形態では、張り出し部材１９９６は、ソールバー１９３５の前方に面する部分の高さの実質的部分に亘って延びているのに対して、図２０Ａ−図２０Ｂの実施形態では、張り出し部材１９９６は、スロット１９５０の口より上のソールバー１９３５の前方に面する部分から延びる細い棚を備えている。一部の実施形態では、張り出し部材１９９６の場所及び重量は、張り出し部材１９９６を含んでいないクラブヘッドに比べて、望ましいＣＧ前方移動をもたらすことができる。他の実施形態では、張り出し部材１９９６は、クラブヘッドの製造中にスロット１９５０の中へ注入されるか又はそれ以外のやり方で挿入される粘性充填材料を部分的に閉じ込める又は保持する役目を果たすバックネットとなることができ、それについては以下に更に詳細に説明する。
【０１３６】
張り出し部材１９９６とスロット１９５０は、ソール１９０８を貫いてクラブヘッドの後部ボイド例えばクラブヘッド１９００の背部分の陥凹部１９３４の中への（キャビティバックアイアンクラブヘッドの場合）又はソール１９０８を貫いてクラブヘッドの内部キャビティ１２０の中への（中空アイアンクラブヘッドの場合）非直線状の通路を画定している。非直線状の通路は、図１９Ｂ及び図２０Ｂに示されている軸方向経路１９９８によって画定されていてもよい。軸方向経路１９９８は、図１９Ｂ及び図２０Ｂに示されている様な所与の断面について、クラブヘッドの前方側の前方ソール部分１９４４の内面及び打球板１９１０の後面上の全ての点とクラブヘッドの後方側のソールバー１９３５（張り出し部材１９９６を含む）の内面上の対向点の間の最短距離を表す線の中点の総体を備える仮想線を表している。
【０１３７】
図１９Ｂ及び図２０Ｂに示されている実施形態では、非直線状軸方向経路１９９８は、少なくとも、スロット１９５０の口を通っていてフェース平面１２５に概ね平行である軸方向を有する下経路領域１９９８ａと、軸方向がフェース平面１２５に概ね垂直に方向付けられている中間経路領域１９９８ｂと、軸方向がフェース平面１２５に概ね平行に方向付けられている上経路領域１９９８ｃと、を含んでいる。例えば、一部の実施形態では、下経路領域１９９８ａは、少なくとも約１ｍｍの長さを有する部分であって、フェース平面１２５に対する平行度約３０°以内にある、例えばフェース平面１２５に対する平行度約２０°以内、フェース平面１２５に対する平行度約１５°以内、などにある部分を含んでいる。一部の実施形態では、中間経路領域１９９８ｂは、少なくとも約１ｍｍの長さを有する部分であって、フェース平面１２５に対する直角度約３０°以内にある、例えば、フェース平面１２５に対する直角度約２０°以内、フェース平面１２５に対する直角度約１５°以内、などにある部分を含んでいる。一部の実施形態では、上経路領域１９９８ｃは、少なくとも約１ｍｍの長さを有する部分であって、フェース平面１２５に対する平行度約３０°以内にある、例えば、フェース平面１２５に対する平行度約２０°以内、フェース平面１２５に対する平行度約１５°以内、などにある部分を含んでいる。
【０１３８】
次に図１１Ａ−図１１Ｈを参照すると、ソールチャネル又はソールスロット外形の数例が示されている。それぞれの例では、クラブヘッド１１００は、クラブヘッドのソール１１０８の一部分に亘って延びているスロット１１５０を含んでいる。図１１Ａに示されている実施形態では、スロット１１５０は、以上に図２Ａ−図２Ｃに関連して説明されているチャネル外形の例に匹敵する向き、形状、及び寸法を有する直線状のスロットである。図１１Ｂに示されている実施形態では、スロット１１５０は、トウ側端１１７４ａと、ヒール側端１１７４ｂと、ＣＧｘ軸１０５の０座標と一致する及び／又は理想衝突場所１０１（図１Ａ参照）のＣＧｘ軸座標と一致する点に概ね位置する単一の頂点１１７４ｃと、を有する、単一の連続した曲線１１７４の形状を有している。同様に、図１１Ｃに示されている実施形態では、スロット１１５０は、トウ側端１１７４ａと、ヒール側端１１７４ｂと、ＣＧｘ軸１０５の０座標と一致する及び／又は理想衝突場所１０１（図１Ａ参照）のＣＧｘ軸座標と一致する点に概ね位置する単一の頂点１１７４ｃと、を有する、単一の連続した曲線１１７４の形状を有している。図１１Ｂの実施形態では、単一頂点１１７４ａは、クラブヘッドの前部分１１３０に向かってアーチ状をしており、即ち、単一頂点１１７４ａのリーディングエッジ１１４２の最近接部分までの距離は、トウ側端１１７４ａ及びヒール側端１１７４ｂのそれぞれのリーディングエッジ１１４２の最近接部分までの距離より小さい。図１１Ｃの実施形態では、単一の頂点１１７４ａは、クラブヘッドの背部分１１２８に向かってアーチ状をしており、即ち、単一頂点１１７４ａのリーディングエッジ１１４２の最近接部分までの距離は、トウ側端１１７４ａ及びヒール側端１１７４ｂのそれぞれのリーディングエッジ１１４２の最近接部分までの距離より大きい。
【０１３９】
図１１Ｄに示されている実施形態では、スロット１１５０は、以上に図１０Ａ−図１０Ｂに関連して説明されている例に匹敵する向き、形状、及び寸法を有する連続した曲線状のスロットであり、第１曲線領域１１７０、第２曲線領域１１７２、及び中央接続領域１１７３を含んでいる。図１１Ｆに示されているクラブヘッド実施形態は、第１曲線領域１１７０と第２曲線領域１１７２を有するスロット１１５０を含んでいるが、スロットは、中央接続領域を含んでいない。代わりに、図１１Ｆに示されているスロット１１５０は、非連続であり、２つの別々の部分―第１曲線領域１１７０と第２曲線領域１１７２―を有している。最後に、図１１Ｅに示されているクラブヘッド実施形態は、同様に非連続であって、別々で互いに接続されていない第１直線状領域１１７６と第２直線状領域１１７８を備えるスロット１１５０を含んでいる。
【０１４０】
図１１Ｇに示されている実施形態では、クラブヘッド１１００は、概ねヒール部分１１０２からトウ部分１１０４まで延びるソール１１０８の長さの実質的部分に亘って延びている単一の連続した直線状スロット１１５０を含んでいる。スロット１１５０は、リーディングエッジ１１４２に対して斜め又は非平行の向きを有している。示されている実施形態では、スロットのトウ側端１１５０ａからリーディングエッジ１１４２までの距離は、スロットのヒール側端１１５０ｂからリーディングエッジ１１４２までの距離より小さい。
【０１４１】
図１１Ｈに示されている実施形態では、クラブヘッド１１００は、クラブヘッドのリーディングエッジ１１４２と実質的に平行である主部分１１８０と、ヒール領域１１０２近くの、リーディングエッジ１１４２から離れる方へ或る角度で向きが付けられている副部分１１８２と、を含む単一の連続したスロット１１５０を含んでいる。
【０１４２】
同様に、図１１Ｉでは、クラブヘッド１１００は、クラブヘッドのリーディングエッジ１１４２と実質的に平行である主部分１１８０と、ヒールリリーフ部分１１８３と、トウリリーフ部分１１８４と、を含む単一の連続したスロット１１５０を含んでいる。示されている実施形態では、ヒールリリーフ部分１１８３とトウリリーフ部分１１８４のそれぞれは、主部分１１８０のリーディングエッジ平行整列からヒールリリーフ部分１１８３及びトウリリーフ部分１１８４の後方指向整列への移行を提供している半径領域１１８５によって、スロットの主部分１１８０と接合されている。示されている様に、ヒールリリーフ部分１１８３は、主部分１１８０から概ね後方へ整列していて、約９０°から約１５０°とされる逃げ角γを画定している。同様に、トウリリーフ部分１１８４は、主部分１１８０から概ね後方へ整列していて、約９０°から約１５０°とされる逃げ角βを画定している。一部の実施形態では、逃げ角γ及びβは等しいか又は実質的に同じであり、また一方、他の実施形態では、逃げ角γ及びβは異なっている。一部の実施形態では、ヒールリリーフ部分１１８３及び／又はトウリリーフ部分１１８４のうちの一方又は両方のスロット幅Ｗ１は、図１１Ｉの例に示されている様に、主部分１１８０のスロット幅Ｗ１より大きくてもよい。
【０１４３】
図１１Ｊでは、クラブヘッド１１００は、クラブヘッドのリーディングエッジ１１４２と実質的に平行である主部分１１８０と、ヒールリリーフ部分１１８６と、トウリリーフ部分１１８７と、を含む単一の連続したスロット１１５０を含んでいる。ヒールリリーフ部分１１８６とトウリリーフ部分１１８７のそれぞれは、スロット１１５０の幅の広くなった領域を備えており、即ち、スロット１１５０のヒールリリーフ部分１１８６及びトウリリーフ部分１１８７の領域におけるスロット幅Ｗ１は、スロットの主部分１１８０における幅Ｗ１より大きい。一部の実施形態では、ヒールリリーフ部分１１８６及び／又はトウリリーフ部分１１８７の一方又は両方のスロット幅Ｗ１対主部分１１８０のスロット幅Ｗ１の比は、約１．１から約５、例えば、約１．１から約３、約１．１から約２、などであってもよい。
【０１４４】
クラブヘッドのソール１１０８に形成されているスロット１１５０を含んでいる上記実施形態のそれぞれでは、応力緩和を提供しクラブヘッドの耐久性を高めるために、丸みのある又はテーパ状の縁輪郭を提供するのが更に有利である。例えば、図１１Ｉ及び図１１Ｊに示されている実施形態では、応力が集中するヒールリリーフ部分及びトウリリーフ部分に丸みのある角又は縁を組み入れることが有利である。
【０１４５】
図１１Ａ−図１１Ｊに示されているソールスロット外形の実施形態のそれぞれは、ソールチャネルの設計でクラブヘッドの可撓性境界構造として適用できることに留意されたい。それらの実施形態では、ソールチャネルは、以上に図２Ａ−図２Ｃに関連して説明されている様式の前方壁、後方壁、及び上方壁を含むものとなろう。
【０１４６】
４．代わりのチャネル／スロット場所
以上に説明されているクラブヘッドの実施形態の幾つかは、クラブヘッドのソール部分に配置されている１つ又はそれ以上の可撓性境界構造を含んでいる。他の代わりの実施形態では、可撓性境界構造は、クラブヘッドの他の部分に含まれていてもよい。例えば、図１２Ａに示されている実施形態では、クラブヘッド１２００は、クラブヘッドのトウ領域１２０４に配置されているチャネル１２５０の形態をした可撓性境界構造を含んでいる。クラブヘッド１２００は、陥凹部１２３４を有するキャビティバック構造か又は内部キャビティ１２２０を有する中空構造のどちらかとすることができる。チャネル１２５０は、打球面１２１０のエッジに概ね平行である直線状の連続したチャネルである。チャネル１２５０は、クラブヘッドのトウ領域１２０４の比較的厚肉の周辺加重部分の中へ延びている。示されている実施形態では、チャネル１２５０は、チャネル長さＬ１、チャネル幅Ｗ１、及びチャネル深さＤ１を有している。
【０１４７】
或る代わりの実施形態では、クラブヘッド１２００は、図１２Ａに示されているチャネル１２５０ではなく、トウ領域１２０４に配置されているか又はトウ領域１２０４に沿って配置されているスロットを含んでいてもよい。代わりの実施形態では、スロットは、クラブヘッドのトウ領域１２０４を貫いて、陥凹部１２３４の中へ（キャビティバッククラブヘッドの場合）又は内部キャビティ１２２０の中へ（中空クラブヘッドの場合）延びている。スロットは、スロット長さＬ１とスロット幅Ｗ１を有していよう。
【０１４８】
更に他の実施形態では、スロット、チャネル、又は他の可撓性境界構造が、ヒール部分１０２（図１Ａ−図１Ｄ参照）、トップライン部分１０６、打球面１１０、又はクラブヘッドの別の部分に配置されていてもよい。例えば、図１２Ｂに示されている実施形態では、クラブヘッド１２００は、クラブヘッドのヒール領域１２０２に配置されているチャネル１２５０の形態をした可撓性境界構造を含んでいる。更に、図１２Ｃに示されている実施形態では、クラブヘッド１２００は、ソール１２０８に配置されていてトウ領域１２０４及びヒール領域１２０２へ延びているか又は周りを「取り巻く」チャネル１２５０形態をした可撓性境界構造を含んでいる。スロット又はチャネルを有するそれらの例では、スロット又はチャネルの外形は、例えば、図１１Ａ−図１１Ｈに示されている外形のうちの１つであってもよいし、別の外形、形状、又は向きであってもよい。
【０１４９】
更に他の実施形態では、複数の可撓性境界構造が、クラブヘッドの別々の場所に含まれていてもよい。例えば、第１チャネル１３５０ａがトウ領域１３０４に配置され第２チャネル１３５０ｂがヒール領域１３０２に配置されている別のクラブヘッド実施形態が、図１３に概略的に示されている。一部の実施形態では、第１チャネル１３５０ａと第２チャネル１３５０ｂの一方又は両方は、ソール領域１３０８へと延びていて、クラブヘッドの周りを取り巻いてトウ領域１３０４及び／又はヒール領域１３０２それぞれへ至っている。更に他の実施形態では、第１チャネル１３５０ａと第２チャネル１３５０ｂの一方又は両方は、全体がトウ領域１３０４及び／又はヒール領域１３０２それぞれの領域内に配置されていてもよい。
【０１５０】
５．チャネル深さ外形
図２Ａ−図２Ｃでは、クラブヘッド２００は、チャネルの全長に亘って一定深さＨ１を有するチャネル２５０を含んでいる。以上にそれらの図に示されている実施形態を論じた際に指摘した様に、一部の実施形態では、チャネル深さＨ１は、約５．０ｍｍから約２５．０ｍｍとされ、例えば、約６．０ｍｍから約１４．５ｍｍ、約８．５ｍｍから約１３．０ｍｍ、などであってもよい。１つの実施形態では、チャネル深さＨ１は、約１０．５ｍｍである。他の代わりの実施形態では、クラブヘッドは、所望の性能上の目的を実現するために、一定ではない深さを有するチャネルを有していてもよい。
【０１５１】
例えば、幾つかのクラブヘッド実施形態が、図１４Ａ−図１４Ｃに示されている。図示のクラブヘッドのそれぞれは、クラブヘッドのソール１４０８に配置されていてクラブヘッドに設けられているソールバー（図示せず）の中へ延びているチャネル１４５０を含んでいる。明解さを期して、チャネルのそれぞれの深さ外形の投影が、図示の実施形態の打球面１４１０へ投影された点線によって概略的に表されているが、チャネル１４５０は、実際には、実際のクラブヘッドの打球面１４１０に視認できないものと理解されたい。投影されている深さ外形は、クラブヘッドのソールバー内のチャネル１４５０の深さ及び形状を描くことを意図している。
【０１５２】
図１４Ａに示されている実施形態は、チャネルのヒール側からトウ側までの全長に亘って実質的に一定の深さＨ１を有するチャネル１４５０を含んでいる。しかしながら、図１４Ｂ−図１４Ｃに示されている実施形態は、一定ではない深さ外形を有するチャネル１４５０を含んでいる。例えば、図１４Ｂの実施形態は、トウ側深さＨｔ、ヒール側深さＨｈ、及び中央部深さＨｃとして、２つの不等式、即ち、（１）Ｈｔ＞Ｈｃと（２）Ｈｈ＞Ｈｃを満たす、トウ側深さＨｔ、ヒール側深さＨｈ、及び中央部深さＨｃを有するチャネル１４５０を含んでいる。他方、図１４Ｃの実施形態は、２つの不等式、即ち、（１）Ｈｔ＜Ｈｃと（２）Ｈｈ＜Ｈｃを満たす、トウ側深さＨｔ、ヒール側深さＨｈ、及び中央部深さＨｃを有するチャネル１４５０を含んでいる。
【０１５３】
図１４Ｂに示されている実施形態では、チャネルのトウ側部分でのチャネル１４５０の深さＨｔのピーク又は最大値はチャネルのトウ側端に在り、チャネルのヒール側部分でのチャネル１４５０の深さＨｈのピーク又は最大値は、チャネルのヒール側端に在る。加えて、チャネルの中央部のチャネル深さＨｃは、チャネルの全長に亘っての最小深さである。チャネル深さＨ１は、チャネルの中央部からそれぞれの方向にトウ領域１４０４及びヒール領域１４０２へ向かってゆくにつれ線形に漸増している。他の実施形態では、トウ側深さＨｔ及び／又はヒール側深さＨｈのピーク値は、チャネルの中央部とチャネルのトウ側端及びヒール側端それぞれの間に在ってもよい。加えて、一部の実施形態では、チャネル深さ外形は、チャネルの中央部からチャネルの端へ進むにつれて非線形であってもよい。
【０１５４】
図１４Ｃに示されている実施形態では、チャネルのトウ側部分でのチャネル１４５０の深さＨｔの最小値は、チャネルのトウ側端に在り、チャネルのヒール側部分でのチャネル１４５０の深さＨｈの最小値は、チャネルのヒール側端に在る。加えて、チャネルの中央部のチャネルの深さＨｃは、チャネルの全長に亘っての最大深さである。チャネル深さＨ１は、チャネルの中央部からそれぞれの方向にトウ領域１４０４及びヒール領域１４０２に向かってゆくにつれ線形に漸減している。他の実施形態では、トウ側深さＨｔ及び／又はヒール側深さＨｈの最小値は、チャネルの中央部とチャネルのトウ側端及びヒール側端それぞれの間に在ってもよい。加えて、一部の実施形態では、チャネル深さ外形は、チャネルの中央部からチャネルの端へ進むにつれて非線形であってもよい。
【０１５５】
６．多重チャネル設計
次に図１５Ａ−図１５Ｂを参照すると、クラブヘッド１５００の実施形態は、クラブヘッドのソールバー１５３５に配置されている第１チャネル１５５０と第２チャネル１５５１を含んでいる。第１チャネル１５５０は、以上に図２Ａ−図１２Ｃに示されている実施形態に関連して説明されているチャネルと同様であり、チャネルからフェースまでの距離Ｄ１、第１チャネル幅Ｗ１、第１チャネル深さＨ１、及び第１チャネル長さＬ１を有している。第１チャネルの前方壁１５５２は、第１ヒンジ領域厚さＴ１を有する第１ヒンジ領域１５６０と、第２ヒンジ領域厚さＴ２を有する第２ヒンジ領域１５６２を画定している。ソールの前方部分１５４４は、前方ソール厚さＴＦＳを有する壁を画定している。第１チャネル１５５０は、後方壁１５５４と上方壁１５５６を更に含んでいる。第１チャネル開口部１５５８が、クラブヘッドのソール領域１５０８に配置されている。
【０１５６】
第２チャネル１５５１が、第１チャネル１５５０に隣接してその後方に（即ち、打球面１５１０からは離れて）配置されており、第１チャネル後方壁１５５４、第２チャネル後方壁１５５５、及び第２チャネル下方壁１５５７によって画定されている。第２チャネル開口部１５５９は、ソールバー１５３５の上面に配置されている。第２チャネル１５５１は、第２チャネル幅Ｗ２、第２チャネル深さＨ２、及び第２チャネル長さＬ２を有している。第２チャネル幅Ｗ２は、第１チャネル幅Ｗ１を測定するのに使用されるのと実質的に同じ方法であって第２チャネルの相対的な向きに基づいて適合された方法を使用して測定されている。第２チャネル深さＨ２は、第２チャネル開口部１５５９と一致する第１の水平方向平面と第２チャネル１５５１の内部の最下点を包含している第２の水平方向平面の間の垂直方向距離である。第２チャネル長さＬ２は、クラブヘッドのソールバー１５３５上の、第２チャネル１５５１の最もトウ寄りの点と第２チャネル１５５１の最もヒール寄りの点の間の距離の測定値であり、チャネル１５５１の如何なる曲率も考慮に入れていない。第１チャネルの後方壁１５５４は、第２チャネル１５５１の前方壁に相当するものであって、第３ヒンジ領域厚さＴ３を有する第３ヒンジ領域１５６４と第４ヒンジ領域厚さＴ４を有する第４ヒンジ領域１５６２を画定している。
【０１５７】
第１チャネル１５５０と第２チャネル１５５１は、チャネル離隔距離ＤＳＥＰだけ隔てられており、チャネル離隔距離ＤＳＥＰは次の様に求められる。第１チャネル中心線１５２９ａと第２チャネル中心線１５２９ｂを、以上に図２Ｄ−図２Ｅに示されているチャネル中心線に関連して説明されている方式で作成する。仮想基準線１５２２を、地平面１５１１に平行に地平面より上５ｍｍの高さに引く。基準線１５２２と第１チャネル中心線１５２９ａ及び第２チャネル中心線１５２９ｂとの交点の間の距離を、チャネル離隔距離ＤＳＥＰと定義する。
【０１５８】
一部の実施形態では、第１チャネル中心線１５２９ａと第２チャネル中心線１５２９ｂは、互いに平行である。他の実施形態では、第１チャネル中心線１５２９ａと第２チャネル中心線１５２９ｂは、それらの間にチャネル中心線角度αを画定する向きである。一部の実施形態では、第１チャネル中心線１２２９ａは、第２チャネル中心線１２２９ｂの向きより急勾配である（即ち、より垂直に近い）向きを有している。それらの実施形態では、チャネル中心線角度αは、「上」向きであり、０°より僅かに大きく９０°より僅かに小さい範囲の値、例えば約１°から約１５°の間などの値を有していてもよい。一部の他の実施形態では、第１チャネル中心線１２２９ａは、第２チャネル中心線１２２９ｂの向きよりもなだらかである（即ち、より水平に近い）向きを有している。それらの実施形態では、チャネル中心線角度αは、「下」向きであり、０°より僅かに大きく９０°より僅かに小さい範囲の値、例えば約１°から約１５°の間などの値を有していてもよい。
【０１５９】
ここに説明されている実施形態による二重チャネル設計を含んでいるクラブヘッドの数例について、チャネル離隔距離ＤＳＥＰ及びチャネル中心線角度αの幾つかの例示としての値を下表６に載せている。
【０１６０】
【表６】
2015128580.tif 000008
【０１６１】
図１５Ｃは、クラブヘッドのソールバー１５３５に配置されている第１チャネル１５５０、第２チャネル１５５１、及び第３チャネル１５５３を含んでいるクラブヘッド１５００の別の実施形態を示している。第１チャネル１５５０と第２チャネル１５５１は、以上に図１５Ａ−図１５Ｂに示されている実施形態に関連して説明されているチャネルと同様であり、チャネルからフェースまでの距離Ｄ１及びＤ２、チャネル幅Ｗ１及びＷ２、チャネル深さＨ１及びＨ２、そしてチャネル長さＬ１及びＬ２、を有している。第１チャネルの前方壁１５５２は、第１ヒンジ領域厚さＴ１を有する第１ヒンジ領域１５６０と、第２ヒンジ領域厚さＴ２を有する第２ヒンジ領域１５６２を画定している。ソールの前方部分１５４４は、前方ソール厚さＴＦＳを有する壁を画定している。第１チャネル１５５０は、後方壁１５５４と上方壁１５５６を更に含んでいる。第１チャネル開口部１５５８がクラブヘッドのソール領域１５０８に配置されている。
【０１６２】
第３チャネル１５５３は、第２チャネル１５５１に隣接してその後方に（即ち、打球面１５１０から離れて）配置されており、第２チャネル後方壁１５５５、第３チャネル後方壁１５６８、及び第３チャネル上方壁１５６９によって画定されている。第３チャネル開口部１５７１が、ソールバー１５３５の下面に配置されている。第３チャネル１５５３は、第３チャネル幅Ｗ３、第３チャネル深さＨ３、及び第３チャネル長さＬ３を有しており、それらは各々、第１チャネルの対応するパラメータを測定するのに使用されるのと実質的に同じ方法を使用して測定されている。
【０１６３】
７．充填材、減衰、振動
以上に記載のクラブヘッド実施形態では、説明されている可撓性境界構造は、クラブヘッド内にボイド又は空間を画定しているチャネル及びスロットの設計を含んでいる。一部の実施形態では、これらのボイド又は空間は、未充填のまま残されている。図２Ｈ及び図１９Ｃに描かれている実施形態の様な他の実施形態では、充填材料２２３が、チャネル、スロット、又は他の可撓性境界構造の中へ加えられていてもよい。１つ又はそれ以上の充填材は、好ましからざる物質（例えば、水、芝生、土、など）がチャネル又はスロットに進入するのを防止することやクラブヘッドがゴルフボールを打ったときに起こる振動を減衰させることによってクラブヘッドの音及び感触への所望の変化を得ることを含め、性能上の所望の目的を実現するべく加えられるものである。
【０１６４】
スロット、チャネル、又は他の可撓性境界構造の中へ設置される充填材としての使用に適した材料の例には、限定するわけではないが、粘弾性エラストマー類、無機充填材を含んでいるか又は含んでいないビニルコポリマー類、硫酸バリウムの様な鉱物充填材を含んでいるか又は含んでいないポリビニルアセテート、アクリル類、ポリエステル類、ポリウレタン類、ポリエーテル類、ポリアミド類、ポリブタジエン類、ポリスチレン類、ポリイソプレン類、ポリエチレン類、ポリオレフィン類、スチレン／イソプレンブロックコポリマー類、水素添加スチレン系熱可塑性エラストマー類、金属化ポリエステル類、金属化アクリル類、エポキシ類、エポキシとグラファイトの複合材、天然ゴム及び合成ゴム、圧電セラミックス、熱硬化性ゴム及び熱可塑性ゴム、発泡性ポリマー類、イオノマー類、低密度繊維ガラス、ビチューメン、シリコン、及びそれらの混合物が挙げられる。金属化ポリエステル類及び金属化アクリル類は、金属としてアルミニウムを備えることができる。市販されている材料には、弾性ポリマー材料である、例えば、3M社提供のScotchweld（商標）（例えば、DP-105（商標））並びにScotchdamp（商標）、Solbothane, Inc.社提供のSolbothane（商標）、Soundcoat Company Inc.社提供のDYAD（商標）及びGP（商標）、Dynamat Control of North America, Inc.社提供のDynamat（商標）、Pole Star Maritime Group, LLC社提供のNoViFlex（商標）Sylomer（商標）、Dow Chemical Company社提供のIsoplast（商標）、Pique Technologies, Inc.社提供のLegetolex（商標）、及び株式会社クラレ提供のハイブラー（商標）、などが挙げられる。
【０１６５】
一部の実施形態では、固体充填材料が、スロット、チャネル、又は他の可撓性境界構造の中へ押し嵌めされるか又は接着結合されていてもよい。他の実施形態では、充填材料を、スロット又はチャネルの中へ、流し込み、注入、又はそれ以外のやり方で挿入し、その場で硬化させ、十分な硬さ又は弾性のある外側面を形成させてもよい。更に他の実施形態では、充填材料を、スロット又はチャネルの中へ設置し、金属、合金、金属系、複合材、硬質プラスチック、弾性エラストマー、又は他の適した材料で形成されている弾性キャップ又は他の構造を用いて、その場にシールさせてもよい。
【０１６６】
一部の実施形態では、チャネル２５０内で露出している充填材２２３又はキャップの部分は、概ね凸形状を有していて、充填材２２３又はキャップの最下部分がクラブヘッド２００の本体の直接隣接している部分の最下面より下にギャップＤＦだけ位置がずれているようにしてチャネル内に配置されている。（例えば、図２Ｈ参照）。ギャップＤＦは、チャネル内で露出している充填材２２３又はキャップ側の、地面又は他の物体を叩いたことに起因する過度な摩滅又は裂けを防ぐのに足る大きさであるのが好ましい。このやり方では、充填材２２３又はキャップは、充填材２２３又はキャップがクラブヘッドヘッド本体の隣接部分と面一に配置されていたなら起こるはずのスイング中の地面との接触に起因する過度な摩滅には曝されない。
【０１６７】
図１９Ｃに示されている実施形態では、クラブヘッド１９００は、スロット１９５０と張り出し部１９９６を含んでいる。スロット１９５０はソール１９０８を貫いてクラブヘッドの後部ボイド（例えば、陥凹部１９３４又は内部キャビティ１２０）の中への通路を提供しているのに対し、張り出し部１９９６は、ソールバー１９３５から延びていて通路を部分的に遮っている。このやり方では、張り出し部１９９６は、クラブヘッドの製造中にスロット１９５０の中へ注入されるか又はそれ以外のやり方で挿入される粘性充填材料２２３を部分的に閉じ込める又は保持するバックネットとしての役目を果たしている。従って、製造中、粘性の充填材料２２３がスロット１９５０を通って注入されると、充填材料は張り出し部１９９６に遭遇し、すると張り出し部は充填材料２２３が概ね上向きに流れてゆくのを止め、流れを概ね打球面１９１０の方へ向け直すので、その結果、スロット１９５０をシールするのに必要な充填材料２２３の量を削減できる。
【０１６８】
８．ゴルフクラブセット
次に図１６を参照すると、ゴルフクラブセット１６００が描かれている。ゴルフクラブセット１６００は、キャビティバック、マッスルバック、ブレード、中空クラブ、又は典型的に使用されている他の型式のクラブヘッドを含め、１つ又はそれ以上の型式のゴルフクラブヘッド１６０４をセットの一部として含んでいてもよい。ゴルフクラブセット１６００は、クラブ間で性能特性を異にするものとすることができる。例えば、シャフト１６０２が長さを異にしている、スイングウェイトが異なる、また以上に指摘されている性能特性の１つ又はそれ以上が異なるものであってもよい。１つの例として、セット１６００のうちの一部のゴルフクラブは中空クラブを含んでいてもよい。個々の中空クラブは、体積を異にする中空区域を含んでいてもよい。更に、中空区域は、発泡体、ポリマー、又は他の種類の材料が充填されていてもよく、充填材料の特定の種類はクラブ間で異なっていてもよい。加えて、セット１６００内のクラブ型式は、例えば１セット内に中空クラブ数本とキャビティバッククラブ数本とマッスルバッククラブ数本を含んでいるといった様に異なっていてもよい。
【０１６９】
ゴルフクラブセット１６００の幾つかの実施形態では、セット１６００に含まれているゴルフクラブの少なくとも１本は、スロット、チャネル、又は他の構造の様な可撓性境界構造を有するクラブヘッド１６０４を有しており、また一方で、セット１６００に含まれているゴルフクラブの少なくとも１本の他のクラブは、可撓性境界構造を持たないクラブヘッド１６０４を有している。例えば、一部の実施形態では、セット１６００に含まれているゴルフクラブの少なくとも１本は、ここに図２Ａ−図２Ｈから図１５Ａ−図１５Ｃまでを参照して説明されているクラブヘッド実施形態の１つ又はそれ以上の様な、スロット又はチャネルを有するクラブヘッド１６０４を有しており、セット１６００に含まれているゴルフクラブの少なくとも１本の他のクラブは可撓性境界構造を有していない。一部の実施形態では、８本又はそれ以上のゴルフクラブのセットは、可撓性境界構造を有するクラブヘッドを備えたゴルフクラブを２本、３本、４本、５本、６本、又は７本まで含み、残りを、可撓性境界構造を有していないクラブヘッドを備えるゴルフクラブとしてもよい。
【０１７０】
表７Ａから表７Ｄは、セット内のクラブ間で異なる性能特性を有するゴルフクラブセット１６００の４つの特定の実施形態を示している。しかしながら、これらはたった４つの実施形態であり、特許請求されている主題はこの点に関して限定されない、ということを指摘しておくのは意義があろう。
【０１７１】
【表７Ａ】
2015128580.tif 000009
【０１７２】
【表７Ｂ】
2015128580.tif 000010
【０１７３】
【表７Ｃ】
2015128580.tif 000011
【０１７４】
【表７Ｄ】
2015128580.tif 000012
【０１７５】
表７Ａから表７Ｄに反映されている様に、多種混合クラブセット内のゴルフクラブの組合せ方には、ゴルフクラブの１本又はそれ以上は可撓性境界構造（例えば、チャネル）を含みゴルフクラブの１本又はそれ以上は可撓性境界構造を含まないといった固有の組み合わせ方がある。（ゴルフクラブセットは表７Ａから表７Ｄに示されているアイアンよりも少ない又は多いアイアンを有していることもあるものと理解されたい。）クラブ間で一貫した平均ギャップ距離を実現することが一般的に望ましい。このやり方では、ゴルファーには、一貫して増分されるクラブショット距離の全範囲が提供されるので、ゴルファーは、特定のショット又は状況によって必要な距離に適うクラブ又はアイアンを選択することができる。典型的には、平均的なプレーヤーについてのアイアンのセット内のクラブ間の平均ギャップ距離は、約８−１０ヤード（約７．３−９．１ｍ）である。ここに示されている様に、ＬＷから３番アイアンまでの可撓性境界構造を有する個々のクラブと可撓性境界構造を有していない個々のクラブとの固有包含方式は、平均的なプレーヤーについてクラブ間の平均ギャップ距離をそれぞれ約１１−１５ヤード（約１０．５−１３．７ｍ）にするのに役立つ。これに関し、ここでの実施形態は、一貫性を提供するとともにゴルファーにとっての距離範囲を全体的に拡大する。
【０１７６】
セットでのギャップ距離の全体的な増加及び個々のアイアンそれぞれについてのボール速度及び距離の増加には、他のパラメータが寄与することもあろう。これらのパラメータには、シャフト長さ、フェース厚さ、フェース面積、重量配分（及びその結果得られるクラブヘッド慣性モーメント（「ＭＯＩ」）及び重心（「ＣＧ」）場所）他、が含まれる。加えて、セットに納められているゴルフクラブの性能、競技適合性、寛容性、又は他の特徴には、更に他のパラメータが寄与することもあろう。これらのパラメータには、トップライン厚さ（及びセット内でのトップライン厚さの増分）、スイングウェイト、及びソール幅が含まれる。これらのパラメータの、ゴルフクラブのセット内のゴルフクラブの性能に対する寄与の説明は、米国公開特許出願第２０１１／０１５９９８１号に提供されており、同出願をここに参考文献としてそっくりそのまま援用する。
【０１７７】
９．クラブヘッド性能
ここに記載されているクラブヘッドの発明者は、チャネル、スロット、及び他の可撓性境界構造をアイアン型式クラブヘッドの周辺領域に組み入れることの効果について調べた。アイアンゴルフクラブヘッド設計を、市販のコンピュータ支援型モデル化及びメッシングソフトウェアとしてモデル化用のPrametric Technology Corporation社によるPro/Engineer及びメッシング用のAltair Engineering社によるHypermeshを使用してモデル化した。ゴルフクラブヘッド設計は、有限要素解析（ＦＥＡ）ソフトウェアとして多くの市販コンピュータ支援型設計及びモデル化ソフトウェアプログラムと共に利用できる有限要素解析（ＦＥＡ）機構又はABAQUS. Inc.社によるABAQUSソフトウェアスイートの様な独立型ＦＥＡソフトウェアを使用して解析した。シミュレーションの下に、クラブヘッドの周辺領域に組み入れられている可撓性境界構造を有するアイアン型式ゴルフクラブヘッドのモデルは、類似構造のゴルフクラブヘッドであって可撓性境界構造を含んでいないゴルフクラブヘッドに比べると、相対的に高いＣＯＲ値及びＣＴ値を生じさせることが観察された。
【０１７８】
加えて、チャネルを有するゴルフクラブヘッドは、チャネルをクラブヘッドの周辺領域に組み入れることの効果を見極めるように構築した。２つのゴルフクラブヘッドについてＣＯＲ測定値を取った。第１のクラブヘッドには可撓性境界構造を含ませなかった。第２のクラブヘッドには、クラブヘッドのソールに配置されている直線状の連続したチャネルを含ませ、表８に設定されている以下のパラメータを持たせた。
【０１７９】
【表８】
2015128580.tif 000013
【０１８０】
ゴルフクラブは、他の点では同一とした。クラブヘッドそれぞれの打球面上の幾つかの場所でＣＯＲ試験を行い、以下の結果を得た。
【０１８１】
【表９】
2015128580.tif 000014
【０１８２】
表９では、場所「ＩＳＬ」は、理想打球場所を指している。「トウ」及び「ヒール」に向かって何ｍｍの場所という場合、打球面平面内の、クラブヘッドのＩＳＬからトウ及びヒールに向けての水平方向距離を指している。「クラウン」及び「ソール」に向かって何ｍｍの場所という場合、打球面平面と直角の垂直方向平面との交点によって定義される線に沿った、クラブヘッドのクラウン及びソールに向けての距離を指している。結果的に、可撓性境界構造は、クラブヘッドのＣＯＲを、クラブヘッドの打球面の場所に依り約０．１１乃至約０．３１増加させることに関与した。
【０１８３】
開示されている本発明の原理を適用でき得る多くの実施形態が見込まれることに鑑みて、示されている実施形態は本発明の好適な例に過ぎず本発明の範囲を限定するものと受け取られてはならないことを認識されたい。それらには記載されている本発明のより広い精神及び範囲から逸脱することなく様々な修正がなされ得ることは明白であろう。従って、本明細書及び図面は、制限を課すという意味ではなくむしろ説明を目的とするという意味で考えられるべきである。
【０１８４】
１０．代わりのＦＢＳ機構及び配置場所
先に説明されている様に、ゴルフクラブヘッド―例えばこの開示内の他の箇所に記載されているものなど―の境界条件を改変することが、中心外れ打球についての性能を改変することになる。本開示の他の箇所に記載されている実施形態は、縦方向に中心を外れた打球についての性能改変を提供している。具体的には、ゴルフクラブヘッド２００の様な実施形態は、理想打球場所１０１より下、具体的には理想打球場所１０１を通っていて中心フェースと一致している線（これ以後、「中心線」）より下の打球について、顕著な性能的利点を提供している。
【０１８５】
とはいえ、多くの場合、中心外れ打球はゴルフクラブヘッドの中心線以外の場所で起こっている。多くの場合、中心外れ打球はゴルフクラブヘッドのヒール寄りの場所で起こり、ゴルフクラブヘッドのトウ寄りの場所でより頻発している。中心外れ打球では、本開示の他の箇所で論じられている様に、結果的に飛距離が短くなり相対的に下手なパフォーマンスになってしまう。１つの解決策は、ＦＢＳ機構をゴルフクラブヘッドのソール以外の場所に包含して、中心と一致する場所以外の場所での中心外れ打球に対する性能向上を図ることである。
【０１８６】
ゴルフクラブヘッド２０００は、この開示の他の箇所で説明されているものと同様の機構を含んでおり、図２１を参照して示されている。この開示の解釈上、同様に描かれている機構は様々な実施形態同士で及び様々な実施形態の間で移転可能であることが当業者には理解されるはずであり、１つの実施形態と関連付けて説明されている機構は、当業者には理解される様に、他の実施形態の中へ取り入れられてもよい。
【０１８７】
ゴルフクラブヘッド２０００は、この開示の他の箇所で説明されているものと同様の打球面２１１０を含んでいる。現実施形態の打球面２１１０は、現実施形態では打球面２１１０に画定されているチャネル２１５０であるＦＢＳを含んでいる。現実施形態のチャネル２１５０は、中央部分２１５２と、第１端部分２１５４と、第２端部分２１５６、を含んでいる。現実施形態では、中央部分２１５２は、その主長さが溝１１２の全体的な向きに対し略垂直になる状態に定位されている。第１端部分２１５４及び第２端部分２１５６は、中央部分２１５２に対して角度２１５８に定位されている。見て分かる様に、中央部分２１５２の端部分２１５４、２１５６との交点には様々な半径が使用されよう。様々な実施形態では、半径は約１ｍｍであってもよい。様々な実施形態では、半径は５−１０ｍｍであってもよい。様々な実施形態では、半径は１０−２０ｍｍであってもよい。様々な実施形態では、半径は５−２５ｍｍであってもよい。
【０１８８】
チャネル２１５０は、フェース平面１２５（図１Ｂ参照）で第１端２１６４から第２端２１６６までを、ソール１０８からトップライン１０６の方向に、現図内で中央フェースを示す（「ＣＦ」と表記されている）線に略平行に測定した全体高さ２１６０によって画定されている。チャネル２１５０は、更に、全体高さ２１６０の測定方向に垂直に測定された全体幅２１７０によって画定されている。全体幅２１７０は、端２１６４、２１６６から中央部分内縁２１７６までを測定している。現実施形態では、中央部分内縁２１７６は直線状の端であるが、様々な実施形態では、中央部分内縁２１７６は、丸又はギザ状を含む様々な形状であってもよい。同様に、中央部分外縁２１７８が中央部分内縁２１７６に対向するものとして示されている。第１端部分２１５４は、第１端部分第１縁２１８６と第１端部分第２縁２１８８を含んでいる。第２端部分２１５６は、第２端部分第１縁２１９６と第２端部分第２縁２１９８を含んでいる。中心フェースまでの距離２１９５が、内縁２１７６から中心フェース１０１即ちＣＦまでを溝１１２に平行な方向に測定した距離として測定されている。現実施形態及び関連の実施形態では、チャネル２１５０は、縦方向に最も高い点２１７５と最も低い点２１８５のほぼ中心で、最も高い点２１７５と第１端２１６４の間の距離を測定した第１距離２１７７が最も低い点２１８５と第２端２１６６の間の距離を測定した第２距離２１８７とほぼ同じとなるように配列されている。
【０１８９】
見て分かる様に、第１端部分２１５４及び第２端部分２１５６は、意図される理想打球場所１０１から遠位に配置されているチャネル２１５０の終端部を提供している。様々な実施形態では、ゴルフクラブヘッド２０００上でトウ寄りの打球はチャネル２１５０の歪を生じさせ得る。様々な実施形態では、歪は、特に様々な構成のチャネル２１５０の様々な端部に、不具合を引き起こさないとも限らない。而して、第１端部分２１５４及び第２端部分２１５６は、端２１６４、２１６６を、打球場所からより遠隔となる場所に移し、チャネル２１５０への応力集中を軽減させ、チャネル２１５０に沿った応力のより漸減的な軽減化をもたらす。
【０１９０】
チャネル２１５０をゴルフクラブヘッド２０００のトウ部分１０４に設けることによって、ゴルフクラブヘッドのトウ部分１０４に近い場所での中心外れの当たりについての性能を改善することができる。
【０１９１】
ゴルフクラブヘッド２０００の様々な実施形態が、図２２Ａ−図２２Ｅを参照して見られる。図２２Ａは、中心フェースまでの距離２１９５が３０ｍｍ、全体幅２１７０が７ｍｍ、全体高さ２１６０が３８ｍｍ、そして角度２１５８が７５°であるゴルフクラブヘッド２０００ａを表示している。図２２Ｂは、中心フェースまでの距離２１９５が３０ｍｍ、全体幅２１７０が７ｍｍ、全体高さ２１６０が３８ｍｍ、そして角度２１５８が２５°であるゴルフクラブヘッド２０００ｂを表示している。図２２Ｃは、中心フェースまでの距離２１９５が３５ｍｍ、全体幅２１７０が２ｍｍ、全体高さ２１６０が１５ｍｍ、そして角度２１５８が２５°であるゴルフクラブヘッド２０００ｃを表示している。図２２Ｄは、中心フェースまでの距離２１９５が３５ｍｍ、全体幅２１７０が７ｍｍ、全体高さ２１６０が１５ｍｍ、そして角度２１５８が７５°であるゴルフクラブヘッド２０００ｄを表示している。図２２Ｅは、中心フェースまでの距離２１９５が３０ｍｍ、全体幅２１７０が２ｍｍ、全体高さ２１６０が３８ｍｍ、そして角度２１５８が７５°であるゴルフクラブヘッド２０００ｅを表示している。而して、設計パラメータの差異がチャネル２１５０の外見及び形状を大きく改変することになる。各種パラメータは様々な実施形態の間で置き換え可能であり、この開示の中で特定されているもの以外の長さ及び角度へ変えられてもよいことが当業者には理解されるであろう。開示されている実施形態は、制限を課すものと考えられてはならず、開示されているものの間のパラメータは種々の実施形態にも同様に利用することができる。
【０１９２】
見て分かる様に、ここに他の箇所で説明されているパラメータ内で所望に応じてチャネル２１５０の機構を変えることによって、各種形状を形成することができる。チャネル２１５０の機構を変えると、ＦＢＳとしてのチャネル２１５０の性能が変化する。
【０１９３】
【表１０】
2015128580.tif 000015
【０１９４】
現開示のＣＯＲ試験全てにつき以上に指摘されている様に、表１０は、アイアンＣＯＲを測定するためのＵＳＧＡ手順を使用して求めた。Ｕ．Ｓ．Ｇ．Ａの２００５年１１月３０日付け１．２改訂版「基線板に対するアイアンクラブヘッドの反発係数を測定するための暫定手順」を見られたし。表１０は、設計パラメータを様々に変更した場合についての様々な性能結果を表示している。見て分かる様に、理想打球場所１０１のＣＯＲは約０．８３０から約０．８４９まで開きがある。同様に、理想打球場所１０１から１５ｍｍトウ寄りの場所のＣＯＲは、約０．７７０から約０．７８１まで開きがある。測定されている様に、理想打球場所についてのＣＯＲと１５ｍｍトウ寄りについてのＣＯＲの間の差は約０．０８２から約０．０６７まで開きがある。而して、チャネル２５１０のパラメータを変更すると、中心での打球と中心外れの打球ともにパフォーマンスが変化する。表１０に参照されている全ての実施形態について見て分かる様に、１５ｍｍトウ寄り場所のＣＯＲはどの実施形態についても０．７５２より下には落ちていない。様々な実施形態では、１５ｍｍトウ寄りのＣＯＲは０．７７０より小さくはない。様々な実施形態では、１５ｍｍトウ寄りのＣＯＲは、０．７７５より小さくはない。様々な実施形態では、１５ｍｍトウ寄りのＣＯＲは、０．７８０より小さくはない。
【０１９５】
ゴルフクラブヘッドの別の実施形態２５００が図２３を参照して見られる。ゴルフクラブヘッド２５００はトウ部分１０４にチャネル２５５０を含んでいる。チャネル２５５０は、チャネル２５５０の全延長に沿って測定した全体高さ２５６０を含んでいる。チャネル２５５０は、内縁２５７６と外縁２５７８を含んでいる。中心フェースまでの距離２５９５が、中心線に一致する理想打球場所１０１から内縁２５７６までを測定されている。チャネル２５５０は、チャネル２５５０の第１端２５６４へ通じる上逃し部２５５４とチャネル２５５０の第２端２５６６へ通じる下逃し部２５５６を含んでいる。端２５６４、２５６６は、チャネル２５５０の延長を画定している。
【０１９６】
現実施形態では、チャネル２５５０は、まっすぐであり、ゴルフクラブヘッドの中心線にほぼ平行且つ溝１１２にほぼ垂直である縦経路から実質的に逸れていない。通常なら端２５６４及び２５６６には応力集中が見られるはずであるが、逃し部２５５４、２５５６が、チャネル２５５０の幅よりも直径の広い円形開口の形態をしたチャンネル２５５０の幅増加部分を提供している。様々な実施形態では、各逃し部２５５４、２５５６はチャネル２５５０の幅に等しい直径であってもよく、その場合、端２５６４、２５６６は、単に丸状又は平縁状となっていよう。とはいえ、現実施形態では、各逃し部２５５４、２５５６は、はっきり分かるほどにチャネル２５５０の幅よりも広い直径の丸状である。その様な配列は、端２５６４、２５６６上への応力の漸次減少を可能にさせ、それによりチャネル２５５０の端点の応力の集中を軽減化する。
【０１９７】
図２４Ａ−図２４Ｅを参照して見られる様に、チャネル２５５０のパラメータを変えると、チャネル２５５０の外見及び形状が変化し、適用されるチャネルの性能特性を改変することができる。図２４Ａは、中心フェースまでの距離２５９５が３０ｍｍ、各逃し部２５５４、２５５６が直径２ｍｍ、そして全体高さ２５６０が１５ｍｍであるゴルフクラブヘッド２５００ａを表示している。図２４Ｂは、中心フェースまでの距離２５９５が３８ｍｍ、各逃し部２５５４、２５５６が直径２ｍｍ、そして全体高さ２５６０が１５ｍｍであるゴルフクラブヘッド２５００ｂを表示している。図２４Ｃは、中心フェースまでの距離２５９５が３８ｍｍ、各逃し部２５５４、２５５６が直径２ｍｍ、そして全体高さ２５６０が３８ｍｍであるゴルフクラブヘッド２５００ｃを表示している。図２４Ｄは、中心フェースまでの距離２５９５が３０ｍｍ、各逃し部２５５４、２５５６が直径５ｍｍ、そして全体高さ２５６０が３８ｍｍであるゴルフクラブヘッド２５００ｄを表示している。図２４Ｅは、中心フェースまでの距離２５９５が３０ｍｍ、各逃し部２５５４、２５５６が直径５ｍｍ、そして全体高さ２５６０が１５ｍｍであるゴルフクラブヘッド２５００ｅを表示している。而して、設計パラメータの差異がチャネル２５５０の外見及び形状を大きく改変することになる。各種パラメータは様々な実施形態の間で置き換え可能であり、この開示の中で特定されているもの以外の長さ及び角度へ変えられてもよいことが当業者には理解されるであろう。開示されている実施形態は、制限を課すものと考えられてはならず、開示されているものの間のパラメータは種々の実施形態にも同様に利用することができる。
【０１９８】
【表１１】
2015128580.tif 000016
【０１９９】
表１１は、設計パラメータを様々に変更した場合についての様々な性能結果を表示している。表１１を参照して分かる様に、理想打球場所１０１のＣＯＲは約０．８２８から約０．８３１まで開きがある。同様に、理想打球場所１０１から１５ｍｍトウ寄りの場所のＣＯＲは、約０．７５１から約０．７５８まで開きがある。測定されている様に、理想打球場所についてのＣＯＲと１５ｍｍトウ寄りについてのＣＯＲの間の差は約０．０８０から約０．０７０まで開きがある。而して、チャネル２５５０のパラメータを変更すると、中心での打球と中心外れの打球ともにパフォーマンスが変化する。表１１に参照されている全ての実施形態について見て分かる様に、１５ｍｍトウ寄り場所のＣＯＲはどの実施形態についても０．７５１より下には落ちていない。様々な実施形態では、１５ｍｍトウ寄りのＣＯＲは０．７５４より小さくはない。様々な実施形態では、１５ｍｍトウ寄りのＣＯＲは、０．７５７より小さくはない。
【０２００】
様々な配列では、ゴルフクラブヘッド２０００及びゴルフクラブヘッド２５００の実施形態は、性能特性を改変するように変えられており、当業者には、ここに開示されている実施形態は単なる修正型の諸例であることが理解されるであろう。様々な実施形態では、諸機構は１つの実施形態から別の実施形態へ移入されてもよく、又はここに記載されている開示の他の機構と組み合わされてもよい。各種機構の場所、向き、寸法、幅、長さ、高さ、及び配列は、様々な実施形態では改変されてもよい。開示の解釈上、逃し部端２５５４、２５５６及び端部分２１５４、２１５６は、応力逃し機構として機能している。現実施形態では、ＦＢＳ機構は、ゴルフクラブヘッド２０００、２５００、それぞれの打球面２１９２、２５９２から打球面２１１０、２６１０の全厚を貫いて延びているチャネル２１５０、２５５０である。但し、様々な実施形態では、打球面２１１０、２６１０を完全に貫いて延びてはいないＦＢＳ機構が含まれていてもよい。様々な実施形態では、ＦＢＳ機構は、ここに論じられている幾つかの性能上の利点をゴルフクラブヘッド２０００、２５００に開口を持たせることなく提供するように打球面２１１０、２６１０の後面に含まれていてもよい。その様な設計の例はこの開示内の他の箇所に見られるであろう。様々な実施形態では、現実施形態のＦＢＳ機構は、異なった種類の中心外れショットに対処する性能特性を提供するべく様々な実施形態のＦＢＳ機構と組み合わされてもよい。
【０２０１】
図２５Ａ−図２５Ｂを参照して見られる様に、現開示のゴルフクラブヘッド―ゴルフクラブヘッド２０００、２５００を含む―は、打球面２１１０’の可変厚さを含んでいてもよい。可変厚さ及びそれに付随する恩恵は、「ゴルフクラブヘッド」という名称で２００７年１２月２８日に出願されている米国特許第８，３５３，７８６号を参照するとより詳細に記載されている。図２５Ａの破断図を参照して見られる様に、ゴルフクラブヘッド２０００’の様なゴルフクラブヘッドは、ゴルフクラブヘッド２０００について記載されている諸機構を含んでいて、可変フェース厚さ（ＶＦＴ：variable face thickness）パターン２７１０’を含んでいる。現実施形態では、ＶＦＴパターン２７１０’は、「ゴルフクラブヘッド」という名称で２００７年１２月２８日に出願されている米国特許第８，３５３，７８６号に記載されている逆円錐である。ＶＦＴパターン２７１０’はフェース２１１０’のトウ部分１０４に近接する部分がヒール部分１０２に近接する部分とほぼ同じ厚さになるように、フェース２１１０’に沿ってほぼ対称でほぼ中心にある。ＶＦＴ２７１０’は、ＦＢＳ機構を含んでいないゴルフクラブヘッドのフェースに亘ってより一貫したＣＯＲを提供することができるとはいえ、ゴルフクラブヘッド２０００’はチャネル２１５０を含んでいる。様々な実施形態では、ゴルフクラブヘッド２０００’の様なＦＢＳ機構を含んでいるゴルフクラブヘッドについては中心を外れて打たれたショットから高いばらつきが見られることがあり、というのも、幾つかの実施形態では、打球面２１１０’のチャネル２１５０に近接する部分が予測不可能な撓み方をするからである。ばらつきと闘うために、ＶＦＴパターン２１７０’’は、中心フェースの外のチャネル２１５０に近接する厚肉領域を延長させた厚肉トウ部分２１７１’’を含んでいる。その様な配列なら、トウ部分２１７１’’は予測不可能な撓み方をすることはないので、ばらつきの低減化を可能にさせる。様々な実施形態では、増えたフェース厚さのせいで増加した質量に釣り合わせて、ゴルフクラブヘッド２０００’’の質量を削減することによって補償するべく質量ノッチ２１７２’’がゴルフクラブヘッド２０００’’に画定されていてもよい。現実施形態では、ノッチ２１７２’’は、ゴルフクラブヘッドの後方部分に画定されているが、それはゴルフクラブヘッド２０００’’の様々な要素に画定されていてもよい。
【０２０２】
追加の実施形態を開示し、以下に参照する。図２６Ａ−図２６Ｂに関連して示されている様に、ゴルフクラブヘッド２６００は、先の実施形態に関連して記載されている各種応力低減化機構を含んでいないチャネル２６５０を含んでいる。現実施形態では、チャネル２６５０は、ゴルフクラブヘッド２６００の中心線にほぼ平行であって溝１１２にほぼ垂直であるまっすぐなチャネルである。様々な実施形態では、チャネル２６５０の長さは変わっているかもしれないが、チャネル２６５０の方向に溝１１２の寸法とほぼ同じである。
【０２０３】
ゴルフクラブヘッド２７００の実施形態が図２７Ａに関連して示されている。ゴルフクラブヘッド２７００はチャネル２７５０を含んでいる。現実施形態では、チャネル２７５０は形状が曲線であり、ほぼ一定した曲率半径を有している。現実施形態では、湾曲は半径が約５インチ（１２．７センチメートル）であるが、半径１乃至１５インチ（２．５４乃至３８．１センチメートル）の様々な湾曲を使用することができるであろう。様々な実施形態では、湾曲は定半径である必要はない。現実施形態では、端点２７５４及び２７５６は、それら端点２７５４、２７５６が溝１１２及び理想打球場所１０１から最遠の要素となるようにして配置されている。現実施形態では、最近点２７５９は、チャネル２７５０の溝１１２及び理想打球場所１０１に最も近いとされる点である。現実施形態では、最近点２７５９は理想打球場所１０１より８ｍｍの距離だけ上方である。最近点２７５９は、チャネル２７５０のほぼ真ん中に発現している。本開示の様々な実施形態―曲線でないものを含む―では、様々なチャネルの中点は、同様に、理想打球場所より上に０ｍｍから１２ｍｍの間であってもよい。様々な実施形態では、最近点２７５０は、理想打球場所１０１と整列していることもあれば、理想打球場所１０１より下方に配列されていることもあろう。様々な実施形態では、端点２７５４、２７５６は、それらが溝１１２からほぼ等距離とならないように配列されていてもよい。様々な実施形態では、チャネル１７５０は、空間的に、それが溝１１２により近づくように又はより離れるように及び／又はフェース２７１０上により高く又はより低く配列されるように位置をずらされていてもよい。
【０２０４】
図２７Ｂに関連して開示されているゴルフクラブヘッド２７００’は、ゴルフクラブヘッド２７００のチャネル２７５０を含んでいるが、現開示の１つの実施形態による第２チャネル２７７５を含んでいる。現実施形態では、第２チャネル２７７５は、ゴルフクラブヘッド２７００’のヒール部分１０２に近接して配置されている。第２チャネル２７７５は、ここで他の箇所に様々なチャネルに関連して論じられている恩典の幾つかを、但しゴルフクラブヘッド２７００’のヒール部分１０２寄りに中心を外れて打たれたショットについて、提供するうえで有効である。現実施形態では、第２チャネル２７７５は、チャネル２６５０同様にまっすぐな直線状のチャネルであるが、異なった寸法である。但し、当業者には理解される様に、ここに開示されている何れの形状のチャネルが第２チャネル２７７５の場所に利用されてもよい。
【０２０５】
ゴルフクラブヘッド２８００が図２８Ａ−図２８Ｂを参照して見られる。ゴルフクラブヘッド２８００は、フェース１１０の後面１１０ｂに画定されているスコアライン２８５０であるＦＢＳ機構を含んでいる。スコアライン２８５０は、ゴルフクラブヘッド２６００でのチャネル２６５０の場所及び配列と同様の、ゴルフクラブヘッド２８００の場所及び配列に画定されている。ＶＦＴパターン２７１０’が現開示の配列には見てとれるが、他にもある中で特にＶＦＴパターン２７１０’’を含む様々なＶＦＴパターンを現実施形態と共に利用することができる。
【０２０６】
ゴルフクラブヘッド２９００が図２９Ａ−図２９Ｂを参照して見られる。ゴルフクラブヘッド２９００は、チャネル２９５０及び第２チャネル２９７５を含んでいる。現実施形態では、チャネル２９５０は、チャネル２７５０同様に湾曲しているが８インチ（２０．３２ｃｍ）の異なった半径を有している。現開示の第２チャネル２９７５もＸＸインチの半径で湾曲している。見て分かる様に、ＶＦＴパターン２７１０’がゴルフクラブヘッド２９００と一体に含まれている。先に説明されている幾つかの実施形態と同じく、チャネル２９５０及び第２チャネル２９７５はフェース１１０の全厚を貫いて延びている。
【０２０７】
１１．複数の可撓性境界機構
現開示の多様なＦＢＳ機構を含むゴルフクラブヘッド３０００が、図３０Ａ−図３０Ｂを参照して見られる。ゴルフクラブヘッド３０００は、トウ部分１０４に近接する第１チャネル３０５０又は「トウ側チャネル」、ヒール部分１０２に近接する第２チャネル３０７５又は「ヒール側チャネル」、トップライン部分１０６に近接する第３チャネル３０８０又は「トップラインチャネル」、及びソール部分１０８に近接する第４チャネル３０９０又は「ソール側チャネル」、を含んでいる。第１チャネル３０５０、第２チャネル３０７５、第３チャネル３０８０、及び第４チャネル３０９０は全て、ゴルフクラブヘッド３０００の打球面３１１０を貫いて画定されており、それにより、打球面３１１０の各端に沿ってＦＢＳ機構を提供している。図３０Ｂを参照して見てとれる様に、ＦＢＳ機構が、ゴルフクラブヘッド３０００のソール部分１０８にも画定されていて、現開示の他のチャネル、例えばチャネル１５０と同様に画定されているソールチャネル３０５５を含んでいる。現実施形態では、第１チャネル３０５０、第２チャネル３０７５、第３チャネル３０８０、及び第４チャネル３０９０の各々は、チャネル２６５０（図２６Ａ−図２６Ｂに見られる）と同様の直線状チャネルである。
【０２０８】
ゴルフクラブヘッド３１００の実施形態が図３１Ａ−図３１Ｃを参照して見られる。ゴルフクラブヘッド３１００は、ゴルフクラブヘッド３０００の諸機構を含んでいるが、第４チャネル３０９０（図３０Ａ−図３０Ｂに見られる）を省略しており、ゴルフクラブヘッド３０００の残りの機構を含んでいる。見て分かる様に、第１チャネル３０５０、第２チャネル３０７５、及び第３チャネル３０８０が、打球面３１１１を貫いて画定されており、ソールチャネル３０５５がソール部分１０８に画定されている。
【０２０９】
ゴルフクラブヘッド３２００の実施形態が図３２Ａ−図３２Ｃを参照して見られる。ゴルフクラブヘッド３２００は、第１チャネル３２５０と第２チャネル３２７５を含んでいる。現実施形態では、第１チャネル３２５０と第２チャネル３２７５の各々は、少なくとも、トップライン１０６に近接する１つの部分とトップライン１０６から遠位の１つの部分を含んでいる。
【０２１０】
現実施形態では、第１チャネル３２５０は、トップライン１０６に近接する第１部分３２５４とトウ部分１０４に近接する第２部分３２５６を含んでいる。第１部分３２５４と第２部分３２５６は半径３２５８によって連接している。現実施形態では、半径３２５８は約４−１２ｍｍである。半径３２５８は、チャネル３２５４での応力集中の防止を援助する。一般的に、大半径３２５８は小半径３２５８よりも効果的に応力集中を防止する。但し、様々な実施形態では、材料に配慮することで著しく大きい半径の必要性は除かれるであろう。現実施形態では、第１部分３２５４は全体的にトップライン１０６をなぞっており、第２部分３２５６は全体的に中心線（理想打球場所１０１と一致する線として先に定義されている）に平行である。而して、第１部分３２５４は第２部分３２５６に対して角度３２５９に配列されている。現実施形態では、角度３２５９は約７５°から４５°の間であってもよく、角度３２５９は鋭であるが、様々な実施形態は様々な角度を含んでいよう。また一方、様々な実施形態では、角度３２９５は種々の角度であってもよく、様々な実施形態では鈍又は直角であってもよい。
【０２１１】
同様に、第２チャネル３２７５は、第１部分３２７４と第２部分３２７６を含んでいる。第１部分３２７４と第２部分３２７６は半径３２７８によって連接している。現実施形態では、半径３２７８は約４−１２ｍｍである。一般的に、半径３２７８の特徴は先に半径３２５８に関して論じられているものと同様である。第１部分３２７４は全体的にトップライン１０６をなぞっており、第２部分３２７６は全体的に中心線（理想打球場所１０１と一致する線として先に定義されている）に平行である。而して、第１部分３２７４は第２部分３２７６に対して角度３２７９に配列されている。現実施形態では、角度３２７９は約１８０°から角度３２５９を引いたものであり、角度３２７９は鋭である。而して、角度３２７９は約１３５°から１０５°の間であるが、様々な実施形態は様々な角度を含んでいよう。また一方、様々な実施形態では、角度３２７９は種々の角度であってもよく、様々な実施形態では鋭又は直角であってもよい。様々な実施形態では、第１部分３２５４も第１部分３２７４もトップラインをなぞっている必要はないが、その様な配列は様々な実施形態では理想的な性能を提供することができよう。
【０２１２】
ゴルフクラブヘッドの別の実施形態が図３３Ａ−図３３Ｂを参照して見られる。ゴルフクラブヘッド３３００は、トウ部分１０４に近接する第１チャネル３３５０とヒール部分１０２に近接する第２チャネル３３７５を含んでいる。現実施形態では、各チャネル３３５０、３３７５は、チャネル２７５０と同様の曲線である。現実施形態では、両チャネル３３５０、３３７５の曲率半径はほぼ同じであるが、様々な実施形態では、半径は異なっていてもよいし、一定でなくてもよい。現実施形態では、第２チャネル３３７５は第１チャネル３３５０より小さい、というのも、ヒール部分１０２に近接するその配置場所が第２チャネル３３７５の寸法への物理的制限をもたらすからである。とはいえ、様々な実施形態では、チャネル３３５０、３３７５はほぼ同じ寸法であってもよい。
【０２１３】
ゴルフクラブヘッド３４００の別の実施形態が図３４Ａ−図３４Ｃを参照して見られる。ゴルフクラブヘッド３４００は、第１チャネル３４５０及び第２チャネル３４７５を含んでいる。第１チャネル３４５０は及び第２チャネル３４７５は、図３０Ａに見られる第１チャネル３０５０及び第２チャネル３０７５と同様であるが、改変された大きさを有している。例えば、チャネル３４５０は全体長さがより小さく、チャネル３４５０の中心に位置する点３４５１が第１チャネル３０５０で見られるよりもソール部分１０８により近接に配置されるようにして設置されている。
【０２１４】
現実施形態に戻るが、ゴルフクラブヘッド３４００は、ソール部分１０８を貫いて延びているソールチャネル３４５５を含んでおり、ソールチャネル３４５５はゴルフクラブヘッド３４００のソール部分１０８から背部分１２８まで実質的につながるように延びている。現実施形態では、背部分１２８は、背部分リップ３４７２が背部分１２８の全体を廻って延び、それによりゴルフクラブヘッドのキャビティ部分の周囲を廻ってアンダーカットチャネルを画定することによって画定されている、アンダーカット陥凹３４７０を含んでいる。アンダーカットチャネルをそれがゴルフクラブヘッド３４００の全体を廻って連続するように配列することによって、ゴルフクラブヘッド３４００は種々の配列での質量軽減化を提供することができ、ゴルフクラブヘッド３４００の重心が重量を増やすことなく精密に位置決めされる。加えて、アンダーカットチャネルは、種々の実施形態ではＣＯＲ増加を提供することができ、種々の実施形態ではより一貫したＣＯＲを提供することができ、また種々の実施形態ではより高い慣性モーメントを提供することができ、それらは全てゴルフクラブヘッド３４００の性能を向上させる。
【０２１５】
１２．孤立型フェース
現開示の別の実施形態が、図３５Ａ−図３５Ｄを参照して見られる。ゴルフクラブヘッド３５００は、ゴルフクラブヘッド３５００の打球面３５１０の周辺周りに配置されている複数のチャネル３５５０を含んでいる。複数のチャネル３５５０は、実質的に打球面３５１０を主本体３５１３から孤立させるように配列されている。現実施形態では、複数のチャネル３５５０は、ゴルフクラブヘッド３５００に、本開示の他の箇所で打球面３５１０のより広い範囲に沿った打球について説明されているＦＢＳ機構に因る記載されている利点を可能にさせるＦＢＳ機構として機能する。
【０２１６】
現実施形態では、複数のチャネル３５５０は第１チャネル列３５５２が打球面３５１０に近接して配置され、第２チャネル列３５５４が主本体３５１３に近接して配置されるように配列されている。現実施形態では、各チャネル列３５５３、３５５４内の個々のチャネルは、チャネル列３５５２、３５５４全体を通じて周期的な間隔で配置されている複数の柱３５５５によって、他の個々のチャネルから分離されている。複数の柱３５５５は、ゴルフクラブヘッド３５００の周辺を廻って十分なＦＢＳ機構を提供しつつ打球面３５１０と主本体３５１３の間の機械的付着を提供している。現実施形態では、第１チャネル列３５５２は第２チャネル列３５５４にほぼ平行しているが、様々な実施形態では、チャネル列３５５２、３５５４の配列は、配列変えされているか又は異なった向き付けであってもよい。様々な実施形態では、複数のチャネル３５５０内の様々な個々のチャネル及び柱の寸法、場所、及び数は、当業者なら理解される様に改変されてもよい。現実施形態では、複数のチャネル３５５０は、トップライン部分１０６、ソール部分１０８、及びトウ部分１０４に近接して、ゴルフクラブヘッド３５００の周辺を廻って延びている。それらの領域では、複数のチャネル３５５０は打球面３５１０を貫いて延びていないが、当業者にはその様な配列は様々な実施形態では修正され得るものであることが理解されるであろう。現実施形態では、複数のチャネル３５５０は、ヒール部分１０２に近接して打球面を貫いて延びている。現実施形態では、複数のチャネル３５５０は、トップライン部分１０６及びソール部分１０８から打球面３５１０の中へ延びていて、少なくとも１つの個別のチャネルがゴルフクラブヘッド３５００の複数部分を跨いで延びるという「ラップ（wrap：取り巻き）」効果を有効にもたらしている。
【０２１７】
特に図３５Ｄを参照して見られる様に、ソール側ラップ点３５６８は、複数のチャネル３５５０がゴルフクラブヘッド３５００の周辺から主本体３５１３に沿って打球面３５１０へ移行している場所を指し示している。図３５Ｂを参照して見られる様に、トップラインラップ点３５６９は、トップライン部分１０６上のソール側ラップ点３５６８に類似する点を指し示している。而して、ゴルフクラブヘッド３５００は、打球面３５１０を包囲するＦＢＳ機構を含んでおり、打球面３５１０の全部分に沿って可撓性境界を提供している。様々な実施形態では、ゴルフクラブヘッド３５００上のＦＢＳの配置場所は変わっていてもよい。例えば、様々な実施形態では、複数のチャネル３５５０は、ゴルフクラブヘッド３５００の周辺に沿って延びているだけである。様々な実施形態では、ＦＢＳは、複数のチャネル３５００と同様の構造ではあるが但し同じ配列を有していない。例えば、現実施形態では、柱３５５５は第１チャネル列３５５２と第２チャネル列３５５４の間で配置場所が１つとばしになっていてもよい。様々な実施形態では、柱３５５５は様々な個々のチャネルの間で整列していてもよいし又は非類似であってもよい。様々な実施形態では、ゴルフクラブヘッド３５００は、現開示の他の箇所で論じられているものと同様のアンダーカット部分を含んでいてもよい。
【０２１８】
１３．チャネルラップ
ゴルフクラブヘッド３６００及び３６００’の実施形態が図３６Ａ−図３６Ｂを参照して見られる。特に図３６Ａを参照して、ゴルフクラブヘッド３６００は、第１チャネル３６５０、第２チャネル３６７５、及びソールチャネル３６５５即ち第３チャネル、を含むＦＢＳ機構を含んでいる。現実施形態では、第１チャネル３６５０と第２チャネル３６７５の各々は、理想打球場所１０１より上へは延びていない直線状チャネルである。但し、第１チャネル３６５０と第２チャネル３６７５の各々は、打球面３６１０からゴルフクラブヘッドのソール部分１０８の中まで延びている。現実施形態では、第１チャネル３６５０、第２チャネル３６７５、及びソールチャネル３６５５は、それぞれ別々に、ゴルフクラブヘッド３６００内に画定されている。ゴルフクラブヘッド３６００’―図３６Ｂに示されている―は、現開示の様々な実施形態に関連して記載されている修正型の例を提供している。ゴルフクラブヘッド３６００’は、ゴルフクラブヘッド３６００の様々なチャネルと同様に配列されている第１部分３６５０’、第２部分３６７５’、及びソール部分３６５５’即ち第３部分、を含む単一チャネル３６２５’であるＦＢＳ機構を含んでいる。ゴルフクラブヘッド３６００’は、単一チャネルが打球面３６１０’からソール部分１０８までを取り囲んでいる例示としての実施形態を提供している。ゴルフクラブヘッド３６００’は、更に、当業者には理解されるはずの修正型の例示としての実施形態を提供している。同様の修正型は、ここに記載されている幾つかの実施形態の修正型として現開示の他の箇所で参照されている。先の実施形態に関連して論じられている様に、第１ラップ点３６８３’及び第２ラップ点３６８７’が、チャネル３６２５’のソール部分１０８から打球面３６１０’まで移行している部分を画定している。
【０２１９】
同様に、ゴルフクラブヘッド３７００及び３７００’の実施形態が図３７Ａ−図３７Ｂを参照して見られる。ゴルフクラブヘッド３７００は、第１チャネル３７５０と第２チャネル３７７５が理想打球場所１０１より上まで延びていることを除いてゴルフクラブヘッド３６００と同様の構成を含んでいる。ソールチャネル３７５５即ち第３チャネルは、ソールチャネル３６５５と実質的に同じである。同じく、ゴルフクラブヘッド３７００’は、第１部分３７５０’、第２部分３７７５’、及びソール部分３７５５’即ち第３部分、を有する単一チャネル３７２５’を含んでいる。チャネル３７２５’は第１ラップ点３７８３’及び第２ラップ点３７８７’を含んでいる。
【０２２０】
図３８は、ここに記載されているものの様なゴルフクラブヘッドについてのフェースマップを示している。フェースマップは、理想打球場所１０１、を理想打球場所１０１に対比して測定した試験用の他の打球場所と併せて示している。点３８０１は理想打球場所１０１に向かって１０ｍｍに位置しており、ゴルフクラブヘッドのバランス点と一致している。点３８０２はフェース平面に平行な次元に沿って測定して点３８０１より５ｍｍ下に位置している。点３８０２は、従って、理想打球場所１０１より１０ｍｍ下のトウ寄り５ｍｍに位置している。点３８０３はゴルフクラブヘッドの中心線に沿って理想打球場所より５ｍｍ下に位置している。点３８０４は理想打球場所より５ｍｍ下１０ｍｍヒール寄りに位置している。
【０２２１】
現開示に記載されているゴルフクラブヘッドを様々な点１０１及び３８０１−３８０４で打った場合に関して試験した。結果を表１２に関連して示す。
【０２２２】
【表１２】
2015128580.tif 000017
【０２２３】
表１２に示されている様に、ゴルフクラブヘッド３４００、３６００、３６００’、３７００、３７００’の様々な実施形態は、理想打球場所及び中心外れ打球場所１０１、３８０１、３８０２、３８０３、３８０４について異なったＣＯＲ応答を示している。例えば、ゴルフクラブヘッド３７００’の点３８０１は試験したところ０．７６６のＣＯＲを有した。見て分かる様に、理想打球場所１０１のＣＯＲは、少なくとも２つの実施形態については、０．８２８を下回っていない。複数の実施形態について、理想打球場所１０１０のＣＯＲは０．８２を下回っていない。全ての実施形について、理想打球場所１０１のＣＯＲは０．８１を下回っていない。点３８０１での打球について、ＣＯＲは複数の実施形態については０．７９を下回っていない。全ての実施形態について、点３８０１のＣＯＲは０．７６を下回っていない。点３８０２の打球について、少なくとも１つの実施形態（ゴルフクラブヘッド３６００’）でＣＯＲは０．７５を下回っていない。複数の実施形態について、点３８０２のＣＯＲは０．７４５又は０．７４を下回っていない。全ての実施形態について、点３８０２のＣＯＲは０．７２を下回っていない。少なくとも２つの実施形態について、点３８０３のＣＯＲは０．７８５を下回っていない。複数の実施形態について、点３８０３のＣＯＲは０．７８を下回っていない。全ての実施形態について、点３８０３のＣＯＲは０．７７を下回っていない。少なくとも３つの実施形態について、点３８０４のＣＯＲは０．７５５を下回っていない。複数の実施形態について、点３８０４のＣＯＲは０．７５を下回っていない。全ての実施形態について、点３０８４のＣＯＲは０．７４５を下回っていない。
【０２２４】
１４．データ検証
様々な機構の比較のため、製品モデルのゴルフクラブヘッド同士を、それらゴルフクラブヘッドへ様々なＦＢＳ機構を機械加工することによって比較した。基線ヘッドモデルを使用しており、加工前と加工後のＣＯＲ試験に係り、様々なゴルフクラブヘッド周りの様々な場所にＦＢＳ機構を機械加工した。複数の実施形態が示されており、様々な実施形態について図３９Ａ−図４１Ｂの中に結果がプロットされている。示されている様々なプロットについて、ＣＯＲは対ヒール寄り打球場所で測定されており、０．０を理想打球場所１０１での打球とし、ヒール寄りを正の横軸値で指示し、トウ寄りを負の横軸値で指示し、ＣＯＲ落ち込みを縦軸に沿って指示している。様々な実施形態を、理想打球場所１０１、５ｍｍヒール寄り、５ｍｍトウ寄り、及び１０ｍｍトウ寄りで試験した。
【０２２５】
図３９Ａ−図３９Ｂを参照して見てとれる様に、ゴルフクラブヘッド３９００は、トウ部分１０４に機械加工されたチャネル３９５０を含んでいる。ＣＯＲ差は、打球場所がＦＢＳ（トウ部分１０４の中へ機械加工）に近づくにつれてあまり劇的でなくなっている。而して、最も大幅なＣＯＲ差は最もヒール寄りの打球（約０．０１１）に起こり、最も小幅なＣＯＲ差は最もトウ寄りの打球（約０．００５）に起こっている。中心フェース打球のＣＯＲ利得は約０．００７である。５ｍｍヒール寄りのＣＯＲ利得は約０．０１０である。５ｍｍトウ寄りのＣＯＲ利得は約０．００７である。１０ｍｍトウ寄りのＣＯＲ利得は約０．００５である。
【０２２６】
図４０Ａ−図４０Ｂを参照して、ゴルフクラブヘッド４０００は、トウ部分１０４の中へ機械加工された、ゴルフクラブヘッド３９００のチャネル３９５０と同様の第１チャネル４０５０を含んでいる。加えて、ゴルフクラブヘッド４０００は、ゴルフクラブヘッドのヒール部分１０２の中へ機械加工された第２チャネル４０７５を打球面１１０に含んでいる。見て分かる様に、殆どの場所についてＣＯＲ性能はほぼ同じであるが、中心打球ＣＯＲとほぼ同じＣＯＲを有するヒール寄り打球ＣＯＲにはある程度の性能利得が見られた。中心フェース打球のＣＯＲ利得は約０．００２である。５ｍｍヒール寄りのＣＯＲ利得は約０．０１２である。５ｍｍトウ寄り及び１０ｍｍトウ寄りのＣＯＲ利得は各々約０．００２である。
【０２２７】
対照として、図４１Ａ−図４１Ｂを参照して、ゴルフクラブヘッド２７００’を機械加工により製造し、機械加工前の性能と比較した。ゴルフクラブヘッド２７００’の実施形態では、実質的な性能利得は１０ｍｍトウ寄り打球で見られており、０．０２０より大きいＣＯＲ改善を示している。而して、ゴルフクラブヘッド２７００’では、チャネル無しの同じゴルフクラブヘッドに比較して、チャネル２７５０、２７７５有りでは飛距離の実質的減少がより少ないと示されていることになる。中心フェース打球のＣＯＲ利得は約０．０１０である。５ｍｍヒール寄りのＣＯＲ利得は約０．０１１である。５ｍｍトウ寄りのＣＯＲ利得は約０．０１１である。１０ｍｍトウ寄りのＣＯＲ利得は約０．０２２である。
【０２２８】
１５．打音性能の変化
現開示のゴルフクラブヘッドの様々な機構は、ゴルフクラブの設計及び性能の各種態様における性能上の恩典を提供している。更に別の性能上の利点は、打音特性の改質である。
【０２２９】
ゴルフクラブヘッドの一部の実施形態では、打音特徴を改質するのは難しいかもしれない。その様な特徴は、この開示の他の箇所に説明されている、ボール速度、ＣＯＲ、スピン、及び様々な他の性能上の属性を含む性能特性を改変することはないにしろ、打音は、特定のショットを良くも悪くも増強し、当該打音が特定の出来栄えと関連付けられることによって、ゴルファーのパフォーマンスの知覚に影響を及ぼし得る。特に或る一定の周波数範囲及び高振幅では、ゴルファーは、ミスヒットが起こっていないにもかかわらずショットが下手な打ち方だと知覚する可能性がある。例えば、図４２を参照すると、ゴルフクラブヘッド２００が特定の周波数モード形状及び振幅を描くモード分析に示されている。示されているゴルフクラブヘッド２００の実施形態では、一次フェースモード４２０１は、約３３００Ｈｚであり、ピーク振幅をゴルフクラブヘッド２００のトップライン部分１０６近くに有している。
【０２３０】
特に現開示のゴルフクラブヘッドを参照して、より活性的なフェースモードは、特定の周波数の好ましからざるモード及び振幅の潜在的減衰を可能にさせる。より適切な減衰は、性能が殆ど同一でありながら打音及び打感に優れたゴルフクラブをもたらすことができる。所望のモード及び周波数は、関連付けられる諸モードの、エネルギー、モード形状、場所、周波数、持続期間、及び振幅に基づく。モード分析は、ピーク周波数が起こる場所及びどのように設計を修正すればその様な望ましからざるモード／周波数を解決できるかということへの洞察を提供する。
【０２３１】
一般的に、ピークモードがフェース上へ動くと、ピークモードを減衰によって制御できるようになるのに対し、トップライン上のモードは容易に減衰されない。追加的に図４２を参照して―またゴルフクラブヘッド２７００’の実施形態及びゴルフクラブヘッド２６００’のそのヒール部分１０２に近接して単一チャネルを有している実施形態を更に参照して―分かる様に、フェースへのスロット導入の技術（具体的にはヒールスロット及びトウスロット）は、モードを容易に減衰されない場所からもっと容易に減衰される中心フェース近くへずらす。具体的には、ゴルフクラブヘッド２７００’を参照すると、一次フェースモード４２１１は理想打球場所１０１近くへ動いている。図４２の図から見てとれる様に、打球面１１０の後面１１０ｂはアクセス可能であり、減衰具又はバッジを打球面１１０の後面１１０ｂへ接着式に固定させるなり又はそれ以外に機械的に付着又は接続させるなりすることができる。その様な配列はゴルフクラブヘッド２００では実施可能であるが、一次モード４２０１がゴルフクラブヘッド２００のトップライン部分１０６に近接している場合は、一次モードを減衰させようと試みる際に課題を生じさせる。而して、示されているゴルフクラブヘッド２００の特定の実施形態は有効に減衰させられないこともある。
【０２３２】
現開示の設計の１つの利点は、ゴルフクラブヘッドの一次モードをゴルフクラブヘッドのトップラインよりも理想打球場所に近い場所へ動かすことができる、ということである。様々な実施形態では、一次モードはトップライン部分よりも理想打球場所に近くなっていないかもしれないが、それでもなおバッジの導入により有効に減衰させることができる。
【０２３３】
引き続きゴルフクラブヘッド２７００’を参照して、一次モード４２１１の中心点は、様々な実施形態では理想打球場所１０１の２０ｍｍ以内に見られる。現実施形態では、一次モードの中心点は理想打球場所１０１から約６ｍｍであり、チャネルの様々な寸法及び配列は一次モード４２１１を理想打球場所１０１の３−１５ｍｍ以内に動かすことができる。
【０２３４】
１６．例示としての実施形態
ゴルフクラブヘッド５０００が図４３Ａ−図４３Ｇに示されており、それは、ここに開示されている様々な実施形態の諸機構を含んでおり、性能のために様々な実施形態の諸要素を組み合わせる場合の例示である。特に図４３Ａを参照して、ゴルフクラブヘッド５０００は、ここで他の箇所に開示されている打球面１１０上の第１チャネル３０５０及び第２チャネル３０７５並びにソールチャネル３４５５（図４３Ｃ−図４３Ｄに示されている）を含んでいる。図４３Ｂを参照して見られる様に、減衰具５０５０がゴルフクラブヘッド５０００のキャビティに含まれている。現実施形態での減衰具５０５０は、ゴム、シリコン、エラストマー、及び／又は他の比較的に低弾性率の材料、並びに当技術で知られている各種金属及び他の材料とすることができる。現実施形態では、減衰具５０５０は、第１チャネル３０５０を越えて延びておらず、破断部分から透視図に見えるだけである。なお指摘しておくべきこととして、図４３Ｂの切断平面はソールチャネル３４５５の中心を通っておらず、而してソールチャネル３４５５は図４３Ｃ−図４３Ｇを参照したほうが分かり易い。図４３Ｃ−図４３Ｇについて、ゴルフクラブヘッド５０００の諸機構を識別するのを容易にするために減衰具５０５０は図から除去されている。
【０２３５】
図４３Ｃを参照して見られる様に、ゴルフクラブヘッド５０００はＶＦＴパターン２７１０’を含んでいる。見て分かる様に、第１端２５６４及び第２端２５６６は、それぞれ、上逃し部２５５４及び下逃し部２５５６を有しており、それらは現開示についてはチャネルの幅と同じ約２ｍｍの直径である。而して、ゴルフクラブヘッド５０００の、チャネル３０５０の端の応力集中に耐える能力を高めるべく、上逃し部５０５４及び下逃し部５０５６が提供されている。逃し部５０５４、５０５６は、チャネル３０５０の端に近接して厚肉領域を含んでいる。応力耐久性は、応力下の外形の厚さの三乗に比例して増加する。而して、打球面１１０―特にチャネル３０５０、３０７５に近接する領域、より厳密には端２５６４、２５６６に近接する領域―の厚さ増加は、チャネル３０５０、３０７５の性能を維持しながらも耐久性を増加させるうえで助けとなる。現実施形態では、厚肉領域逃し部５０５４、５０５６は、逃し部５０５４、５０５６を持たない打球面１０１の平均厚さの約２倍の厚さ増加をもたらす。様々な実施形態では、逃し部５０５４、５０５６は、逃し部５０５４、５０５６を持たない打球面１０１の平均厚さの約１．５倍の厚さ増加をもたらす。同様の逃し部５０５８、５０６２がチャネル３０７５について提供されている。
【０２３６】
図４３Ｄ、図４３Ｅ、及び図４３Ｆは、ソールチャネル３４５５及びそれのゴルフクラブヘッド５０００に対する位置関係の追加の図を提供している。特に図４３Ｅを参照して分かる様に、ソールチャネル３４５５はソールバー１３５を完全に貫いて画定されている。但し、様々な実施形態では、チャネル３４５５は、ソール部分１０８のソールバー１３５以外の場所を貫いて延びるように画定されていてもよいし、チャネル３４５５は、ソール部分１０８からそのままキャビティ１２０の中へ延びていてもよい。図４３Ｇは、減衰具５０５０の無いゴルフクラブヘッド５０００の後面図を提供している。
【０２３７】
指摘しておくべきこととして、他にもあろうが中でもとりわけ、原文の「ｃａｎ」、「ｃｏｕｌｄ」、「ｍｉｇｈｔ」、又は「ｍａｙ」の対訳である「〜できる」、「〜できよう」、「〜し得る」、「〜てもよい」の様な条件語句は、他に特に指定のない限り、又は用いられている文脈内で別様に理解されない限り、概して、或る特定の実施形態が或る特定の機構、要素、及び／又は工程を含んでおり、一方、他の実施形態はそれら特定の機構、要素、及び／又は工程を含んでいない、ということを伝えることを意図している。而して、その様な条件語句は、概して、機構、要素、及び／又は工程が何らかのやり方で１つ又はそれ以上の特定の実施形態にとって必須であるということを示唆するものでもなければ、１つ又はそれ以上の特定の実施形態が、ユーザー入力又はユーザープロンプティング有り又は無しに、これらの機構、要素、及び／又は工程を何れかの特定の実施形態に含ませるかどうか又は何れかの特定の実施形態で遂行させるべきかどうかを決定するための論理を必然的に含んでいることを示唆するものでもない。
【０２３８】
以上に記載されている実施形態は実施形の考えられ得る例にすぎず、単に本開示の原理の明快な理解のために示されていることを強調しておきたい。流れ線図中の何れかのプロセス記述又はブロックは、プロセス中の特定の論理機能又は工程を実施するための１つ又はそれ以上の実行可能な命令を含んでいるコードのモジュール、セグメント、又は部分を表しているものと理解されるべきであり、本開示の技術分野の当業者であれば理解される様に、機能が、一切含まれていない又は実行されない代わりの実施形態、機能が、関与する機能性に依存して、実質的に同時又は逆順を含め、示されている又は論じられている順序から脱して実行される代わりの実施形も含まれる。以上に記載の（単数又は複数の）実施形態には、本開示の精神及び原理から実質的に逸脱することなく、多くの変型及び修正がなされる余地がある。また、本開示の範囲は、以上に論じられている全ての要素、機構、又は態様のありとあらゆる組合せ及び部分的組合せを網羅するものとする。全てのその様な修正及び変型は、ここに、本開示の範囲内として含まれるものとし、要素又は工程の個別の態様又は組合せに対する全ての考えられ得る請求は本開示によって支持されるものとする。
【符号の説明】
【０２３９】
１００  ゴルフクラブヘッド
１０１  理想打球場所
１０２  ヒール
１０３  ＣＧｚ軸
１０４  トウ
１０５  ＣＧｘ軸
１０６  トップライン部分
１０７  ＣＧｙ軸
１０８  ソール部分
１０９  ＣＧｚ上方軸
１１０  打球面
１１０ａ  前面
１１０ｂ  後面
１１１  地平面
１１２  スコアライン溝
１１３  クラブヘッド本体
１１４  ホーゼル
１１５  ホーゼル中心軸
１１６  ソールのヒール側
１１７  ソールのトウ側
１１８  クラブヘッドの前方端
１１９  クラブヘッドの後方端
１２０  内部キャビティ
１２１  振動減衰プラグ
１２５  フェース平面
１２８  背部分
１３０  前部分
１３２  背壁
１３２ａ  外側背壁面
１３２ｂ  内側背壁面
１３３  開口
１３４  陥凹部
１３５  ソールバー
１３６  畝
１３８  後部突起
１４２  リーディングエッジ
１４４  ソールの前方部分
１５０  チャネル
１５２  前方壁
１５４  後方壁
１９０  下接点
１９１、１９３  地平面と４５°の角度を成す線
１９２  上接点
２００  ゴルフクラブヘッド
２０８  ソール部分
２０８ａ  前方ソール外面
２０８ｂ  後方ソール外面
２１０  打球面
２１１  地平面
２２３  充填材料
２２５  打球面平面
２２６  フェース平面投影点
２２７  チャネル中心線投影点
２２８  背部分
２２９  チャネル中心線
２３２  背壁
２３５  ソールバー
２４４  ソールの前方部分
２４５  トレーリングエッジ
２４６  トレーリングエッジ投影点
２４９  チャネル外側面の略外形
２４９ａ  内部側
２４９ｂ  外部側
２５０  チャネル
２５２  前方壁
２５２ａ  前方壁外面
２５４  後方壁
２５４ａ  後方壁外面
２５６  上方壁
２５６ａ  上方壁外面
２５８  チャネル開口部
２６０  第１ヒンジ領域
２６２  第２ヒンジ領域
２６４  前方チャネル進入点
２６５  後方チャネル進入点
２６６  前方チャネル進入点と後方チャネル進入点をつなぐ仮想線
２６６ａ  仮想線の中点
２６７  上方チャネル頂点
３００  ゴルフクラブヘッド
３０１  理想打球場所
３５０  チャネル
４００  ゴルフクラブヘッド
４１１  地平面
４５０  チャネル
４５２  前方壁
４５４  後方壁
５００  ゴルフクラブヘッド
５０１  理想打球場所
５１０  打球面
５５０  チャネル
６００  ゴルフクラブヘッド
６５０  チャネル
７００  ゴルフクラブヘッド
７５０  チャネル
８００  ゴルフクラブヘッド
８５０  チャネル
９００  クラブヘッド
９５０  チャネル
９５２  前方チャネル壁
９５４  後方チャネル壁
９５６  上方チャネル壁
１０００  キャビティバックアイアンクラブヘッド
１００８  ソール
１０３４  陥凹部
１０３５  ソールバー
１０４２  リーディングエッジ
１０４４  ソールの前方部分
１０５０  スロット
１０５８  開口部
１０７０  第１曲線領域
１０７０ａ  頂点
１０７２  第２曲線領域
１０７２ａ  頂点
１０７３  中央接続領域
１１００  クラブヘッド
１１０２  ヒール部分
１１０４  トウ部分
１１０８  ソール
１１２８  クラブヘッドの背部分
１１３０  クラブヘッドの前部分
１１４２  リーディングエッジ
１１５０  スロット
１１５０ａ  スロットのトウ側端
１１５０ｂ  スロットのヒール側端
１１７０  第１曲線領域
１１７２  第２曲線領域
１１７３  中央接続領域
１１７４  曲線
１１７４ａ  トウ側端
１１７４ｂ  ヒール側端
１１７４ｃ  頂点
１１７６  第１直線状領域
１１７８  第２直線状領域
１１８０  主部分
１１８２  副部分
１１８３  ヒールリリーフ部分
１１８４  トウリリーフ部分
１１８５  半径領域
１１８６  ヒールリリーフ部分
１１８７  トウリリーフ部分
１２００  クラブヘッド
１２０２  ヒール領域
１２０４  トウ領域
１２０８  ソール
１２１０  打球面
１２２０  内部キャビティ
１２３４  陥凹部
１２５０  チャネル
１３０２  ヒール領域
１３０４  トウ領域
１３０８  ソール領域
１３５０ａ  第１チャネル
１３５０ｂ  第２チャネル
１４０２  ヒール領域
１４０４  トウ領域
１４０８  ソール
１４１０  打球面
１４５０  チャネル
１５００  クラブヘッド
１５０８  ソール領域
１５１０  打球面
１５１１  地平面
１５２２  仮想基準線
１５２９ａ  第１チャネル中心線
１５２９ｂ  第２チャネル中心線
１５３５  ソールバー
１５４４  ソールの前方部分
１５５０  第１チャネル
１５５１  第２チャネル
１５５２  第１チャネルの前方壁
１５５３  第３チャネル
１５５４  第１チャネルの後方壁
１５５５  第２チャネル後方壁
１５５６  第１チャネルの上方壁
１５５７  第２チャネル下方壁
１５５８  第１チャネル開口部
１５５９  第２チャネル開口部
１５６０  第１ヒンジ領域
１５６２  第２ヒンジ領域、第４ヒンジ領域
１５６４  第３ヒンジ領域
１５６８  第３チャネル後方壁
１５６９  第３チャネル上方壁
１５７１  第３チャネル開口部
１６００  ゴルフクラブセット
１６０２  シャフト
１６０４  ゴルフクラブヘッド
１７００  キャビティバックアイアンゴルフクラブヘッド
１７０６  トップライン
１７１０  打球面
１７３５  ソールバー
１７４４  ソールの前方部分
１７５０  チャネル
１７５２  前方壁
１７５４  後方壁
１７５６  上方壁
１７９４  切り抜き又は窓
１９００  キャビティバックアイアンゴルフクラブヘッド
１９０６  トップライン
１９０８  ソール
１９１０  打球面
１９３４  陥凹部
１９３５  ソールバー
１９４４  ソールの前方部分
１９５０  ソールスロット
１９９６  張り出し部材
１９９８  軸方向経路
１９９８ａ  下経路領域
１９９８ｂ  中間経路領域
１９９８ｃ  上経路領域
Ｄ１  フェースからチャネル（スロット）までの距離
Ｄ２  チャネル（スロット）から後部までの距離
Ｄ３  ソール幅
ＤＣＨ  クラブヘッド奥行
ＤＦ  ギャップ
ＤＳＥＰ  チャネル離隔距離
Ｈ１  （第１）チャネル（スロット）深さ
Ｈ１ＭＡＸ  最大チャネル（スロット）深さ
Ｈ１ＡＶＧ  平均チャネル（スロット）深さ
ＨＣＨ  クラブヘッド高さ
ＨＷ  窓高さ
Ｈｃ  中央部深さ
Ｈｈ  ヒール側深さ
Ｈｔ  トウ側深さ
Ｌ１  （第１）チャネル（スロット）長さ
ＬＢ  ソール長さ
ＬＷ  窓長さ
Ｔ１  第１壁（ヒンジ領域）厚さ
Ｔ２  第２壁（ヒンジ領域）厚さ
ＴＦＳ  最小ソール厚さ
ＴＳＢ  最大ソールバー厚さ
Ｖ  本体体積
Ｗ１  （第１）チャネル（スロット）幅
ｒｍｉｎ  曲線部の局所最小半径
α  チャネル中心線角度
β  前方チャネル壁と後方チャネル壁の内抱角
β、γ  スロットのリリーフ部分の逃げ角    ２０００、２０００ａ、２０００ｂ、２０００ｃ、２０００ｄ、２０００ｅ、２０００’、２０００’’  ゴルフクラブヘッド
２１１０、２１１０’、２１１０’’  打球面
２１５０  チャネル
２１５２  チャネルの中央部分
２１５４  チャネルの第１端部分
２１５６  チャネルの第２端部分
２１５８  第１部分及び第２部分の中央部分に対する角度
２１６０  チャネルの全体高さ
２１６４  チャネルの第１端
２１６６  チャネルの第２端
２１７０  チャネルの全体幅
２１７０’’  可変フェース厚さ（ＶＦＴ）パターン
２１７１’’  厚肉トウ部分
２１７２’’  ノッチ
２１７５  最も高い点
２１７６  中央部分内縁
２１７７  第１距離
２１７８  中央部分外縁
２１８５  最も低い点
２１８６  第１端部分第１縁
２１８７  第２距離
２１８８  第１端部分第２縁
２１９２  打球面
２１９５  中心フェースまでの距離
２１９６  第２端部分第１縁
２１９８  第２端部分第２縁
２５００、２５００ａ、２５００ｂ、２５００ｃ、２５００ｄ、２５００ｅ  ゴルフクラブヘッド
２５５０  チャネル
２５５４  上逃し部
２５５６  下逃し部
２５６０  チャネルの全高
２５６４  チャネルの第１端
２５６６  チャネルの第２端
２５７６  チャネルの内縁
２５７８  チャネルの外縁
２５９２  打球面
２５９５  中心フェースまでの距離
２６００  ゴルフクラブヘッド
２６１０  打球面
２６５０  チャネル
２７００、２７００’  ゴルフクラブヘッド
２７１０’  可変フェース厚さ（ＶＦＴ）パターン
２７５０  チャネル
２７５４、２７５６  チャネルの端点
２７５９  チャネルの最近点
２７７５  第２チャネル
２８００  ゴルフクラブヘッド
２８５０  スコアライン
２９００  ゴルフクラブヘッド
２９５０  チャネル
２９７５  第２チャネル
３０００  ゴルフクラブヘッド
３０５０  第１チャネル、トウ側チャネル
３０５５  ソールチャネル
３０７５  第２チャネル、ヒール側チャネル
３０８０  第３チャネル、トップラインチャネル
３０９０  第４チャネル、ソール側チャネル
３１００  ゴルフクラブヘッド
３１１０  打球面
３２００  ゴルフクラブヘッド
３２５０  第１チャネル
３２５４  第１チャネルの第１部分
３２５６  第１チャネルの第２部分
３２５８  半径
３２５９  角度
３２７４  第２チャネルの第１部分
３２７５  第２チャネル
３２７６  第２チャネルの第２部分
３２７８  半径
３２７９  角度
３３００  ゴルフクラブヘッド
３３５０  第１チャネル
３３７５  第２チャネル
３４００  ゴルフクラブヘッド
３４５０  第１チャネル
３４５１  チャネルの中心に位置する点
３４５５  ソールチャネル
３４７０  アンダーカット陥凹
３４７２  背部分リップ
３４７５  第２チャネル
３５００  ゴルフクラブヘッド
３５１０  打球面
３５１３  主本体
３５５０  チャネル
３５５２  第１チャネル列
３５５４  第２チャネル列
３５５５  柱
３５６８  ソール側ラップ点
３５６９  トップラインラップ点
３６００、３６００’  ゴルフクラブヘッド
３６１０、３６１０’  打球面
３６２５’  単一チャネル
３６５０  第１チャネル
３６５０’  単一チャネルの第１部分
３６５５  ソールチャネル、第３チャネル
３６５５’  単一チャネルのソール部分、第３部分
３６７５  第２チャネル
３６７５’  単一チャネルの第２部分
３６８３’  第１ラップ点
３６８７’  第２ラップ点
３７００、３７００’  ゴルフクラブヘッド
３７２５’  単一チャネル
３７５０  第１チャネル
３７５０’  単一チャネルの第１部分
３７５５  ソールチャネル、第３チャネル
３７５５’  単一チャネルのソール部分、第３部分
３７７５  第２チャネル
３７７５’  単一チャネルの第２部分
３７８３’  第１ラップ点
３７８７’  第２ラップ点
３８０１、３８０２、３８０３、３８０４  試験用の打球場所を表す点
３９００  ゴルフクラブヘッド
３９５０  チャネル
４０００  ゴルフクラブヘッド
４０５０  第１チャネル
４０７５  第２チャネル
４２０１、４２１１  一次モード
５０００  ゴルフクラブヘッド
５０５０  減衰具
５０５４、５０５８  上逃し部
５０５６、５０６２  下逃し部
【図１Ａ】
2015128580.tif 000018
【図１Ｂ】
2015128580.tif 000019
【図１Ｃ】
2015128580.tif 000020
【図１Ｄ】
2015128580.tif 000021
【図１Ｅ】
2015128580.tif 000022
【図１Ｆ】
2015128580.tif 000023
【図２Ａ】
2015128580.tif 000024
【図２Ｂ】
2015128580.tif 000025
【図２Ｃ】
2015128580.tif 000026
【図２Ｄ】
2015128580.tif 000027
【図２Ｅ】
2015128580.tif 000028
【図２Ｆ】
2015128580.tif 000029
【図２Ｇ】
2015128580.tif 000030
【図２Ｈ】
2015128580.tif 000031
【図３Ａ】
2015128580.tif 000032
【図３Ｂ】
2015128580.tif 000033
【図４Ａ】
2015128580.tif 000034
【図４Ｂ】
2015128580.tif 000035
【図５Ａ】
2015128580.tif 000036
【図５Ｂ】
2015128580.tif 000037
【図６Ａ】
2015128580.tif 000038
【図６Ｂ】
2015128580.tif 000039
【図７Ａ】
2015128580.tif 000040
【図７Ｂ】
2015128580.tif 000041
【図８Ａ】
2015128580.tif 000042
【図８Ｂ】
2015128580.tif 000043
【図９】
2015128580.tif 000044
【図１０Ａ】
2015128580.tif 000045
【図１０Ｂ】
2015128580.tif 000046
【図１１Ａ】
2015128580.tif 000047
【図１１Ｂ】
2015128580.tif 000048
【図１１Ｃ】
2015128580.tif 000049
【図１１Ｄ】
2015128580.tif 000050
【図１１Ｅ】
2015128580.tif 000051
【図１１Ｆ】
2015128580.tif 000052
【図１１Ｇ】
2015128580.tif 000053
【図１１Ｈ】
2015128580.tif 000054
【図１１Ｉ】
2015128580.tif 000055
【図１１Ｊ】
2015128580.tif 000056
【図１２Ａ】
2015128580.tif 000057
【図１２Ｂ】
2015128580.tif 000058
【図１２Ｃ】
2015128580.tif 000059
【図１３】
2015128580.tif 000060
【図１４Ａ】
2015128580.tif 000061
【図１４Ｂ】
2015128580.tif 000062
【図１４Ｃ】
2015128580.tif 000063
【図１５Ａ】
2015128580.tif 000064
【図１５Ｂ】
2015128580.tif 000065
【図１５Ｃ】
2015128580.tif 000066
【図１６】
2015128580.tif 000067
【図１７Ａ】
2015128580.tif 000068
【図１７Ｂ】
2015128580.tif 000069
【図１８Ａ】
2015128580.tif 000070
【図１８Ｂ】
2015128580.tif 000071
【図１８Ｃ】
2015128580.tif 000072
【図１９Ａ】
2015128580.tif 000073
【図１９Ｂ】
2015128580.tif 000074
【図１９Ｃ】
2015128580.tif 000075
【図２０Ａ】
2015128580.tif 000076
【図２０Ｂ】
2015128580.tif 000077
【図２１】
2015128580.tif 000078
【図２３】
2015128580.tif 000079
【図２４Ａ】
2015128580.tif 000080
【図２４Ｂ】
2015128580.tif 000081
【図２４Ｃ】
2015128580.tif 000082
【図２４Ｄ】
2015128580.tif 000083
【図２４Ｅ】
2015128580.tif 000084
【図２５Ｂ】
2015128580.tif 000085
【図２６Ａ】
2015128580.tif 000086
【図２６Ｂ】
2015128580.tif 000087
【図２７Ａ】
2015128580.tif 000088
【図２７Ｂ】
2015128580.tif 000089
【図２８Ａ】
2015128580.tif 000090
【図２８Ｂ】
2015128580.tif 000091
【図２９Ａ】
2015128580.tif 000092
【図２９Ｂ】
2015128580.tif 000093
【図３０Ａ】
2015128580.tif 000094
【図３０Ｂ】
2015128580.tif 000095
【図３０Ｃ】
2015128580.tif 000096
【図３１Ａ】
2015128580.tif 000097
【図３１Ｂ】
2015128580.tif 000098
【図３１Ｃ】
2015128580.tif 000099
【図３２Ａ】
2015128580.tif 000100
【図３２Ｂ】
2015128580.tif 000101
【図３２Ｃ】
2015128580.tif 000102
【図３４Ａ】
2015128580.tif 000103
【図３４Ｂ】
2015128580.tif 000104
【図３４Ｃ】
2015128580.tif 000105
【図３８】
2015128580.tif 000106
【図３９Ｂ】
2015128580.tif 000107
【図４０Ｂ】
2015128580.tif 000108
【図４３Ａ】
2015128580.tif 000109
【図４３Ｂ】
2015128580.tif 000110
【図４３Ｃ】
2015128580.tif 000111
【図２２Ａ】
2015128580.tif 000112
【図２２Ｂ】
2015128580.tif 000113
【図２２Ｃ】
2015128580.tif 000114
【図２２Ｄ】
2015128580.tif 000115
【図２２Ｅ】
2015128580.tif 000116
【図２５Ａ】
2015128580.tif 000117
【図２９Ｃ】
2015128580.tif 000118
【図３３Ａ】
2015128580.tif 000119
【図３３Ｂ】
2015128580.tif 000120
【図３５Ａ】
2015128580.tif 000121
【図３５Ｂ】
2015128580.tif 000122
【図３５Ｃ】
2015128580.tif 000123
【図３５Ｄ】
2015128580.tif 000124
【図３６Ａ】
2015128580.tif 000125
【図３６Ｂ】
2015128580.tif 000126
【図３７Ａ】
2015128580.tif 000127
【図３７Ｂ】
2015128580.tif 000128
【図３９Ａ】
2015128580.tif 000129
【図４０Ａ】
2015128580.tif 000130
【図４１Ａ】
2015128580.tif 000131
【図４１Ｂ】
2015128580.tif 000132
【図４２】
2015128580.tif 000133
【図４３Ｄ】
2015128580.tif 000134
【図４３Ｅ】
2015128580.tif 000135
【図４３Ｆ】
2015128580.tif 000136
【図４３Ｇ】
2015128580.tif 000137
【外国語明細書】
2015128580000001.pdf